(57)【特許請求の範囲】
【請求項１】
居住空間の局所で保湿用の空気を放出する保湿用空気供給機と、
居住空間に空調風を供給する空気調和機と、
前記空気調和機と前記保湿用空気供給機とを含む家電機器から、運転情報信号を受けて、運転許可信号を送信する統合管理装置と、
を備えた家電機器の運転管理システムにおいて、
前記統合管理装置が、前記保湿用空気供給機から、保湿運転の開始を予告する運転情報信号を受けた場合、当該保湿用空気供給機のある居住空間において前記空気調和機が運転中であるときには、当該空気調和機の運転条件が所定条件を満たした場合、前記統合管理装置が、前記保湿用空気供給機に対して運転許可信号を送信することを特徴とする家電機器の運転管理システム。
【請求項２】
前記統合管理装置は、保湿用空気供給機に対して運転許可信号を送信する前に、前記空気調和機の運転条件が所定条件を満たすかどうかの確認を求める情報を前記保湿用空気供給機に送信し、当該保湿用空気供給機から所定の確認済信号を受信した場合、前記運転許可信号を送信することを特徴とする請求項１に記載の家電機器の運転管理システム。
【請求項３】
前記統合管理装置は、保湿用空気供給機に対して運転許可信号を送信する前に、前記空気調和機の空調風の強度が、所定レベル以下の場合には、運転条件が所定条件を満たすと判定することを特徴とする請求項１に記載の家電機器の運転管理システム。
【請求項４】
前記統合管理装置は、保湿用空気供給機に対して運転許可信号を送信する前に、前記空気調和機の空調風の風向きが水平又はそれより上向きの場合には、運転条件が所定条件を満たすと判定することを特徴とする請求項１に記載の家電機器の運転管理システム。
【請求項５】
前記統合管理装置は、前記保湿用空気供給機から所定の確認済信号を、所定時間内に受信しなかった場合、前記空気調和機に対して、空調風の風速を制限することを勧告する情報を送信することを特徴とする請求項１に記載の家電機器の運転管理システム。
【請求項６】
前記統合管理装置は、前記保湿用空気供給機から所定の確認済信号を、所定時間内に受信しなかった場合、前記空気調和機に対して、空調風の風速を制限する指令信号を送信することを特徴とする請求項１に記載の家電機器の運転管理システム。
【請求項７】
前記統合管理装置は、前記保湿用空気供給機へ運転許可信号を送信した後、当該保湿用空気供給機が保湿運転の期間中は、前記空気調和機に対して、空調風の風速を上げる変更を禁止する指令信号を送信することを特徴とする請求項１に記載の家電機器の運転管理システム。
【請求項８】
前記保湿用空気供給機は、
保湿用の空気を吹きだす吹出口を有した本体と、
前記本体内部に設けられ、前記保湿用空気のための蒸気を発生させる蒸気発生部と、
前記蒸気発生部の蒸気を前記吹出口から室内へ吹き出す気流を生成する電動送風機と、
前記蒸気発生部と前記電動送風機を制御し、保湿運転を決定する運転プログラムを記憶させる記憶部を有する制御部と、
前記本体の外部から前記制御部に対して運転条件を入力する操作部と、
前記操作部の入力結果を表示する表示部と、
外部の情報通信端末機器と近距離無線通信を行うための通信部と、
前記通信部を介して受け取った睡眠時間帯のデータを記憶する記憶部と、を備え、
前記制御部は、前記情報通信端末機器を前記通信部に接近させて当該情報通信端末機器から使用者の睡眠時間帯のデータを受け取ることができることを示す情報を前記表示部に表示させ、
前記制御部は、前記通信部を介して受け取った前記睡眠時間帯のデータを前記記憶部に記憶させ、
さらに前記操作部には、前記記憶部に記憶させた睡眠時間帯の中で、前記保湿運転が開始され、かつ終了するように保湿運転の運転時間の自動調節を前記制御部に指令する入力キーを設けたことを特徴とする請求項１に記載の家電機器の運転管理システム。
【請求項９】
前記統合管理装置には、前記保湿用空気供給機を含む複数の家電機器の個々の使用場所を示す位置情報と、家電機器が室内へ空気を循環させ、又は吹きだす空気調和機であるかどうかを識別する識別情報が登録されており、
前記保湿用空気供給機を使用する信号が前記統合管理装置に送信された場合、前記統合管理装置には、当該保湿用空気供給機を使用する居住空間に、空気調和機が存在するかどうかを判定し、存在する場合には、当該空気調和機の運転条件を制限する指令を当該空気調和機に発信することを特徴とする請求項１に記載の家電機器の運転管理システム。
【請求項１０】
前記統合管理装置には、就寝者の居る居住空間の気温等の環境を計測する環境検知部と、使用者の生体データから当該使用者の睡眠時間を判定する睡眠判定部と、睡眠判定部で取得した睡眠時間データと前記環境検知部から送信された環境データとが、対にして時系列で記憶される記憶装置と、を備えたことを特徴とする請求項１に記載の家電機器の運転管理システム。
【請求項１１】
居住空間へ保湿用の空気を放出する保湿用空気供給機と、
居住空間に使用される空気調和機と前記保湿用空気供給機とを含む家電機器から、運転情報信号を受け、運転許可信号を送信する統合管理装置と、を備え、
前記統合管理装置が、前記保湿用空気供給機から、保湿運転開始を予告する運転情報信号を受けた場合、
前記統合管理装置は、
１）前記保湿用空気供給機のある居住空間において前記空気調和機が運転中であり、しかも当該空気調和機が所定の環境条件を目標にした運転途中にある場合、当該環境条件を満たすまでの間は、前記保湿用空気供給機に対して運転許可の信号を送信することを保留にし、しかも、
２）前記当該環境条件を満たしたと判定した場合、前記保湿用空気供給機に対して運転許可信号を送信する、
ことを特徴とする家電機器の運転管理システム。
【請求項１２】
前記統合管理装置は、保湿用空気供給機に対して運転許可信号を送信する前に、前記空気調和機の運転条件が所定条件を満たすかどうかの確認を求める情報を前記保湿用空気供給機に送信し、当該保湿用空気供給機から所定の確認済信号を受信した場合、前記運転許可信号を送信することを特徴とする請求項１１に記載の家電機器の運転管理システム。
【請求項１３】
前記統合管理装置は、保湿用空気供給機に対して運転許可信号を送信する前に、前記空気調和機の空調風の強度が、所定レベル以下の場合には、運転条件が所定条件を満たすと判定することを特徴とする請求項１１に記載の家電機器の運転管理システム。
【請求項１４】
前記統合管理装置は、保湿用空気供給機に対して運転許可信号を送信する前に、前記空気調和機の空調風の風向きが水平又はそれより上向きの場合には、運転条件が所定条件を満たすと判定することを特徴とする請求項１１に記載の家電機器の運転管理システム。
【請求項１５】
前記統合管理装置は、前記保湿用空気供給機から所定の確認済信号を、所定時間内に受信しなかった場合、前記空気調和機に対して、空調風の風速を制限することを勧告する情報を送信することを特徴とする請求項１１に記載の家電機器の運転管理システム。
【請求項１６】
前記統合管理装置は、前記保湿用空気供給機から所定の確認済信号を、所定時間内に受信しなかった場合、前記空気調和機に対して、空調風の風速を制限する指令信号を送信することを特徴とする請求項１１に記載の家電機器の運転管理システム。
【請求項１７】
前記統合管理装置は、前記保湿用空気供給機へ運転許可信号を送信した後、当該保湿用空気供給機が保湿運転の期間中は、前記空気調和機に対して、空調風の風速を上げる変更を禁止する指令信号を送信することを特徴とする請求項１１に記載の家電機器の運転管理システム。
【請求項１８】
前記保湿用空気供給機は、
保湿用の空気を吹きだす吹出口を有した本体と、
前記本体内部に設けられ、前記保湿用空気のための蒸気を発生させる蒸気発生部と、
前記蒸気発生部の蒸気を前記吹出口から室内へ吹き出す気流を生成する電動送風機と、
前記蒸気発生部と前記電動送風機を制御し、保湿運転を決定する運転プログラムを記憶させる記憶部を有する制御部と、
前記本体の外部から前記制御部に対して運転条件を入力する操作部と、
前記操作部の入力結果を表示する表示部と、
外部の情報通信端末機器と近距離無線通信を行うための通信部と、
前記通信部を介して受け取った睡眠時間帯のデータを記憶する記憶部と、を備え、
前記制御部は、前記情報通信端末機器を前記通信部に接近させて当該情報通信端末機器から使用者の睡眠時間帯のデータを受け取ることができることを示す情報を前記表示部に表示させ、
前記制御部は、前記通信部を介して受け取った前記睡眠時間帯のデータを前記記憶部に記憶させ、
さらに前記操作部には、前記記憶部に記憶させた睡眠時間帯の中で、前記保湿運転が開始され、かつ終了するように保湿運転の運転時間の自動調節を前記制御部に指令する入力キーを設けたことを特徴とする請求項１１に記載の家電機器の運転管理システム。
【請求項１９】
前記統合管理装置には、前記保湿用空気供給機を含む複数の家電機器の個々の使用場所を示す位置情報と、家電機器が室内へ空気を循環させ、又は吹きだす空気調和機であるかどうかを識別する識別情報が登録されており、
前記保湿用空気供給機を使用する信号が前記統合管理装置に送信された場合、前記統合管理装置には、当該保湿用空気供給機を使用する居住空間に、空気調和機が存在するかどうかを判定し、存在する場合には、当該空気調和機の運転条件を制限する指令を当該空気調和機に発信することを特徴とする請求項１１に記載の家電機器の運転管理システム。
【請求項２０】
前記統合管理装置には、就寝者の居る居住空間の気温等の環境を計測する環境検知部と、使用者の生体データから当該使用者の睡眠時間を判定する睡眠判定部と、睡眠判定部で取得した睡眠時間データと前記環境検知部から送信された環境データとが、対にして時系列で記憶される記憶装置と、を備えたことを特徴とする請求項１１に記載の家電機器の運転管理システム。
【発明の詳細な説明】
【技術分野】
【０００１】
本発明は、個人等の特定領域を加湿するパーソナル加湿装置等のような家電機器と、家庭用空気調和機とを統合して制御できる家電機器の運転管理システムに関する。
【背景技術】
【０００２】
従来のパーソナル加湿装置としては、容器状の本体ケースの内部に、貯水容器（タンク）と、送風機とを備え、前記貯水容器から供給された水を加湿空気として前記送風機によって本体ケースの外部に吹きだす構成が提案されている（例えば、特許文献１参照）。
【０００３】
さらに加湿空気の風速と吹きだし温度の調節が容易に行えるように、本体ケースの上面に形成した吹出口に、風向調節手段を設けるとともに、前記吹出口には筒状のノズルを着脱自在に設けたものが提案されている（例えば、特許文献２参照）。
【０００４】
さらに、加熱蒸発方式によって発生させた微粒子の霧に、さらに超音波を放射して水の粒子径を拡大させ、使用者の顔等の目的エリアまで加湿空気が到達するようにした方式の加湿器が提案されている（例えば、特許文献３参照）。
【０００５】
さらに、ナノサイズのミストを発生させる方式を採用した加湿器が提案されている。それによれば、加湿器内部には、絶縁性材料から形成され、ミストの吐出口を備えたミストケースと、このケースの内部に配置された（放電用）電極と、空気中の水分を基にして前記電極に水を供給する水供給手段と、前記電極に高電圧を印加する電圧印加手段と、前記電極を冷却する冷却部と、を備えている。そして、前記電極に供給された水に高電圧を印加すると、電極の近傍でナノサイズのミストを生成し、ミストケースの天井部に設けた吐出口から、ナノサイズのミストが居住空間に向けて放出される（例えば、特許文献４参照）。
【先行技術文献】
【特許文献】
【０００６】
【特許文献１】特開２０１４−２０７０７号公報（第１頁、図２）
【特許文献２】特開２０１４−３６６８９号公報（第１頁、図２）
【特許文献３】特開２０１０−６５９１９号公報（第１頁、図１）
【特許文献４】特開２０１３−１３５９３１号公報（第１頁、図１）
【発明の概要】
【発明が解決しようとする課題】
【０００７】
ところで一般に、加湿された空気を受ける人間（使用者）側のメリットとして大きなものの１つには、お肌の潤い感が増すことがあると言われている。しかしながら、上記したような従来のパーソナル加湿機器は、通常は家庭内の１つの居住空間で、例えば夜間の就寝中や休憩中に使用される。
【０００８】
そのため、蒸気発生方式、超音波霧化方式、あるいはナノサイズのミストを発生方式、その他の方式の加湿器の何れにおいても、使用者が使用する場面（例えば就寝中）で注意を払うべき対象は、その居住（就寝）空間全体の環境改善のために使用される空気調和機の存在である。
【０００９】
空気調和機は、広い居住空間全体に冷気や温風を対流、循環させることができる能力があるため、空調運転（冷房や、除湿、暖房）時には、大きな風速・風量で、空調用の風が吹き出される。
これに対して、上記したような個人用加湿器の保湿用空気は、使用者の顔の周辺に微速風（毎秒２５ｃｍ程度、最大でも５０ｃｍ以下）の状態で到達し、肌の表面に接触する時間を長くすることが望ましいので、保湿運転時に、前記空気調和機の空調気流が保湿用空気の流れや供給を妨げるという懸念がある。
【００１０】
例えば、家庭用（壁掛け型）空気調和機（冷房消費電力３６５Ｗ。冷房能力は鉄筋洋室目安で９畳）を実験した結果、天井までの高さが２．４ｍ（メートル）、奥行き２．７ｍの部屋で、その奥側の垂直壁にその空気調和機を設置し（床上２ｍの位置）、「定格最大能力の」冷房を行った場合には、その空気調和機の冷風吹き出しを水平に設定したとき、空気調和機の冷風吹出口から出た直後の風速は、毎秒１．６５ｍ、その吹出口から２ｍ離れた位置（床上からの距離は約２ｍ強）での風速は、０．７５ｍ（毎秒）であり、空気調和機真下の床面近傍では、吹き出された風が戻って来たものであるが、最も弱い風になり、毎秒０．１５ｍ程度であるという試験データがある（この家庭用空気調和機の最大送風量は、１時間あたり５６０立方メートル）。
このことから、空気調和機を同じ居住空間で同時に使用した場合には、その空気調和機からの空調風は、局所において保湿用の空気による空間を形成しようとする保湿用空気供給機の保湿運転効果に大きな悪影響を与える懸念がある。
従来においては、このような面で大きな改善余地があった。
【００１１】
本発明は、家電機器を統合制御する統合管理装置を利用して、保湿用の空気を供給できる保湿用空気供給機の運転環境を制御し、保湿用空気供給機と空気調和機との効果的な使用ができる家電機器の運転管理システムを提供することにある。
【課題を解決するための手段】
【００１２】
第１の発明になる家電機器の運転管理システムは、
居住空間の局所で保湿用の空気を放出する保湿用空気供給機と、
居住空間に空調風を供給する空気調和機、
前記空気調和機と前記保湿用空気供給機とを含む家電機器から、運転情報信号を受け、運転許可信号を送信する統合管理装置と、を備え、
前記統合管理装置が、前記保湿用空気供給機から、保湿運転の開始を予告する運転情報信号を受けた場合、当該保湿用空気供給機のある居住空間において前記空気調和機が運転中である場合には、当該空気調和機の運転条件が、前記保湿用空気供給機との関係で定めた所定条件を満たしたとき、前記統合管理装置が、前記保湿用空気供給機に対して運転許可信号を送信することを特徴とするものである。
【００１３】
この第１の発明の家電機器の運転管理システムによれば、保湿用空気供給機を居住者が使用する場面で、その居住空間のための空気調和機が運転状態にあるときは、当該空気調和機の運転条件が保湿用空気供給機との関係で定めた所定条件を満たしたときに、前記統合管理装置が、前記保湿用空気供給機に対して運転許可信号を送信するので、空気供給機の運転によって、保湿用空気の供給に悪影響が及ぶという弊害を少なくできる。またこのような連携動作は、保湿用空気供給機専用に装置を用意せずに、居住空間の環境情報や運転情報信号を取得して家電機器を統合的に管理する統合管理装置を利用して実現でき、システム全体の信頼性を高めることができる。
【００１４】
第２の発明になる家電機器の運転管理システムは、
居住空間へ保湿用の空気を放出する保湿用空気供給機と、
居住空間に使用される空気調和機と前記保湿用空気供給機とを含む家電機器から、運転情報信号を受け、運転許可信号を送信する統合管理装置と、を備え、
前記統合管理装置が、前記保湿用空気供給機から、保湿運転開始を予告する運転情報信号を受けた場合、
前記統合管理装置は、
１）前記保湿用空気供給機のある居住空間において前記空気調和機が運転中であり、しかも当該空気調和機が所定の環境条件を目標にした運転途中にある場合、当該環境条件を満たすまでの間は、前記保湿用空気供給機に対して運転許可の信号を送信することを保留にし、しかも、
２）前記当該環境条件を満たしたと判定した場合、前記保湿用空気供給機に対して運転許可信号を送信する、
ことを特徴とするものである。
【００１５】
この構成であるから、この第２の発明の家電機器の運転管理システムによれば、統合管理装置は、保湿用空気供給機の運転を許可する前に、保湿用空気供給機のある居住空間の環境状況を確認し、居住者が事前に設定していた就寝時の目標室温等の条件を優先して満たすように、空気調和機の運転を優先させ、その空気調和機が所定の環境条件を満たした場合、自動的に保湿運転を開始する処理の方に進めるため、使用者の保湿機会や就寝者の入眠等を阻害せず、また睡眠の質低下を招くことを回避しながら保湿運転を実行できる。
【発明の効果】
【００１６】
この発明によれば、局所へ保湿用空気を供給する保湿用空気供給機と、居住空間に空調風を吹き出す空気調和機を同じ居住空間で使用する場合、相互の連携を強化し、それぞれの機能を発揮させる運転を実行できる。
【図面の簡単な説明】
【００１７】
【図１】本発明の実施の形態１に係る保湿用空気供給機を適用した１つの家庭の概要図。
【図２】本発明の実施の形態１に係る保湿用空気供給機を適用した１つの家庭の外部通信構成を示す概念図。
【図３】本発明の実施の形態１に係る電力指令装置の構成図。
【図４】本発明の実施の形態１に係る保湿用空気供給機の中央部縦断面図。
【図５】本発明の実施の形態１に係る家電機器の運転管理システムに使用する情報通信端末機器の内部構成を示すブロック図。
【図６】本発明の実施の形態１に係る保湿用空気供給機のブロック図。
【図７】本発明の実施の形態１に係る電力指令装置と保湿用空気供給機の制御動作を示す説明図１。
【図８】本発明の実施の形態１に係る情報通信端末機器と保湿用空気供給機の制御動作を示す説明図１。
【図９】本発明の実施の形態１に係る情報通信端末機器と保湿用空気供給機の制御動作を示す説明図２。
【図１０】本発明の実施の形態１に係る保湿用空気供給機の制御動作を示すフローチャート図１。
【図１１】本発明の実施の形態１に係る情報通信端末機器の制御動作を示すフローチャート図１。
【図１２】図５の情報通信端末機器の正面図１。
【図１３】図５の情報通信端末機器の正面図２。
【図１４】本発明の実施の形態１に係る電力指令装置５の制御部３６の動作を示すフローチャート図である。
【図１５】図５の情報通信端末機器の正面図３。
【図１６】図５の情報通信端末機器の正面図４。
【図１７】保湿用空気供給機の操作部と表示画面を示す正面図１。
【図１８】保湿用空気供給機の操作部と表示画面を示す正面図２。
【図１９】本発明の実施の形態１に係る保湿用空気供給機の保湿運転と、電力指令装置との間の各種指令信号、報知信号の発信・受信を時系列で示す説明図。
【図２０】本発明の実施の形態１の変形例を示す、通信アダプター、電力指令装置及び家電機器の全体構成を示すブロック図。
【図２１】本発明の実施の形態１における運転管理システムの動作ステップを示すフローチャート図。
【図２２】図２１の保湿用空気供給機の表示画面を示す正面図。
【図２３】本発明の実施の形態２における運転管理システムの動作ステップを示すフローチャート図。
【図２４】図２３の保湿用空気供給機の表示画面を示す正面図。
【図２５】本発明の実施の形態３に係る家電機器の運転管理システムで制御される家電機器の１つであるＴＶ受像機の表示画面例とリモコンの概要図。
【図２６】図２５のＴＶ受像機の表示画面の別の例を示す正面図１。
【図２７】図２５のＴＶ受像機の表示画面の別の例を示す正面図２。
【図２８】図２５のＴＶ受像機の表示画面の別の例を示す正面図３。
【図２９】統合管理装置がＴＶ受像機を介して空気調和機の運転条件確認を要請する一連の動作ステップを示すフローチャート図である。
【発明を実施するための形態】
【００１８】
実施の形態１．
以下、図１〜図２２を参照して、実施の形態１を説明する。
図１は、本発明の実施の形態１に係る保湿用空気供給機を適用した１つの家庭の概要図。図２は、本発明の実施の形態１に係る保湿用空気供給機を適用した１つの家庭の外部通信構成を示す概念図。図３は、本発明の実施の形態１に係る電力指令装置の構成図。図４は、本発明の実施の形態１に係る保湿用空気供給機の中央部縦断面図。図５は、本発明の実施の形態１に係るシステムに使用する情報通信端末機器の内部構成を示すブロック図。図６は、本発明の実施の形態１に係る保湿用空気供給機のブロック図。図７は、本発明の実施の形態１に係る電力指令装置と保湿用空気供給機の制御動作を示す説明図１。図８は、本発明の実施の形態１に係る情報通信端末機器と保湿用空気供給機の制御動作を示す説明図１。図９は、本発明の実施の形態１に係る情報通信端末機器と保湿用空気供給機の制御動作を示す説明図２。図１０は、本発明の実施の形態１に係る保湿用空気供給機の制御動作を示すフローチャート図１。図１１は、本発明の実施の形態１に係る情報通信端末機器の制御動作を示すフローチャート図１。図１２は、図５の情報通信端末機器の正面図１。図１３は、図５の情報通信端末機器の正面図２。図１４は、本発明の実施の形態１に係る電力指令装置５の制御部３６の動作を示すフローチャート図。図１５は、図５の情報通信端末機器の正面図３。図１６は、図５の情報通信端末機器の正面図４。図１７は、保湿用空気供給機の操作部と表示画面を示す正面図１。図１８は、保湿用空気供給機の操作部と表示画面を示す正面図２。図１９は、本発明の実施の形態１に係る保湿用空気供給機の保湿運転と、電力指令装置との間の各種指令信号、報知信号の発信・受信を時系列で示す説明図。図２０は、本発明の実施の形態１の変形例を示す、通信アダプター、電力指令装置及び家電機器の全体構成を示すブロック図。図２１は、本発明の実施の形態１における運転管理システムの動作ステップを示すフローチャート図。図２２は、図２１の保湿用空気供給機の表示画面を示す正面図である。
【００１９】
（定義）
本発明で「家電機器」ＥＥとは、主に家庭で使用されることを想定して設計された電気機器をいい、後述する保湿用空気供給機２０やキッチン内家電機器ＫＰ、ＴＶ受像機２等の映像機器、空気調和機３、空気清浄機や空気脱臭機等の空気処理機、電気ストーブ等の暖房機器、電気掃除機、電気洗濯機（乾燥機能付きを含む）、お風呂に使用される給湯機器（給湯タンク付きを含む）を含む。なお、以下の説明では、家電機器という場合には、特に断りがない限り、保湿用空気供給機を含む。
【００２０】
本発明で家電機器ＥＥの「識別情報」とは、家電機器ＥＥを特定するための情報で、家電機器ＥＥに固有の情報のことであり、的確な修理や点検を行う場合に必要となる重要な情報である。例えば、具体的には、以下のようなものが識別情報に含まれるが、これらには限定されない。なお、家電機器ＥＥについては、あとで詳しく説明する。
（１）家電機器の製造者名
（２）型名
（３）形式番号
（４）定格消費電力
（５）購入年月日（製造業者や販売業者の品質保証期間の起算日になる場合が多い）
（６）使用開始年月日（食器洗い乾燥機では、「法定点検」時期の起算日になる）
（７）品質保証書番号
前記（６）の「法定点検」とは、２００９年４月１日から改正・施行された「消費者生活用製品安全法」で新設された「長期使用製品安全点検制度による点検」をいう。なお、この法律とは別の「電気用品安全法」では、技術基準省令の改正により、長期使用製品安全表示制度が創設されており、消費生活用製品のうち、特定の製品については、設計上の標準使用期間と経年劣化について、消費者に対し適切な保守点検を促すように注意喚起等の表示が義務化されている。そこで、その標準使用期間の参考となるように、消費者に対して表示する「製品の製造日」や製造年月から起算した「経過年数」の情報を、家電機器ＥＥの「識別情報」に含めても良い。
また後述する空気調和機３等の「特定家電機器」（環境改善機器）ＳＰ１であるかどうかも識別情報の一部であり、電力指令装置５と相互に無線通信を行う場合、その電力指令装置５側にこの識別情報が、特定家電機器（環境改善機器）ＳＰ１側から提供される。
【００２１】
本発明では、「環境情報」とは、環境検知部９で検出する「環境データ」それ自体と、そのような環境データに基づいて作成される「環境評価情報」を総称したものをいい、家屋の居住快適性に影響する以下のような種類の情報を含むが、これに限定されない。
（１）温度情報
（２）湿度情報
（３）塵埃飛散度（単位容積あたり）情報
（４）花粉飛散量情報
（５）光量（可視光線量）情報・・言い換えると居住空間の明るさの情報である。
（６）騒音情報・・・居住空間の静けさの情報である。
また本実施の形態１では、「環境情報の利用」とは、後述する各種家電機器ＥＥが前記環境情報をその家電機器ＥＥの、効率的運転又は効果的運転又は環境に配慮した運転に利用することをいい、以下のような例を含む。
（１）温度高い場合、電気炊飯器の保温機能を炊飯工程の終了に連続して動作させる。  （２）湿度の場合、家電機器ＥＥの１種である除湿機を動作させる。または換気扇を運転開始する。空気調和機３の運転条件（目標とする室温など）を変える。
（３）空中を浮遊するような微細な塵埃が飛量している場合、空気清浄機を動作させる。または換気扇を運転開始する。
（４）花粉飛散量の場合、空気清浄機の運転を開始する。
（５）比較的直径や長さが大きく、床に落下する土埃や衣類の埃等の場合、自走式電気掃除機を運転開始させる。
（６）光量（可視光線量）の場合、照明器具４を点灯させる。
（７）騒音の場合は、騒音がない状態から、深夜などの静寂な時間帯と判断し、ブロワーモーターの運転音や走行音が発生する自走式電気掃除機の運転や、洗濯乾燥用ドラムを回転させる電気モーターの運転音が発生する洗濯乾燥機の運転を避ける。
なお、気温と湿度の関係で、いわゆる「不快指数」を算出し、空気調和機３の運転を開始することも含む。
【００２２】
本発明で「環境データ」とは、計測された温度や湿度等の物理的状態を示すデータそれ自体をいう。例えば気温３５℃は環境データに該当する。その気温３５℃に基づいて、何らかの評価基準や計算処理等を経て分類やランク付け、又はその他加工をされた情報は「環境評価情報」に該当する。例えば、「室温は高い」、「標準気温」というような情報が前記「環境評価情報」に該当する。
【００２３】
本実施の形態１において、「睡眠時間帯データ」とは、入眠時刻と覚醒時刻の双方を特定できるデータをいう。入眠時刻と覚醒時刻の両方のデータを含む場合に限られず、開始時刻と、その時点からの経過時間（睡眠時間）の２つを含むデータでも良い。
【００２４】
さらにまた本実施の形態１では、環境情報の利用により、以下のように居住者の利便性が向上する。
（１）居住環境を良くするために家電機器ＥＥの使用について、アドバイス情報が出る（例えば、換気扇や空気清浄機など）。このアドバイス情報により、居住者の利便性、快適性が確保される。
（２）現在、運転中の家電機器ＥＥが分かる。
（３）離れた居住空間の人の存在・不存在が分かる。
（４）高い温度で、かつ湿度も高い、快適ではない居住空間が分かる。
（５）室内運動をする際に、運動に不向きな居住空間が分かる。
（６）電力指令装置５から、警報を出すために、室温の上限値を設定しておけば、その設定値を超えた部屋があることを知ることが分かり、離れた部屋の環境も知ることができる。
【００２５】
また居住空間内の空気に良い影響を与え、改善することができる家電機器ＥＥを「第１の特定家電機器」（「環境改善機器」）ＳＰ１という場合がある。室内空間の快適性を維持、向上させるために、暖房用の熱を発生する電気ヒーター式ストーブや空気調和機３は環境改善機器の１種である。一方、室内空間の快適性維持・向上が本来の目的ではなく、室内空間に熱を与えてしまう電熱加熱調理器等のような家電機器ＥＥを「第２の特定家電機器ＳＰ２」という場合がある。
さらにまた、複数の家電機器ＥＥの中で、電力削減要請信号ＡＳ２や電力削減指令信号ＡＳ３を受信するものを「第１の家電機器」いう場合があり、またその第１の家電機器と区別するために別の家電機器を「第２の家電機器」という場合がある。
【００２６】
「環境改善機器」ＳＰ１とは、居住空間内の空気の温度、湿度、質を改善する効果のあるものをいう。空気の質を向上させると有害物質や塵埃の含有量が少なく、清浄な空気となる。
【００２７】
本発明の「睡眠判定部」２３とは、睡眠センサー２４から、生体情報を受信して睡眠状態を判定する機能を発揮する手段をいう。この生体情報とは、例えば居住者の就寝時（就床時）の生体の心拍、呼吸数、および体動の時間変化を示す情報であるが、これに限定されない。
【００２８】
各種の睡眠検知手段や睡眠状態の判定技術が既に提案されており、例えば日本国特許公開２００７−１９９０２５号公報には、睡眠センサー付き身体装着装置及び睡眠報知制御方法が提案されている。また日本国特許公開２０１４−７３２３７号公報には、対象者の呼吸から睡眠状態を推定する睡眠モニタリングシステムが提案され、日本国特許公開２０１４−７０７６６号公報には、脚を具備するベッドと、脚に設置され脚に掛かる荷重を検出する荷重計と、寝室を空調する空調機と、荷重計にて検出された荷重の変動に基づき使用者の睡眠状態を判定し、使用者の睡眠状態に基づきエアコンの設定温度を決定する温度決定部と、寝室の温度が温度決定部によって決定され設定温度になるようにエアコンを制御する制御基板と、を備える、睡眠環境制御システムが提案されている。日本国特許公開２０１４−４２７７３号公報では、浅い睡眠から深い睡眠へと遷移する際に最適な制御を行い、利用者に違和感を与えることなく浅い睡眠から深い睡眠へと誘導することができる睡眠環境温度制御装置が提案されている。その他として日本国特許公開２０１３−２１３６４２号公報では、就寝者に快適な睡眠環境を提供可能な室内環境制御システムが提案されている。
本発明の本実施の形態１における睡眠判定部２３には、上記したような各種方式、構成の技術が適用できる。
【００２９】
本実施の形態１では、「在宅検知手段」４３とは、以下のような手段を含むが、以下の実施の形態の説明では全ての手段については詳しく説明せず、代表的な手段についてのみ詳しく説明する。
（１）住宅の入口（玄関）の外側に設置された電子錠４２とその電子錠に入力された暗証番号や生体情報（例えば指紋情報）から、居住者が帰宅したことを検知する手段。
（２）居住者が保持している固有の身分証やＩＤカード等に記録された個人特定情報を、磁気的又は光学的手段で、あるいは近距離通信やその他通信手段で電力指令装置５に直接読み込ませ、その読み込ませた情報を解読してその本人が在宅していると判定する手段。
（３）居住者が保持している携帯用電話等の情報通信端末機器２５等に記録された個人特定情報を、近距離通信やその他通信手段で直接電力指令装置５に読み込ませ、その読み込ませた情報を解読してその本人が在宅していると判定する手段。
（４）個人が固有している身分証やＩＤカード等、情報通信端末機器２５等に記録された個人特定情報を、特定の家電機器ＥＥに読み込ませ、又は個人だけが知っているＩＤ番号やパスワードを家電機器ＥＥに読み込ませたり、入力キーによって入力したりして、その個人特定情報やパスワードを電力指令装置５側にて解読し、読み込ませた本人が在宅していると判定する手段。
【００３０】
本実施の形態１では、「居住者」とは、後述する１つの家屋に居住する者をいい、血縁関係にある親子、兄弟、姉妹等を含むが、後述する居住空間ＨＡに所定期間だけ臨時で宿泊する訪問者や、生活を共にするその他の者を含んでいる。１つ又は複数の居住空間を１人又は数人で借用している者も含む。なお、家電機器ＥＥを使用した場合には、居住者を「使用者」と呼び、また睡眠時間を計測する場合には、その対象者を「睡眠者」と呼ぶ場合がある。
【００３１】
本実施の形態１では、「家庭」とは、特定の管理者が管理する１つの家屋を意味しており、複数の部屋があり、複数の家族が入居している集合住宅も含む場合がある。すなわち、そのような集合住宅でも、１つの家屋の場合と同様に商用電力の上限が１つの電力遮断機器（ブレーカーＢＫ）で一元管理されている場合は、ここでいう家庭とみなす。
【００３２】
本実施の形態１において、後述する電力指令装置５の「動作情報」とは、１つの家庭に設定されている上限の総電力量を示す情報、現在使用している使用電力量を示す情報、前記総電力量と使用電力量の差を表す情報、前記電力指令装置５が制御対象にしている家電機器ＥＥを具体的に特定する名称等の情報、当該家電機器ＥＥの使用状態を示した情報、各家電機器ＥＥで使用されている電力量の情報（例えば１分間の平均電力量）等をいうが、これに限定されるものではない。
【００３３】
本実施の形態１において、後述する保湿用空気供給機２０の「記憶装置」（記憶部）とは、特に明記ない限り、制御装置３３の記憶部３３ＲとＮＦＣ記憶部３１の一方又は両方をいうものとする。
【００３４】
本実施の形態１において、「家電機器側の電力制限情報」とは、電力指令装置５から家電機器が受けた電力消費量に関する何らかの信号に関する情報をいい、後述する電力削減要請信号ＡＳ２、電力削減指令信号ＡＳ３の送信を指令に関する情報を含んだものをいう。それら情報には、その信号の受信時期（年月と秒単位の時刻）と信号の意味を示す情報が含まれる。例えば、誘導加熱調理器に対するある時点の電力削減指令信号ＡＳ３について「受信時刻：２０１４年１月１５日  １７時００秒    瞬間最大消費電力量を２％下げ」のような情報である。なお、この家電機器側の電力制限情報は、家電機器、例えば誘導加熱調理器では、その制御装置の記憶装置の中に時系列で記憶されており、主電源をＯＮ又はＯＦＦしても消えない。主電源をＯＮし、ＯＦＦしたことを１回の調理と考えて、少なくとも数回分は記憶保持されるようになっている。それを超えた分が順次自動的に消去される。
【００３５】
本実施の形態１において、「家電機器側の位置情報」とは、居住空間ＨＡの中のどの部屋に、家電機器が存在しているのかを示す情報（コード）であり、例えば居間はコード００１、キッチンはコード００２、寝室は００３、のように事前に電力指令装置５の制御部３６によってルール化されており、家電機器ＥＥを使用して電力指令装置５の制御対象になる場合には、その家電機器の識別情報とともに当該位置情報が電力指令装置５に登録される。
【００３６】
キッチンの厨房家具の中に設置されて使用されるビルト・イン式の誘導加熱調理器や、壁や天井部に固定して使用される空気調和機３のように、最初の設置位置が変化しない（非可搬式）家電機器ＥＥの場合は、そのまま永続的に位置情報を利用できる。
【００３７】
しかしながら、自走式電気掃除機や本発明の対象となる保湿用空気供給機２０のように、使用者が任意の位置に持ち運び容易な（可搬式）家電機器ＥＥの場合には、電力指令装置５と無線通信を行った場合に、その最新の位置が電力指令装置５によって割り出される。割り出された結果で、ある居住空間に保湿用空気供給機２０があって保湿運転された場合には、その時の居住空間の識別コードが、その保湿用空気供給機２０の保湿運転のデータ（例えば、運転開始時刻と終了時刻）と対になって、電力指令装置５の制御部３６の記憶部（後述する第２の記憶部）３６Ｂに記憶されるようになっている。言い換えると、その後に別の居住空間において、その保湿用空気供給機２０を保湿運転すると、別の居住空間の識別コードが付されて制御部３６の記憶部に記憶される。
【００３８】
電力指令装置５と電気的接続又は通信セッションが確立した家電機器について、その位置を電力指令装置５側から特定する技術は色々提案されている。例えば最近のものでは、日本国特許公開２０１４−７９０３６号公報には、新規に導入した家電機器と電源タップとの関係情報を管理するために、従来では家電機器の使用者が手動で情報を手動登録しなければならないという課題があったことを解決するために、電源タップに家電機器を接続した際、電源タップからは機器接続検知イベントを、また家電機器からは起動完了イベント通知を行い、２つの通知を受信した、家電機器（情報家電）管理装置は、どの情報端末が、どのコンセント口に挿されたかの候補情報をテーブルに登録する。その後、家電機器管理装置より電源タップに対し、該当コンセントに対する電源ＯＦＦ指示を行い、相関関係を仮定した情報家電との通信状態をモニタする。電源ＯＦＦ指示の結果、相関関係を仮定した家電機器との通信が切れた場合には、再度、該当コンセントに対する電源ＯＮ指示を行うとともに、仮定した相関関係が正しいものとして家電機器、及び接続コンセントの登録を行う。これにより、家電機器管理装置では、人手を介さずに自動的にコンセントと家電機器との正しい接続関係を検知し、自動登録処理を行うことが可能となる技術を提案している。つまり、コンセント口を把握することで、家電機器の使用される場所の特定が可能となる。
従って、この実施の形態１の説明では、保湿用空気供給機２０やその他個々の可搬性家電機器の最新の位置を把握する手段についての詳細な説明は省略する。
【００３９】
（全体構成）
図１は、本実施形態１の電力制御システムが適用された１つの家屋の例を示している。このような戸建ての家庭ではなく、マンション等の集合住宅であっても本発明は適用できる。
図１において、ＨＡ１は１つの家屋の居住空間（寝室）を示す。ＨＡ２は前記居住空間ＨＡ１と壁ＳＢで仕切られた隣の居住空間（キッチン）を示す。なお、居住空間を総称する場合にはＨＡを符号として使用する。なお、居住空間はこの図１には示していないが、そのほかに「居間」や「浴室」等があり、またトイレのある部屋もある。これ以外の部屋があっても良い。
【００４０】
全ての居住空間ＨＡには、家屋の外部にある電力会社の商用電源ＥＰから例えば２００Ｖの電力が供給されている。その電力は、電力量計３００を介して家屋の内部に引き込まれている。１は前記２００Ｖの商用電源ＥＰにブレーカーＢＫを介して接続された電源線（主幹線）である。前記電源線には、テレビジョンの受像機（以下、「ＴＶ受像機」という）２、空気調和機３、照明器具４Ａ、４Ｂ、台所用電気機器（以下、「キッチン内家電機器」という）ＫＰがそれぞれ接続されている。なお、図１においては、ＴＶ受像機２、空気調和機３、キッチン内家電機器ＫＰは、それぞれ１つしか示されていないが、複数個あっても良い。また照明器具も４Ａ、４Ｂの２つだけではないが、図示省略している。
【００４１】
５はブレーカーＢＫを介して電力が供給される電力指令装置であり、居住空間ＨＡ２（キッチン）の壁面等のように、家族が容易に接近できる場所に壁掛け状態で設置されているか、又は床面の上に置いてある。なお、その他の家電機器として、食器洗い乾燥機（図示せず）や自動洗濯衣類乾燥機（図示せず）、その他の家電機器も複数あるが、これらは後で説明する。なお、この「電力指令装置」は、「統合管理装置」又は「集中管理装置」と呼ぶ場合がある。その理由については、後で説明する。
【００４２】
図１において、ＳＬは居住空間ＨＡの天井を構成する壁面を示す。６は、居住空間ＨＡ２の室内の気温と湿度を検出する複合センサー（温度・湿度センサー）であり、環境センサーの１種である。７は、居住空間ＨＡ１の室内気温と室内湿度を検出する温度・湿度センサーであり、環境センサーの１種である。８は、家屋の外部空間に設置された温度センサーであり、環境センサーの１種である。
【００４３】
前記複合センサー６、温度センサー８、温度・湿度センサー７は、測定された温度や湿度を無線又は電気信号で後述する電力指令装置５の環境検知部９に送信する機能を有している。またその電源は充電された電池でも良いし、前記電源線１からの電力でも良い。またこれらセンサーの消費電力は１Ｗ（ワット）程度の小さいものであるため、前記電源線１からの電力で運転する場合でも、電力指令装置５の電力制限対象にはしていない。これら環境センサーは、所定のタイミングで電力指令装置５へ計測データを継続的に送信している。例えば、空気調和機３のある居住空間（寝室）ＨＡ２においては、１０分間隔で、またキッチンでは５分間隔で気温と湿度が計測されている。
【００４４】
図示していないが、上記したものの他に、環境センサーの１種として、空気中の花粉の飛散量を測定する花粉センサーと、空気中の単位容積あたりの塵埃量を測定する塵埃センサーと、室内の騒音の大きさを検知する騒音センサーと、室内の明るさを検知する照度センサーとが、各居住空間内のそれぞれ適当な位置に設けてある。また前記温度・湿度センサー７の他に、室外又は家屋の外部の気温と湿度を検知する温度センサーや湿度センサーを設けても良く、花粉センサーは、室内だけではなく室外（例えば家屋の外壁表面や窓の外枠、ベランダ、屋上等）にも設置しても良い。なお、この環境検知部９自体は、前記電力指令装置５の本体５Ａと離れた場所、あるいは別の居住空間に設置してあり、その本体５Ａと無線又は有線で接続されている場合も、本発明では「電力指令装置５に備えている」と定義している。
【００４５】
図１において、１０は、人間が自然に発する赤外線を検知して居住空間ＨＡ１の中に人間が居るかどうかを検知できる人感知センサーである。１１は、同じく人間が自然に発する赤外線を検知して居住空間ＨＡ２の中に人間が居るかどうかを検知できる人感知センサーである。なお、この他の居住空間ＨＡにもこのような人感知センサーを設置しても良い。
【００４６】
前記人感知センサー１０、１１は、人が居るかどうかを検出した結果を、無線又は電気信号で後述する電力指令装置５の人検知部１２に送信する機能を有している。またその電源は、事前に充電された電池でも良いし、前記電源線１から分岐して供給される電力を使用しても良い。またこれらセンサーの消費電力は１Ｗ〜数Ｗ程度の小さいものであるため、前記電源線１からの電力で運転する場合でも、電力指令装置５の電力制限対象にはしていないので、所定のタイミング（例えば１０秒毎）で電力指令装置５へ計測データを継続的に送信している。なお、人感知センサー１０、１１は、赤外線式だけに限定されず、他の方式、例えば超音波方式のものを採用しても良い。
【００４７】
引き続いて図１を説明する。１３は、前記ＴＶ受像機２のチューナ（図示せず）に接続されている屋外アンテナ、１４Ａは、前記電力指令装置５に接続されたルーターＡであり、このルーターＡは、電力指令装置５を電力会社やその家屋の地域に情報を発信する地域地震情報提供機関等の外部機関１５Ａにインターネット等の広域通信回路網（「通信ネットワーク」又は「インターネット」と称する場合がある）１６を介して接続している。
【００４８】
１４Ｂは、前記ＴＶ受像機２に接続されたルーターＢであり、このルーターＢは、前記ＴＶ受像機２を、前記広域通信回路網１６を介して外部機関１５Ｂに接続している。この外部機関１５Ｂは、例えば放送番組を提供する放送局や、医療・健康管理情報・運動計測（運動管理）情報を提供する公的機関や民間会社等であるが、これら以外であっても良い。前記２つの外部機関１５Ａ、１５Ｂは別々のものであっても良く、また同じ機関であっても良い。
【００４９】
運動計測情報を提供する民間会社等とは、例えば、本格的なトレーニングプログラムを希望者へ提供し、また当該希望者が実施した各種運動（歩行、走行、ダンスやヨガ等）のデータや、それら運動した人の体組成バランス（例えば、体脂肪の率）や活動消費カロリー等の各種データを管理する組織をいう。怪我や病気で運動機能が低下した人に対し、その運動機能の改善を目的としたリハビリ情報を提供する機関も含まれている。
【００５０】
図１において、２０は、本発明の対象となる保湿用空気供給機であり、１つの居住空間ＨＡ１の中に設置されたベッドやソファ等の寝具２１の近くに置いて使用される。２２は、その保湿用空気供給機２０を置くためのサイドテーブル等の家具である。
【００５１】
図１において、２３は、寝具２１の近くに置いて使用される睡眠判定部である。この睡眠判定部２３には、１つ又は複数の睡眠センサーを有している。ＨＭは、居住者である。図１では寝具２１の上に寝ている状態である。なお、前記睡眠センサーは、例えば、居住者ＨＭの体（脚や指を含む）の一部に装着され、血圧や心拍、体温等を計測するようになっている。前記睡眠センサー２４と睡眠判定部２３との間は、無線通信や有線通信で計測データを送信するように構成されている。また生体から直接体温データ等を取得することに代えて、非接触で計測するセンサーであっても良い。さらに、睡眠判定部２３に近距離無線通信機能を備えることにより、後述する近距離無線通信機能（ＮＦＣ機能）を備えた情報通信端末機器２５から、近距離無線通信によって直接睡眠に関する生体データを受信できるようにしても良い。
【００５２】
次に図２を参照しながら、この家庭の外部の通信環境を説明する。なお、この実施の形態１の電力指令装置５は、ルーターＡ１４Ａを介して外部機関１５Ａに通信ネットワークで接続されているが、一般にホーム・ゲートウエイと呼ばれる機器を使用しても良い。この場合のホーム・ゲートウエイとは、インターネット接続やデジタル放送，ＩＰ電話などの各種デジタル情報メディアと，電力指令装置５やデジタル家電機器などの端末の間に設置する家庭内用機器をいい、それら電力指令装置５等をネットワーク化して制御したり，通信・放送メディアから受け取ったりした情報をそれら電力指令装置５やデジタル家電機器に伝達する役割を担うものである。常時接続型のブロードバンド・サービスで，インターネット接続に加えてＩＰ電話やコンテンツ配信サービスを提供している際に，事業者がこのような家庭の居住者（使用者）に貸し出すルーターを「ホーム・ゲートウエイ」と称する場合が多い。
【００５３】
前記電力指令装置５は、図１では広域通信回路網１６を介して外部機関１５Ａに接続されていたが、実際にはこの図２に示すように、広域通信回路網１６は、１６Ａと１６Ｂの２つから構成されており、また中継サーバー２６と、それぞれの広域通信回路網１６Ａ、１６Ｂを介して外部機関１５ＡのＡＳＰ（「アプリケーション・サービス・プロバイダー」のことをいう）サーバー２７にアクセスする。このＡＳＰサーバー２７には、後述するように各種データベースが設けられており、多数の住宅に対応して後述する各種情報を記憶するように構成されている。つまり、このＡＳＰサーバー２７は、情報サーバーとしての機能を保有するので、以後、情報サーバー２７と呼ぶ。
【００５４】
前記情報サーバー２７は、各種家電機器ＥＥの主に制御手段及び情報提供手段として機能するもので、家電機器ＥＥの製造業者（メーカ）、販売業者、修理業者、あるいは情報サービス提供業者等の組織が、単独で、又は２つ以上の組織が共同で設置しており、家電機器ＥＥに関する各種サービスを、広域通信回路網１６Ａ、１６Ｂを介して利用者に提供するものである。
【００５５】
前記情報サーバー２７には、このサーバーのホストコンピュータとして機能する中央演算処理装置２７ＣＰと、広域通信回路網１６に接続されて情報の授受を行う通信手段である通信部２７ＩＦと、前記家電機器ＥＥのアプリケーション・ソフトウェアを記憶し、また改善ソフトウェアを蓄積している改善ソフトウェア（対策プログラム）提供部２７Ｓと、家電機器ＥＥの使用者を特定する利用者特定用データベース（「使用者情報データベース」ともいう）２７Ｕと、家電機器ＥＥの製造業者（メーカ）が提供した技術情報を蓄積したメーカ側情報データベース２７Ｍと、が設けられている。
【００５６】
前記情報サーバー２７は、一般に「Ｗｅｂサーバー」（以下「ウェブサーバー」という）と呼ばれているもので良い。ウェブサーバーは、ＨＴＴＰ（ＨＴＭＬ文書や画像などのデータをＷｅｂサーバーとＷｅｂブラウザ間でやり取りするために使われるプロトコル）に則り、各種情報通信端末機器２５、各家庭等にあり情報通信機能を備えた前記電力指令装置５、あるはその他パーソナル・コンピュータ等のような、「情報を受け取る側」の情報処理機器（クライアント）側ソフトウェアのウェブ・ブラウザに対して、ＨＴＭＬやオブジェクト（画像など）の表示情報を提供するサービスプログラム及び、そのサービスが動作するサーバーコンピュータを指す。なお、ウェブ・ブラウザは、「インターネットブラウザ」、又は「ＷＷＷブラウザ」ともいい、「Ｗｏｒｌｄ  Ｗｉｄｅ  Ｗｅｂ」の利用に供するブラウザである。
【００５７】
前記利用者特定用データベース２７Ｕには、利用者からの、所謂ユーザー登録により受け付けた情報として例えば情報サーバー２７へのログインＩＤやパスワードなどの利用者固有情報、ルーターＡ１４Ａのネットワークアドレス（ＭＡＣアドレス）などの設定情報、特定の家電機器ＥＥのネットワークアドレスや種類、型名といった固有の情報（前記した「識別情報」を含む）が記憶されている。つまり、前記家電機器ＥＥの使用者情報を、検索可能な状態で蓄積する機能を備えている。
【００５８】
前記アプリケーションデータベース２７Ｂには、居住空間の外部、例えば居住者の勤務先や外出先等の遠隔地から、電力指令装置５又は家電機器ＥＥを遠隔制御することができるようにした制御用アプリケーション・ソフトウェアが格納・記憶されている。これにより、後述する情報通信端末機器２５、例えばスマートフォンと呼ばれている端末機器から情報サーバー２７にアクセスして制御用アプリケーション・ソフトウェアをダウンロード（読み込み）することにより、前記遠隔制御を実現することができる。
【００５９】
情報サーバー２７には、家電機器ＥＥの特定の機種モデルに対応して、家電機器ＥＥの動作プログラムの内容を改善した「改善ソフトウェア」が保管してあり、それを電力指令装置５が広域通信回路網１６を介して入手した場合、当該改善ソフトウェアは、電力指令装置５の入出力部３０Ｃ（図３参照）を介して電力指令装置５から家電機器ＥＥ側へ提供される。なお、ここでいう「改善ソフトウェア」は、「対策ソフトウェア」と同じである。改善ソフトウェアは、１回作成されるだけではなく、必要に応じ、さらに改善したバージョン・アップ版が用意される場合がある。
【００６０】
この実施の形態１でいう情報通信端末機器２５とは、使用者が気軽に携帯して屋内や屋外、その他外出先等で通話やデータ（メール情報を含む）の通信を行える携帯用通信機器のことである。インターネットで文字情報や画像、音楽等をダウンロードしたり、メールを送信・受信したり、遠隔操作信号を発信できる機器であるが、通話できない機器でも良く、そのような携帯用通信機器を総称して情報通信端末機器２５と呼んでいる。なお、小型の携帯用パーソナル・コンピュータも情報通信端末機器の一種である。
【００６１】
本実施の形態１における情報通信端末機器２５は、各家電機器ＥＥの入出力部に数センチメートル程度接近させ（又は接触させても良い）、近距離通信で信号の授受をさせる機能を備えている。なお、この近距離通信とは、Ｎｅａｒ  Ｆｉｅｌｄ  Ｃｏｍｍｕｎｉｃａｔｉｏｎ（略称：ＮＦＣ）としてとして知られている無線通信の国際規格技術のことである。
【００６２】
このＮＦＣの通信では、保湿用空気供給機２０を含む家電機器ＥＥ側に、いわゆる無線タグ（ＮＦＣタグ）が埋め込まれている。当該ＮＦＣタグは、ＮＦＣ用の通信制御ＩＣ（以下、「ＮＦＣ制御回路」という）２８（図６参照）と、この制御回路に接続されていて、外部から所定の周波数の無線を受けると前記制御回路のための電力が発生するアンテナ２９と、前記ＮＦＣ制御回路に接続されているマイクロチップメモリー（以下、「ＮＦＣ記憶部」３１という）とから構成されている（図６参照）。
【００６３】
一方、情報通信端末機器２５側では、そのＮＦＣタグを介して家電機器ＥＥの前記ＮＦＣ記憶部３１からデータを読み取る（「ステータス情報を取得する」ともいう）こと、さらには、逆に情報通信端末機器２５側から制御データ（「制御コマンド」ともいう）を前記家電機器ＥＥのＮＦＣ記憶部３１へ送り、家電機器ＥＥの制御装置３３（「ホストコンピューター」ともいう）が、前記ＮＦＣ記憶部３１に記憶された前記制御コマンドに従って制御動作することができる（このような形式のＮＦＣタグを、「アクティブ・タグ」と呼ぶ場合がある）。
【００６４】
この実施の形態１のＮＦＣは、家電機器ＥＥの内部記憶装置にある情報を、情報通信端末機器２５側で読み出す機能（このような機能のＮＦＣタグを、「単純タグ」と呼ぶ場合がある）だけではなく、家電機器ＥＥ側の動作も情報通信端末機器２５からの制御コマンドによって起動できる機能まで保有している。つまり、情報通信端末機器２５は、家電機器ＥＥからの各種情報の読み出しだけではなく、ＮＦＣ記憶部３１への書き込み機能を有しており、リーダーとライターの２つの機能を保有している。なお、ＮＦＣの利点は、一般的には通信で交換できるデータの形式を制限しておらず、テキストデータは勿論、動画やＸＭＬデータ等を交換できる点にあると言われている。
【００６５】
図２において、３５は基地局であり、居住者が所有している情報通信端末機器２５を、図２に示すように離れた場所にある勤務先の施設３４の場所で使用した場合に、情報通信端末機器２５との間で通信を行う。
【００６６】
図２において、広域通信回路網９８Ｂには、中継サーバー２６、広域通信回路網１６Ａを介して情報通信端末機器２５の基地局３５が接続されており、情報通信端末機器２５から基地局３５を介して情報サーバー２７やルーターＡ１４Ａにアクセスすることができるようになっている。つまり、この家庭の居住者が所有している情報通信端末機器２５を、図２に示すように離れた場所にある勤務先の施設３４から広域通信回路網１６Ａに接続すれば、情報サーバー２７にアクセスすることができ、電力指令装置５又は電気機器ＥＥの制御用アプリケーション・ソフトウェアをダウンロードすることにより、家庭から離れた施設３４から、電気機器ＥＥを遠隔制御することができる。
【００６７】
この実施の形態１においては、情報通信端末機器２５から保湿用空気供給機２０を含む家電機器ＥＥ側に対する直接的な遠隔操作はできないようにしてある。これは家電機器ＥＥの中には、電熱調理器等のように高熱を発するもの（第２の特定家電機器ＳＰ２）もあるため、家屋の外から多くの人が利用する通信回路を経由して遠隔操作することは、安全面を考慮して採用していない。その代わり、全て電力指令装置５を経由して家電機器ＥＥの操作が可能となるようにしている。なお、家屋の内部では、情報通信端末機器２５はＴＶ受像機２のみを操作できるように制限してある。遠隔制御の内容は後で詳しく説明する。
【００６８】
図３は、本実施形態１の電力制御システムが適用された電力指令装置５や家電機器ＥＥ等のハードウエアの構成例を示したブロック図である。この図３において、５Ａは、前記電力指令装置５の本体で、外形は箱形状をしている。この本体５Ａの内部には、１つの過程で使用できる電力使用限度の設定器や、家電機器ＥＥと電力上限値（家庭内で使用できる総電力）との差を判定する比較器、強制的に電力を削減する場合に、削減すべき家電機器の優先順位の設定手段、及びこれら各構成要素を制御する制御部３６が全て格納されている。
【００６９】
図３において、３７は、電力指令装置５の本体５Ａの正面に設けた表示盤、３７Ａは、その表示盤３７の表示画面である。３８は本体５Ａに内蔵された記憶装置（大容量メモリー）で、例えばＤＶＤ記録装置や各種半導体メモリー、又はハードディスクドライブ装置（ＨＤＤ）等である。また、表示盤３７の表面は、例えばタッチ式パネルで構成されており、電力制御や居住空間ＨＡの気温や湿度等の環境関係の情報を表示する表示部としての機能と、画面に触れることにより使用者からの入力が行われる操作入力部３９としての機能とを有している。この操作入力部３９を操作することにより、電力指令装置５における前記した使用限度設定器の上限電力値や削減すべき家電機器の優先順位の設定が行える。
【００７０】
図３において、３０Ａ、３０Ｂ、３０Ｃは、無線通信を行うための入出力部である。１つの入出力部３０Ａは、各種家電機器ＥＥと無線通信を行うためのものである。入出力部３０Ｂは、前記ルーターＡ１４Ａと無線通信を行うためのものである。３０Ｃは、ＴＶ受像機２と無線通信を行うためのものである。なお、各家電機器ＥＥには、通信機能を内蔵させずに、通信用アダプター１００（図１６で説明する）が１つずつ設置してある。前記通信用アダプター１００は、ＩＥＥＥにより策定された、広く普及している無線ＬＡＮ関連規格の一つである「国際標準規格ＩＥＥＥ  ８０２．１１ｂ」で定める２．４ＧＨｚのＩＳＭ帯と呼ばれる周波数帯域を利用するものである。なお、この実施の形態１では、実際の使用中心周波数は２．４１２ＧＨｚ（２４１２ＭＨｚ）〜２．４７２ＧＨｚに設定されている。
【００７１】
図３において、４０は、ＮＦＣのための無線入出力部である。これは、前記情報通信端末機器２５の無線通信部４１（「無線入出力部」ともいう。図示せず）（図５参照）が所定の距離（約１０センチメートル）まで接近した場合に、情報の授受が行える通信確立状態となり（１つの通信セッションの開始となる）、情報の授受が行えるための入出力部となる。
【００７２】
ＮＦＣ入出力部４０は、電力指令装置５における表示盤３７の操作入力部３９の直ぐ近くの下方に、常時「ＮＦＣ」の文字を表示して設けてある。これにより、ＮＦＣ入出力部４０の設置位置が明確になるようにしてある。
【００７３】
ＴＶ受像機２は、外部機関１５Ｂから緊急的な情報、例えば夏場の日中において、この家庭の総電力量の上限を早急に削減（いわゆる「ピークカット対応」）して欲しいという要請情報がＴＶ受像機２に届いた場合、あるいは緊急地震情報が気象庁や居住地域を担当する地域の防災センターや地震警報センター等から届いた場合等に、それら情報をこの居住空間ＨＡにいる居住者が早期に知ることができる。なお、ＴＶ受像機２を視聴していない場合であっても、緊急遮断情報が発信された場合、当該情報で起動され、情報を報知するようにしたＴＶ受像機は従来から色々提案されているので、ここでは具体的な説明を省略する。
【００７４】
電力指令装置５の電力関連情報、例えばその時点における家庭内の総電力使用量や、外部から電力削減要請を受けていることを示す情報等を、前記電力指令装置５の表示画面３７Ａで表示するのではなく、居住者が集まっている居間等の居住空間に設置されているＴＶ受像器２で表示させることができる。
【００７５】
３６は、前記したように、３つの無線通信用の入出力部３０Ａ〜３０Ｃや、表示画面３７Ａを集中的に制御する制御部である。またこの制御部３６は、後述するように、家電機器ＥＥに対して、電力削減要請信号ＡＳ２、電力削減指令信号ＡＳ３の送信を指令する。保湿用空気供給機２０は、「第１の家電機器」ではないので、電力指令装置５の入出力部３０Ａから前記電力削減要請信号ＡＳ２、電力削減指令信号ＡＳ３を受信することはない。
【００７６】
前記制御部３６には、電力制御関係で専用の「第１の記憶部」となる第１のメモリー（図示せず）３６Ａを保有しており、ブレーカーＢＫに設定された総電力量上限値の情報や、各種家電機器ＥＥの消費電力量を制限するための電力量上限値のデータ、さらには居住者毎に設定された電力上限値等の情報が、それぞれ記憶されている。
【００７７】
また制御部３６には、保湿用空気供給機２０の関係で専用の「第２の記憶部」となる第２のメモリー（図示せず）３６Ｂを保有しており、睡眠判定部２３によって取得された睡眠時間、時刻等の各種データやその解析結果の情報が、それを実際に取得した日付や時刻等の詳細情報と対になって時系列に記憶されている。
【００７８】
さらに、この第２の記憶部３６Ｂには、保湿用空気供給機２０の保湿運転中において、保湿用空気供給機２０が使用された居住空間における環境情報又は環境データ（例えば、気温、湿度）が、その保湿運転時間と対になって時系列で記録される。例えば、入眠時刻が２３時１０分であった場合、それから１０分ごとに環境検知部９によって取得された気温と湿度の環境データが、その時刻情報と共に順次記憶され、睡眠時間帯が例えば２３時１０分から午前５時１０分までの６時間と確定した段階、その６時間平均の気温と湿度が制御部３６によって算出できるようになっている。従って環境データに基づく「環境快適度」等の「環境情報」の生成も可能となる。
【００７９】
なお、前記入出力部３０Ａは、電力指令装置５がインターネット経由で入手した各電気機器ＥＥの動作プログラム改善用の特定のコンピュータ・プログラムソフトウェアを読み込む際に使用される。
【００８０】
図３において、９は前記環境検知部である。この環境検知部は、前記温度・湿度センサー６、７、８で測定された温度や湿度の情報を受け取る。１２は、人感知センサー１０、１１の人感知情報を受け取る人検知部である。
【００８１】
前記環境検知部９には、各居住空間ＨＡの中に、それぞれ照度センサー（図示せず）を設置している。その照度センサーは、居住空間が明るいか暗いかを見分けるためのものであり、例えば前記人検知部１２が、ある居住空間ＨＡに人がいないと判断している状況で、照度センサーが明るい状態であることを示している場合、居住者が照明器具４を点灯したままの状態であることを忘れている可能性が考えられる。そこでこのような場合は、電力指令装置５の制御部３６は、その時点での総電力使用量が使用限度設定器で設定された上限値よりも十分に余裕のある少ない量であったとしても、電気エネルギーの無駄を無くすという観点から照明器具４の消灯を使用者に（表示画面３７ＡやＴＶ受像機２の表示画面を通じて）勧告する。その後、電力指令装置５の制御部３６は消灯指令信号を当該照明器具に発する（但し、当該照明器具４を電力指令装置５の電力削減対象機器になるように、接続しておくことが必要）。
【００８２】
図３において、４３は在宅検知手段（「在宅検知部」ともいう）であり、前記人検知部１２からの人の存在を検知しているかどうかの検知信号を受ける構成になっている。
また居住空間ＨＡの共通した出入口である玄関（図示せず）の外側には、電子錠４２が設置されており、その電子錠に入力された暗証番号や生体情報（例えば指紋情報）に基づいて、居住者が帰宅したことを検知する個人認証手段（図示せず）を備えている。この個人認証装置では居住者からのパスワードの入力に基づいて、居住者であるかどうかを判定するが、その判定結果を前記在宅検知手段４３に送信する構成になっている。
【００８３】
玄関のドアを電子的にロックしている前記電子錠と個人認証手段については、既に多くの構成例が提案されているので詳しく説明しないが、本実施の形態１においては、各居住者（例えば居住者Ａ〜Ｄの４名）にそれぞれ固有のパスワードが割り当てられている。全ての居住者には「４桁の（共通の）数字の後に、個人別数字２文字」というルールでパスワードを決めるように指示されている。居住者Ａのパスワードは「１２３４０１」、居住者Ｂのパスワードは「１２３４０２」、居住者Ａのパスワードは「１２３４０３」となっている。なお、このパスワードは、玄関ドアの電子錠の所に設置してある１０個の入力キー（テン・キー）で入力する。
【００８４】
前記パスワード入力して居住空間の中に入った後、玄関から逆に外に出る際には、パスワード入力は必要ないが、前記人検知部１２が、所定の時間（例えば３０分間）に亘って全ての居住空間ＨＡから人の存在を検知できない場合は、在宅検知手段４３が、全ての居住者が外出しているものと判断し、それまでに入力した全ての居住者のパスワード入力記録を取り消し、在宅状態から留守状態へ検知情報を変更する。
【００８５】
この後、居住者が帰宅した場合は、再度パスワード入力が必要となる。なお、玄関から外出する際に、各居住者が外出することを前記個人認証装置にインプットするようにすれば、更に在宅状態の検知は正確になる。また前記したように、パスワードの入力を省略するため、生体情報（例えば指紋情報）から、居住者が帰宅したことを検知する手段に変えたり、居住者が保持している固有の身分証やＩＤカード等に記録された個人特定情報を、磁気的又は光学的手段で個人認証装置に直接読み込ませたりするという方法でも良いが、詳しい説明は省略する。
【００８６】
図３に示した表示盤３７の表示画面３７Ａでは、前記睡眠判定部２３が判定した睡眠時間関係のデータを、前記情報通信端末機器２５のＮＦＣ入出力部４０から読み出すことができる。つまり、仮に保湿用空気供給機２０と電力指令装置５の入出力部３０Ａとの間で、無線通信ができない状況（例えば一時的な通信障害）であっても、睡眠時間関係の情報の授受が行える。また情報通信端末機器２５で睡眠時間データが取得できることから、情報通信端末機器２５を家庭の外部に持ち出して、遠隔地でその睡眠時間のデータを専門家（例えば医師）に見て貰って質の良い睡眠の助言を得たり、そのデータを加工したりして、帰宅後に、保湿用空気供給機２０に読み込ませ、その夜の保湿運転の時間設定に利用するという便利な利用方法も可能となる。
【００８７】
この実施の形態１でいうアイコンとは、前記した表示画面３７Ａや後述する保湿用空気供給機２０の表示画面１０１の上に表示され、特定の機能の選択が行われるものであり、図形だけではなく、文字でその特定機能を表現している場合も含む。そのアイコンにタッチすれば、そのアイコンに対応付けてある所定の入力が行える。
【００８８】
図１〜図３に示したＴＶ受像機２の表示画面で表示できる情報と、表示盤３７の表示画面３７Ａで表示できる情報とは、基本的に較差はない。つまり電力指令装置５の「動作情報」、環境検知部９の「環境情報」は、ＴＶ受像機２の表示画面でも表示盤３７の表示画面３７Ａでも、同様に表示可能である。但し、ＴＶ受像機２では、通常２０〜６０インチの画面サイズであるのに対し、表示盤３７の表示画面３７Ａの画面サイズは、１０〜１５インチ程度と、数分の１以下と狭いので、全く同じ内容が同じ大きさで表示される訳ではない。当然ながら表示される文字のサイズは小さくなるが、前記した居住空間の温度・湿度表示情報や各種環境情報は、何れも表示される。
【００８９】
以上説明した構成により、ＴＶ受像機２の液晶表示画面と表示盤３７の表示画面３７Ａとの間で、表示される情報の齟齬が生じないようにして、キッチンでも居間でも同じ情報を確認できるようにしている。なお、これら各種情報の表示画面３７Ａでの表示は、前記制御部３６の表示用制御プログラムによって実行される。
【００９０】
（保湿用空気供給機）
次に図４に基づいて前記保湿用空気供給機２０について説明する。
図４において、保湿用空気供給機２０は、所定の温度（例えば４０℃）の高い湿度の空気（蒸気と空気の混合物）を供給し、その高湿度の空気によって居住者が顔等の保湿効果を期待するものである。特に就寝中に用いられることを想定して設計されている。
【００９１】
前記保湿用空気供給機２０は、本体２０Ａ全体の周囲を囲む本体ケース４９と、この本体ケース４９の底面を閉鎖している底板５１と、本体ケース４９の天井面を覆うように、前方方向（図４に示す矢印Ｘ方向）に移動自在に取り付けられたダクト５０との３者によって外郭が構成されている。
【００９２】
前記本体ケース４９の内部には、その後部にカートリッジタンク５６が支持台５８の上に載置されている。そしてこのカートリッジタンク５６の中に入れた水が水受け弁５７を介して、後述する高温空気生成部（ボイラー室）５９の底部へパイプ（図示せず）によって供給されるようになっている。なお、カートリッジタンク５６は、本体ケース４９の中から容易に取り出せ、水を補給できる構造になっている。
【００９３】
５９は、密閉空間である高温空気生成部（ボイラー室）であり、前記カートリッジタンク５６から、常に一定の水位となるように水６０が供給される。なお、高温空気生成部（ボイラー室）５９の外壁面には、電気ヒーター等の電熱源９０（図４参照）が装着されており、保湿運転時には、保湿用の高温蒸気を発生させるために、水６０を蒸気化させることができる。
【００９４】
５５は、クロスフローファン等の電動送風機であり、本体ケース４９の一部に設けた吸込み口（図示せず）から、居住空間ＨＡ内の空気を吸い込み、これを矢印Ｆ１に示すように搬送風（案内風）として保湿用空気供給機２０の前面上部に形成した送風口５３に送る。
【００９５】
前記送風口５３の真下の位置には、送風口５３の横幅寸法と同等な横幅寸法の吹出口５２が設けてある。この吹出口５２は、使用者の指等の異物が入らないようにルーバー（格子）形状になっている。この吹出口５２から吹き出された４０℃程度の高湿度の空気が、送風口５３からの冷たい空気流によって上昇することを抑制されながら、前方（図４の矢印Ｘ方向）へ送りだされることにより、吹出口５２から１メートル（ｍ）以下、例えば７０ｃｍ〜８０ｃｍ程度の位置では、直径が３０ｃｍ程度で、湿度が４０％〜５０％の適度な湿度の空間が生成される。その空間の位置に使用者の顔があれば、顔の湿度を適度に保つ効果が期待できる。なお、吹出口５２から吹き出される高湿度の風の速度は、秒速２５ｃｍ程度の遅いものであり、使用者にやさしい風、不快感を与えない風になるように前記電動送風機５５の送風量や前記高温空気生成部（ボイラー室）５９の蒸気発生量が調整されている。
【００９６】
５４は、一端開口部が前記電動送風機５５の送風空間に、また他端開口部が前記送風口５３を構成するダクトである。６１は、前記高温空気生成部（ボイラー室）５９の上部に連結されている混合室であり、その背面側には、前記ダクト５４の途中から分配された空気を、矢印Ｆ２に示すように導入する連通孔（図示せず）が形成されている。
【００９７】
前記ダクト５０の終端部の天井部には、左側の先端方向に向かうに従って下がるように全体が傾斜した風向板５０Ａが設置されている。この風向板は、吹き出される風（Ｆ１）を下向き方向にする効果がある。
【００９８】
前記本体ケース４９の前面（正面）には、その上部に、液晶画面９５を利用したタッチパネルが配置されているため、この液晶画面９５が入力操作部７１（図６参照）を兼ねている。前記液晶画面９５の下方近傍には、近接通信のためのタッチ位置を示す表示部６３が設けてあり、この表示部は、近距離通信（ＮＦＣ）用入出力部でもある。６４は、前記近距離通信（ＮＦＣ）用入出力部６３を内側から光で照らすための発光ダイオード素子（ＬＥＤ）である。以下、この液晶画面９５と表示部６３の両者を総称して「表示画面」又は「タッチ式表示画面」１０１と呼ぶ。
【００９９】
前記本体ケース４９の前壁（正面壁）６１には、その上部に、液晶画面９５を利用したタッチパネルが配置されている。前記液晶画面９５の下方近傍には、近接通信のためのタッチ位置を示す表示部６３が設けてあり、この表示部は、近距離通信（ＮＦＣ）用入出力部でもある。６４は、前記近距離通信（ＮＦＣ）用入出力部６３を内側から光で照らすための発光ダイオード素子（ＬＥＤ）である。
【０１００】
７０Ａは、前記本体ケース４９の前壁（正面壁）６１に押圧操作可能に支持された主電源スイッチ７０（図６参照）の押しボタンである。６９は、保湿用空気供給機２０のホストコンピュータとして機能する制御装置３３の中核を構成するマイクロコンピューターや、前記発光ダイオード素子（ＬＥＤ）、液晶画面９５の駆動用電子回路部品等を実装した回路基板である。
【０１０１】
６７は、情報通信端末機器２５の置き台であり、非接触給電部を内蔵しているため、この置き台に情報通信端末機器２５を置いておくだけで自動的に充電することができる。
【０１０２】
６８Ａは、電力指令装置５の入出力部３０Ａとの間で直接無線通信を行うための通信アンテナ部であり、前記液晶画面９５の後方の空間内に水平に設置されている。この通信アンテナと送受信回路（図示せず）とによって無線通信用の入出力部６８を構成している。
【０１０３】
（情報通信端末機器２５の内部構成）
図５において、情報通信端末機器２５は、液晶表示基板等から構成された表示画面７３Ａを有する表示部７３と、使用者が操作する複数の入力キーを有する操作入力部（操作部）７４と、無線インターフェース（無線入出力部）４１と、姿勢検知部７５と、マイクロコンピューターを内蔵した制御部７６と、操作場面に応じた複数種類の合成音声を出力し、かつ必要に応じて情報通信端末機器２５を振動させる小型バイブレータを内蔵した報知部８７と、を備えている。このバイブレータは、前記報知部８７から音声を出す（鳴動）するときに、それと同期して情報通信端末機器２５自体を振動させることができ、これにより表示部７３だけでは確実に使用者に対して操作状況や通知の着信等を伝えることができない状況でも、音と振動でそれを補うことができる。
【０１０４】
無線入出力部４１は、２つの入出力部から構成され、その１つは、前記広域通信回路網（通信ネットワーク）１６との間で所定の通信を行う無線入出力部４１Ａであり、他の１つは、前記電力指令装置５のＮＦＣ入出力部４０及び保湿用空気供給機２０のＮＦＣ入出力部６３との間で、それぞれ近距離無線通信する無線入出力部４１Ｂである。
【０１０５】
前記表示部７３、操作部７４と、無線入出力部４１、姿勢検知部７５、制御部７６、報知部８７は、図示していないが、信号回路で相互に接続されている。前記姿勢検知部７５には、ジャイロセンサーを備えており、使用者が情報通信端末機器２５を（左右・前後方向に）傾ける際の姿勢を検出して、当該姿勢を示す信号を前記制御部７６に出力する。
【０１０６】
制御部７６は、大きく分けて中央演算処理装置（ＣＰＵ）７７と、半導体記憶素子を主体に形成された記憶部７８とを備える。ＣＰＵ７７は、記憶部７８の中にあるＲＯＭ、ＲＡＭ部７９に格納されている制御プログラムに従って、情報通信端末機器２５全体の処理を実行するものであり、処理を実行する過程で必要なデータを前記ＲＯＭ、ＲＡＭ部７９から読み出したり、処理を実行する過程で生成したデータを、前記ＲＯＭ、ＲＡＭ部７９に格納したりする。
【０１０７】
８６は、記憶部７８の一部を構成する半導体製の不揮発性メモリーである。このメモリー８６には、前記無線入出力部４１から読み込んだ各種情報（睡眠時間の情報を含む）を記憶させておくことができる。また、電力指令装置５から読み込んだ各種電気機器ＥＥの運転状況を示す情報、睡眠時間の情報や、環境検知部９から提供された環境情報、「異常発生情報」、及び情報サーバー２７から送信された情報、後述する対策ソフトウェア等が一時的に記憶・蓄積される。この「一時的」という意味は、使用者が特に消去の指令操作をしない限り保存される場合や、１ケ月又は１週間等の一定期間だけ自動的に記憶保持され、その期間経過後には自動消去される場合を指す。
【０１０８】
前記記憶部７８には、前記アプリケーション・ソフトウェア部８０が含まれ、このアプリケーション・ソフトウェア部８０には、受信処理部８１、送信処理部８２、通信確立部８３、表示制御部８４、選択確定部８５、メモリー８６が含まれている。
【０１０９】
前記「異常発生情報」とは、電力指令装置５の制御部３６が、家電機器ＥＥ、例えば保湿用空気供給機２０から、その電熱（加熱）源９０（図６参照）の緊急停止を示す信号を受けた場合に、新たに生成する特別な情報である。この異常発生情報は、前記情報通信端末機器２５と、情報サーバー２７で認識される専用情報である。つまり、家庭の外部へ家電機器ＥＥの異常発生を知らせるための情報である。この異常発生情報には、電気機器ＥＥの個別の異常発生データ（例えば、電圧値や温度、温度上昇速度など）も含まれる。
【０１１０】
前記記憶部７８には、保湿用空気供給機２０等の家電機器ＥＥのアプリケーション・ソフトウェアを格納することができるアプリケーション・ソフトウェア部８０がある。このアプリケーション処理部８０は、また電力指令装置５の表示盤３７のためのアプリケーション・ソフトウェアも格納する。アプリケーション・ソフトウェア部８０のソフトウェアは、情報通信端末機器２５の外部からインストールされたものでもよいし、情報通信端末機器２５の出荷時から記憶部７８に格納されているものでもよい。つまり、情報サーバー２７から送信された対策ソフトウェアプログラムも、この記憶部７８に格納される。
【０１１１】
ＣＰＵ７７が上記のアプリケーション・ソフトウェア部８０に従って処理を実行することによって、所定の受信処理部８１、送信処理部８２、通信確立部８３、表示制御部８４、選択確定部８５、の各機能が実現される。これら各部分の動作について後で説明する。
【０１１２】
次に図６について説明する。この図６は、保湿用空気供給機２０における表示画面１０１と、近距離無線通信用入出力部６３を中心に説明するブロック図である。
前記表示画面１０１を構成している液晶表示基板９５の表示画面は、周知のドットマトリックス型液晶表示画面である。また高精細（３２０×２４０ピクセルの解像度を備えているＱＶＧＡや６４０×４８０ドット、１６色の表示が可能なＶＧＡ相当）の画面を実現でき、文字を表示する場合でも多数の文字を表示することができる。前記液晶表示画面は１層だけではなく、表示情報を増やすために上下２層以上で表示するものを使用しても良い。
【０１１３】
（保湿用空気供給機の回路構成）
図６において、９１は、前記表示画面１０１の駆動回路である。この駆動回路は前記制御装置３３と接続されている。 
駆動回路９１は、表示用メモリー９１Ａ、表示コントローラー９１Ｂ、インターフェース９１Ｃ、電源９１Ｄ、コモンドライバー９１Ｅ、およびセグメントドライバー９１Ｆを備えている。 
【０１１４】
駆動回路９１は、図６に示している通り、電源回路９２からの電力により動作し、インターフェース９１Ｃにより制御装置３３の内蔵メモリー３３Ｒから表示用の画像情報を取得する。このメモリー３３Ｒを、以下「記憶部」と呼ぶ。表示用メモリー９１Ａは、制御装置３３から取得した画像情報を記憶する。
【０１１５】
図６において、表示コントローラー９１Ｂは、表示用メモリー９１Ａに記憶された画像情報を読み出し、この画像情報に基づいて、コモンドライバー９１Ｅおよびセグメントドライバー９１Ｆを継続的に駆動する。コモンドライバー９１Ｅおよびセグメントドライバー９１Ｆは、表示画面１０１の各画素に対応して設けられた互いに交差する電極に電圧を印加することで液晶を駆動する。
【０１１６】
前記駆動回路９１は、表示用メモリー９１Ａに記憶された画像情報を、必要な都度表示画面１０１に表示させる。なお、表示コントローラー９１Ｂによって表示画面１０１に表示させる情報は、後述するように異常の種類や原因等が分かるように、文章化されたテキストデータも含まれる。
【０１１７】
図６において、２８は所定の位置に配置されたＮＦＣタグの一部を構成するＮＦＣ用の通信制御ＩＣ（ＮＦＣ制御回路）である。２９は、このＮＦＣ制御回路２８に接続されていて、外部から所定の周波数の無線を受けるとＮＦＣ制御回路２８のための電源となる誘導電力を発生させアンテナである。３１は、前記ＮＦＣ制御回路２８に接続されているマイクロチップメモリー（前述した「ＮＦＣ記憶部」と同じ）である。このメモリーを以下「第２の記憶部」と呼ぶ。
【０１１８】
図６において、６４は、前記ＮＦＣ用入出力部６３を構成するアンテナ２９部分の近傍を囲むように設置された発光ダイオード素子（ＬＥＤ）である。このＬＥＤによって近接通信のためのタッチ位置を示す表示部６３（前記近距離通信用入出力部と同じ）は、本体ケース４９の前面壁（正面壁）の内側から光で照らされるので、使用者は、保湿用空気供給機２０と情報通信端末機器２５との間でＮＦＣ通信状態を確立させる場合に、情報通信端末機器２５を接近させる位置が容易に分かる。
【０１１９】
前記ＬＥＤ６４は、常時発光していなくとも良く、制御装置３３によって駆動回路９１の動作と連携するようになっているため、近距離通信（ＮＦＣ）機能のある情報通信端末機器２５等で、睡眠時間データや、詳しい異常内容と対処方法等の情報が得られる旨表示することに同期して、駆動回路３５により所定タイミングで点灯される。なお、点灯から一定時間経過後、ＬＥＤ６４を自動消灯する構成にしても良い。
【０１２０】
表示部駆動回路９１は、制御装置３３を構成するマイクロコンピューターとは別の、専用のマイクロコンピューターによって構成されているが、同じマイクロコンピューターで構成しても良い。
【０１２１】
図６において、９３は、リアルタイム・クロックとも呼ばれている時計回路であり、後述する主電源スイッチ７０に繋がる電源回路９２とは別の専用電源（内蔵電池）から電源が供給され、長期間に亘って駆動されるようになっている。これは例えば電波時計でも良く、常に制御装置３３から求めがあれば、現在の日にちと正確な時刻を秒単位で知らせるものである。このため、保湿用空気供給機２０の製造段階で正しい日時にセットされている。従って、保湿用空気供給機２０の主電源を切り、その後再度主電源を投入しても、この時計回路の時刻情報は影響受けず、常に最新の正しい時刻を制御装置３３に伝える機能がある。このため、前記制御装置３３の記憶部３３Ｒに記録される各種情報は、常に正確な時間が同時に記録されて保存されることになる。従ってＮＦＣ用入出力部６３から情報通信端末機器２５によって外部に読み出される異常監視データには、前記した発生時刻情報が付加されている。これにより後でデータを分析する際に、時間経過が正確に把握できる。
【０１２２】
前記制御装置３３は、電力指令装置５に対して睡眠時間を把握するために、入眠時点の時刻データ等のような、リアルな情報の提供を求める場合がある（これは、図７で説明する）。つまり、睡眠判定部２３を利用した電力指令装置５による睡眠時間の判定結果を待つのではなく、制御装置３３自ら入眠時刻、覚醒時刻等のタイミングを示す情報から実際の睡眠時間帯を把握できる機能がある。
【０１２３】
図６において、７０Ａは、前記したように主電源スイッチ７０の操作ボタンであり、一度押すとスイッチは閉（ＯＮ）となり、次に押すと開（ＯＦF）となり、以後これを繰り
返す。
【０１２４】
次に図７について説明する。図７は、本発明の実施の形態１に係る電力指令装置５と保湿用空気供給機２０の制御動作を示すタイムチャート（説明図）である。
図７は、保湿用空気供給機２０の運転開始にあたり、電力指令装置５から睡眠時間のデータを取得して、保湿運転開始するという場合のものである。
【０１２５】
以下、各動作Ｔ１〜Ｔ１３について説明する。
使用者が、保湿用空気供給機２０の主電源スイッチ７０をＯＮし（Ｔ１）、「睡眠時間対応モード」ともいう「お任せモード」を選択すると、この選択結果を示す信号が保湿用空気供給機２０から電力指令装置５に送信される（Ｔ２）。この送信は、前記無線通信用の入出力部６８から行われる。
【０１２６】
電力指令装置５の制御部３６は、睡眠判定部２３に対して、睡眠センサー２４を起動して睡眠時間のデータを取得するように指令する（Ｔ３）。すると睡眠判定部２３は、睡眠センサー２４を起動する。
【０１２７】
その後、使用者が入眠し、睡眠判定部２３が「入眠状態になった」と判定した場合、その時点の時刻情報が制御部３６へ報知される（Ｔ４）。制御部３６は、前記入眠時刻のデータを、即時保湿用空気供給機２０の無線通信用の入出力部６８から制御装置３３へ送信する（Ｔ５）。
【０１２８】
保湿用空気供給機２０では、制御装置３３が、電力指令装置５の制御部３６から通知された入眠時刻等のデータを記憶部３３Ｒに記憶させる一方、電熱源９０に通電開始し、高温空気生成部（ボイラー室）５９で水蒸気の発生を開始する。そして蒸気が発生する段階で電動送風機５５にも通電開始して送風を開始する。これにより保湿空気の供給が開始されるので、制御装置３３は保湿運転を開始したことを電力指令装置５へ通知する（Ｔ６）。
【０１２９】
なお、図７においてＴ２からＴ５の時点までの時間Ａが３０分と記載しているが、この時間は、使用者が入眠するまでの時間に依存するので、毎回（入眠の都度）同じではない。この図７の例では、お任せモードを使用者が設定し、そのあと就寝したが、入眠と判定された時点は前記お任せモードの設定から３０分後であったことを示している。
【０１３０】
保湿用空気供給機２０の制御装置３３は、その中核部分をマイクロ・コンピュータ（以下、「マイコン」という）で実現しているが、そのマイコンの動作を決めるコンピュータ・プログラムでは、保湿運転の開始を使用者が操作部７１を介して指令した場合、その指令（図７のＴ２時点）から、保湿運転を経て、睡眠時間帯を保存（記憶）処理する時点（図７のＴ９の時点）までの、最長の運転時間が定められている。例えば、この時間は１０時間になっている。この運転時間の上限設定は、安全上の観点から設けたものである。このような最長８時間のシーケンスを実行するように、保湿用空気供給機２０の制御装置３３には、保湿運転プログラムが格納されている。なお、この最長運転時間は、使用者によって延長又は短縮できる。
【０１３１】
次に、保湿用空気供給機２０では、制御装置３３が予め決められた時間（この例では３時間＝１８０分間で、「保湿運転時間Ｂ」）だけ、上記した保湿運転を行い、所定の時間が経過した段階で自動的に電熱源９０への通電を停止し、そのあと数分して電動送風機５５への通電も停止し、保湿用空気の供給を停止する。そしてこの保湿運転終了を電力指令装置５へ通知する（Ｔ７）。なお、ここでいう「保湿運転」とは、電熱源９０によって所定量の高温水蒸気が発生してから、その電熱源９０の通電を停止し、電動送風機５５を停止した時点までの期間をいう。電熱源９０に通電開始しても、直ぐに高温蒸気が発生しないので、その途中段階は、保湿運転には該当しない。また電熱源９０の通電を停止しても、直ちに水蒸気の発生が停止しないが、電動送風機５５の通電停止以降は、保湿運転時間としてカウントしない。なお、カートリッジタンク５６の容量に限界があるため、保湿運転の時間を長くすることには限界があるので、前記電熱源９０の通電を間欠的に行うようにしても良い。
【０１３２】
その後、使用者が覚醒し、睡眠判定部２３が「覚醒状態になった」と判定した場合、その時点の時刻情報が制御部３６へ報知される（Ｔ８）。制御部３６は、前記覚醒時刻のデータを、即時保湿用空気供給機２０の無線通信用の入出力部６８から制御装置３３へ送信する（Ｔ９）。この例では、入眠時点Ｔ５から覚醒時点Ｔ９までの経過時間が３６０分であり、睡眠時間が６時間であったことが保湿用空気供給機２０の制御装置３３で分かる。そのため制御装置３３は、このような一連のデータを記憶部３３Ｒと、ＮＦＣ記憶部３１に、それぞれ記憶させる。またこの睡眠時刻データの取得日時もセットにして記憶させておく。なお、ＮＦＣ記憶部３１に記憶させておくのは、この保湿用空気供給機２０の主電源を切った状態でも、情報通信端末機器２５がデータを読み出せるようにするためである。
【０１３３】
一方、電力指令装置５では、睡眠判定部２３が、Ｔ４からＴ８の時刻における生体データとその変化を一連のデータに集約・整理し（Ｔ１０）、この結果を制御部３６に報知する（Ｔ１１）。制御部３６は受け取った生体データや睡眠時間のデータ（入眠時刻、覚醒時刻、日時）を基礎にして睡眠時間帯のデータを作り、就寝者を示す識別コードや日時データ、保湿運転の行われた居住空間名（位置コード）等とセットにして、第２の記憶部３６Ｂに記憶させる（Ｔ１２）。そして睡眠判定部２３に判定動作を終了するように指令する（Ｔ１３）。
【０１３４】
以上の説明から明らかなように、この保湿用空気供給機２０では、保湿用空気供給機２０を起動した段階（主電源スイッチ７０をＯＮした時点）で、使用者の睡眠時間に関するデータが全くない状態であっても、最初に睡眠時間対応モード（お任せモード）を選択するだけで、実際の睡眠時間に対応してその睡眠中に保湿運転を自動的に開始し、また終了させることができる。なお、上記したように保湿運転時間Ｂは３時間であったので、通常では殆どの人の睡眠時間よりも短く、制御装置３３の制御プログラムで規定されている標準条件通りに３時間運転しても、覚醒前に保湿運転を終了させることができる。
【０１３５】
次に図８について説明する。図８は、本発明の実施の形態１に係る電力指令装置５と保湿用空気供給機２０の制御動作を示すタイムチャート（説明図１）である。
図８は、保湿用空気供給機２０の運転後、情報通信端末機器２５が保湿用空気供給機２０から、睡眠時間のデータを取得して、睡眠時間データを変更し、そのデータを再び保湿用空気供給機２０へ記憶させ、次回の保湿運転に利用するという場合のものである。なお、保湿用空気供給機２０が、電力指令装置５から睡眠時間データを取得する方法については、既に図７で説明している。
【０１３６】
以下、各動作Ｔ２１〜Ｔ３１について説明する。なお、この動作タイミングＴ２１〜Ｔ３１は、図７に示した動作タイミングＴ１３に連続するものではない。
【０１３７】
使用者が、情報通信端末機器２５を保湿用空気供給機２０のＮＦＣ入出力部６３に接近させると、情報通信端末機器２５と保湿用空気供給機２０との間の通信セッションが確立される。そのため、情報通信端末機器２５から睡眠時間データの読み出し要求の信号を保湿用空気供給機２０へ発信する（Ｔ２１）。
【０１３８】
保湿用空気供給機２０では、これに応えて、情報通信端末機器２５に対し睡眠時間データの読み出し許可の信号を送る（Ｔ２２）。保湿用空気供給機２０では、制御装置３３が情報通信端末機器２５に対し睡眠時間データの読み出し指令の信号を送る（Ｔ２３）。
【０１３９】
次に、情報通信端末機器２５が、保湿用空気供給機２０側のＮＦＣタグを介してＮＦＣ記憶部３１に記憶させてある睡眠時間データの読み出す（Ｔ２４）。情報通信端末機器２５では、入手した睡眠時間データを記憶部７８に一時的に記憶させ（Ｔ２５）、またそのデータを表示部７３に表示させ（Ｔ２６）、さらにデータの一部を変更（例えば覚醒時刻を１時間早め、睡眠時間を全体として１時間短縮）し（Ｔ２７）、その最終データを再び記憶部７８に記憶させる（Ｔ２５の時点のデータに上書き）（Ｔ２８）。
【０１４０】
情報通信端末機器２５では、今度は逆に保湿用空気供給機２０に対して、変更した睡眠時間データを記憶させるため、書き込み要求の信号を送る（Ｔ２９）。これに応答して保湿用空気供給機２０から書き込み許可の信号が届く（Ｔ３０）。そこで情報通信端末機器２５に一時的に記憶してある睡眠時間データを書き込む指令を送る（Ｔ３１）。
なお、上記した各動作タイミングＴ２１〜Ｔ２４、Ｔ２９〜Ｔ３１は、情報通信端末機器２５と保湿用空気供給機２０との間の通信セッションが確立されている期間中に行われる。また保湿用空気供給機２０の主電源スイッチ７０はＯＦＦにしておいたまま、上記の動作Ｔ２１〜Ｔ３１を実施できる。
【０１４１】
次に、図９について説明する。図９は、本発明の実施の形態１に係る保湿用空気供給機２０の制御動作を、情報通信端末機器２５との関係で説明するタイムチャート（説明図２）である。
【０１４２】
図９は、保湿用空気供給機２０の運転開始の直前で、情報通信端末機器２５から睡眠時間データを取得して、保湿運転を開始する、という事例である。なお、情報通信端末機器２５が睡眠時間データを取得することについては、既に説明したので、説明を省略する。
【０１４３】
以下、各動作Ｔ４１〜Ｔ４９について説明する。なお、この動作Ｔ４１〜Ｔ４９は、図８に示した動作Ｔ３１に連続したものではない。
まず、使用者が保湿用空気供給機２０の主電源スイッチ７０をＯＮし（Ｔ４１）、「睡眠時間対応モード」（お任せモード）を選択する（Ｔ４２）。もし、保湿用空気供給機２０に適当な睡眠時間データがないことが制御装置３３によって判明すると、制御装置３３は、睡眠時間データの取得を勧告する。そこで使用者が保湿運転の開始前に、自分の睡眠時間を情報通信端末機器２５から取得しようと考えた場合、その情報通信端末機器２５をＮＦＣ入出力部６３経由で読み込ませるために、そのＮＦＣ入出力部６３に情報通信端末機器２５を接近させる（この時点では、ＬＥＤ６４によってＮＦＣ入出力部６３の位置が、明瞭に表示される）。
【０１４４】
情報通信端末機器２５と保湿用空気供給機２０との通信セッションが確立すると、情報通信端末機器２５から、睡眠時間の書き込み要求信号が出される（Ｔ４３）。すると、保湿用空気供給機２０は、情報通信端末機器２５が事前に認識した所定の端末機器であると認識し、睡眠時間データの書き込み許可信号を出す（Ｔ４４）。
【０１４５】
情報通信端末機器２５は、睡眠時間データの書き込み指令信号を出す（Ｔ４５）。そして情報通信端末機器２５の記憶部７８に一時的に記憶させてある睡眠時間データが読み出され、保湿用空気供給機２０に送信される（情報通信端末機器２５の記憶部７８に一時的に記憶させてある睡眠時間データは、そのまま残存し、自動的に消える訳ではない）。
【０１４６】
情報通信端末機器２５からの睡眠時間データが読み込まれると、情報通信端末機器２５と保湿用空気供給機２０との通信セッションは、不要になるので、情報通信端末機器２５を遠ざけることで、通信セッションが終了する。
【０１４７】
情報通信端末機器２５において、睡眠時間データはＮＦＣ記憶部３１にまず記憶され、これと同じデータは制御装置３３の記憶部３３Ｒに移される。そこで制御装置３３は、この睡眠時間データを表示画面１０１に表示する（Ｔ４６）。
【０１４８】
使用者が表示画面１０１を見て、睡眠時間の確認をし、それを修正する場合には、その修正入力を待ち、使用者からの最終的な運転開始の指令を待つ（Ｔ４７）。
【０１４９】
そして運転開始の指令があった場合、制御装置３３は最終的に設定された睡眠時間のデータを基礎にして、その睡眠時間の中における保湿運転の開始時刻や終了時刻を計算する（Ｔ４８）。例えば、現在の時刻が、２２時１０分であり、睡眠時間のデータで示された入眠時刻が２３時１０分であった場合、保湿運転開始まで６０分間あることが分かるので、例えば入眠と同じタイミングで保湿運転開始する場合には、電熱源９０に通電開始して、高温空気生成部（ボイラー室）５９から高温の水蒸気が発生するまでに１０分間必要であることが分かっている場合、２３時００分に通電開始すれば良いことが分かる。
【０１５０】
なお、実際には、高温空気生成部（ボイラー室）５９内部に蒸気が充満するためにも若干時間が必要であるので、２３時よりも早い時点で電熱源９０に通電開始する。そして制御装置３３の動作プログラムによって決められた所定の保湿運転（例えば１８０分間）の終了時間まで経過時間のカウントダウンを行う（Ｔ４９）。なお、使用者が上記した所定の保湿運転（例えば１８０分間）を変更して運転条件確定させた場合は、その変更後の時間と前記睡眠時間との比較が（Ｔ４８ステップで）行われる。
【０１５１】
一般に、入眠した時間から早い段階は、眠りの質が良いと言われているので、この実施の形態１では、できるだけ入眠の時点からあまり遅れないタイミングで保湿運転を開始するようにしている。例えば、入眠の時点から遅くとも３０分のタイミングで電熱源９０に通電開始されるようにしている。そして電動送風機５５は、入眠の時点から遅くとも３５分のタイミングで通電開始される。なお、電熱源９０への通電開始タイミングと電動送風機５５への通電開始タイミングは、常に５分間を維持するように設定されている。
【０１５２】
次に図１０について説明する。図１０は、本発明の実施の形態１に係る保湿用空気供給機の制御動作を示すフローチャート図１である。
【０１５３】
以下、スタート（ＳＴ１）から終了（Ｓ１６）までの各動作ステップについて説明する。最初に主電源スイッチ７０をＯＮする（Ｓ２）と、制御装置３３は、記憶部３３Ｒの中に保存されている睡眠時間データの有無と対象となる居住者（就寝者）等の最新状況を確認し、それらを一時的に読み出す（Ｓ３）。
【０１５４】
そして表示画面１０１を起動する（Ｓ４）。そしてその表示画面１０１において、使用者に、「睡眠時間対応モード」（お任せモード）のタッチキー（アイコン）１０２と、「手動モード」のタッチキー（アイコン）１０３を表示して、この何れか１つを選択するように表示する（Ｓ５）。なお、この表示画面１０１の表示内容については、図１７と図１８で説明する。
【０１５５】
使用者が「手動モード」を選択した場合には、次のステップ（Ｓ６）に進み、使用者は運転時間を設定する。この場合の運転時間とは、タイマーを使用した「自動開始・自動停止」動作を行う場合も含む。そのため、例えば、現在時刻が２２時００分であった場合、直ちに保湿運転開始して３時間後に終了させるパターンと、２３時１５分に運転開始させ、その３時間後（４時間後やその他時間でも良い）に自動停止させるパターン、の２つの選択肢がある。
【０１５６】
使用者が運転時間を設定した場合、次のステップ（Ｓ７）に進み、保湿運転開始の指令を使用者が与えた場合には、次のステップ（Ｓ８）に進み、電熱源９０に通電開始され、保湿運転が開始される。
【０１５７】
そして規定の所定時間又は使用者が事前に設定した時間が経過した段階、又は使用者が途中で停止指令を与えた場合には、次のステップ（Ｓ９）の条件成立し、運転は終了する（Ｓ１６）。
【０１５８】
次に、前記ステップ（Ｓ５）で、「睡眠時間対応モード」（お任せモード）を選択した場合、ステップ（Ｓ１０）に進み、そのステップで、適当な睡眠時間データが無い場合には、次のステップ（Ｓ１１）に進む。そしてここでは、表示画面１０１において、使用者の睡眠時間データを読み込ませることを勧告する。適当な睡眠時間データが無い場合とは、例えば、使用者は合致しているが、取得したデータが１年以上も古い場合や、対象者が異なるデータであった場合である。なお、睡眠時間データを取得する前に、対象者（被計測者）の識別のために居住者別のコード番号を電力指令装置５にインプットするか、あるいは、取得されているデータを読み出して、識別コードを追加したり、居住者別のデータベースに編成したりする等の処理をしておくと良い。
【０１５９】
使用者が、睡眠時間データの取得を希望しない場合には、ステップ（Ｓ５）に戻り、「手動モード」の選択ができる。一方、睡眠時間データの取得を希望する場合には、ステップ（Ｓ５）で説明したように、「睡眠時間対応モード」（お任せモード）のタッチキー（アイコン）１０２にタッチすれば良い。
【０１６０】
すると、次のステップ（Ｓ１３）に進み、制御装置３３は、電力指令装置５から最新の睡眠時間データを読み込む動作を行う。そのため、電力指令装置５と通信セッションを確立させ、最新の睡眠時間データを読み込む（Ｓ１３）。そして通信セッションを解除し、読み込んだ睡眠時間データを記憶部３３Ｒに記憶させる（Ｓ１４）。なお、さらにＮＦＣ記憶部３１にもそのデータと同じデータを、コピーして移す処理をしておいても良い。
【０１６１】
次に、入手した睡眠時間データを基礎にして、その睡眠時間の中で、どういうタイミングで運転を開始し、終了すべきか計算する（Ｓ１４）。そして電熱源９０の通電開始時刻等の計算を行い、全体の運転スケジュールを決定する（Ｓ１５）。そして使用者からの運転開始の指令を待つため、前記ステップ（Ｓ７）に戻る。なお、前記ステップ（Ｓ１０）で睡眠時間データがある場合には、このステップ（Ｓ１５）に直接進む。
【０１６２】
前記ステップＳ１３では、電力指令装置５から睡眠時間のデータを取得したが、電力指令装置５から睡眠時間のデータが取得できない場合（睡眠時間のデータが無い場合、又は何らかの無線通信の障害が発生し、睡眠時間データが保湿用空気供給機２０に迅速に到着しない場合を含む）、制御装置３３は、電力指令装置５からの睡眠時間のデータ取得を取り消し、代わりに情報通信端末機器２５からの睡眠時間データの取得を表示画面１０１で使用者に勧告する（同時に、音声ガイド装置でも報知する）。そして、前述したように、情報通信端末機器２５と保湿用空気供給機２０との通信セッションを確立させ、睡眠時間の取得動作をさせる。
【０１６３】
保湿運転中においては、物理的、電気的な異常状態の有無の監視が制御装置３３によって実施されている。さらに制御装置３３は、温度検出素子（図示せず）から温度情報を得て、本体ケース４９の内部にある主要な部分、電気部品等が異常な高温度になっていないかどうかを監視している。例えば前記高温空気生成部（ボイラー室）５９は、前記カートリッジタンク５６から、常に一定の水位となるように水６０が供給されるが、何らかの原因でその高温空気生成部５９の温度が所定の温度を超えた場合には、制御装置３３は異常状態と認定し、電熱源９０（図６参照）の通電を遮断する。
【０１６４】
そして、このような異常の初期状態から緊急停止までの期間における保湿用空気供給機２０の主要な部分の電気的、物理的（一例として前記した高温空気生成部５９の温度）の変化状況を示す（異常監視）情報が、制御装置３３の記憶部３３Ｒの中に格納される。なお、記憶部３３Ｒに記憶される異常監視情報は、主電源スイッチ７０を入れた時点から取得開始され、保湿運転を完全に停止するまでの電気的、物理的変化の履歴が反映されたものとなる。そしてその異常監視情報は、前記主電源スイッチ７０を切ったあとでも自動的には消去されず、前記記憶部３３Ｒに保存され続けることになる。
【０１６５】
次に図１１に基づいて、情報通信端末機器２５が異常監視データを保湿用空気供給機２０から取得する動作について説明する。なお、異常監視データだけではなく、保湿用空気供給機２０が電力指令装置５から取得したデータ（例えば、睡眠時間データ）を取得する場合も、基本的にこの図１１に示すように情報通信端末機器２５は動作する。
【０１６６】
図１１は、情報通信端末機器２５の処理ステップを示すものである。ここで示されるステップを実行するような制御プログラムが前記中央演算処理装置（ＣＰＵ）７７に最初から格納されている。なお、図１１の説明において、符号「ＳＶ」は、処理のステップを示すものである。また保湿用空気供給機２０では、保湿運転の途中で、何らかの異常が発生したため、使用者が表示部１０１に表示された表示内容を見て、異常内容を確認する場合を想定して以下説明する。その表示内容とは、例えば、「異常が検知されたため、緊急停止しました。詳細は、ＮＦＣ表示部にＮＦＣ機能付きの携帯電話等の端末機器を接近させると情報入手できます」という説明の文字情報である。なお、同時に音声ガイド装置（図示せず）によって報知しても良い。
【０１６７】
先に起動しておいた情報通信端末機器２５を保湿用空気供給機２０のＮＦＣ用入出力部６３に接近させる。すると、情報通信端末機器２５は、記憶部７８に格納されているアプリケーション・ソフトウェア部８０を起動することによって処理が開始される。
ステップＳＶ１において、情報通信端末機器２５の通信確立部８３は、情報通信端末機器２５と保湿用空気供給機２０の間にＮＦＣ通信セッションが確立されることを監視している。ＮＦＣ通信は、１３．５６ＭＨｚ帯の電波を利用した近距離無線通信である。
【０１６８】
使用者が情報通信端末機器２５を、保湿用空気供給機２０のＮＦＣ用入出力部６３に近づけ、接近させる（例えば５ｃｍまで）と、通信確立部８３は、ＮＦＣ通信セッションを確立する。
【０１６９】
ＮＦＣ通信セッションが確立されると、通信確立部８３はＳＶ１でＹＥＳと判断して、ＳＶ２に進む。ＳＶ２では、送信処理部８２は、ＳＶ１で確立されたＮＦＣ通信セッションを用いて、保湿用空気供給機２０の異常監視データや識別情報の提供を要求するための情報を保湿用空気供給機２０に送信する（ＳＶ２）。この要求情報は、図６に示したＮＦＣ記憶部３１に一時的に記憶される。
【０１７０】
続いて、ＳＶ３では、情報通信端末機器２５は、ＳＶ１で確立されたＮＦＣ通信セッションを用いて、保湿用空気供給機２０から、使用者が表示を希望する情報を選択するための「専用の表示画面」を情報通信端末機器２５の表示部７３に表示する情報を受信する。この情報は、図１１では「表示メニュー用の情報」と記載している。
ここでいう「表示メニュー」とは、異常発生時においては、少なくとも次の３つの情報群をいう。
（１）識別情報（製品識別情報）
（２）異常内容情報（異常内容を解説した詳細情報）
（３）アドバイス情報（製品の正しい使用方法や異常時の対処方法等を解説した情報）前記「専用の表示画面」とは、例えば図１２、図１３に示したものである。
【０１７１】
表示メニュー用情報を受信すると、受信処理部８１が受信内容を確認し、ＳＶ４において、制御部７６は、情報通信端末機器２５を鳴動させる。これにより、使用者に受信（ここでは表示メニュー用情報の受信）が終了した旨が報知される。この直後に、情報通信端末機器２５はＳＶ１で確立されたＮＦＣ通信セッションを用いてＭＡＣアドレスを保湿用空気供給機２０に送信する。このＭＡＣアドレスを保湿用空気供給機２０が受信することにより、以後の通信で連続性・関連性が担保するために保湿用空気供給機２０側において通信機器の識別に利用される。
【０１７２】
前記ＳＶ４の時点での報知により、使用者は、情報通信端末機器２５を保湿用空気供給機２０から遠ざけてよいことを知る。仮にこれを知らない場合でも、ＳＶ６のステップでは、情報通信端末機器２５の表示部７３に、表示メニュー用情報の受信が完了し、通信は一旦中断するため、「保湿用空気供給機２０から遠ざけるように」との表示が出るので、使用者の無用の混乱は回避される。これら表示部７３の画面処理は表示制御部８４で実行する。
【０１７３】
情報通信端末機器２５を保湿用空気供給機２０からから遠ざけ、表示部７３が見やすいよう自分の手元近くに移動させて、以後の操作を行うことができる。これにより、情報通信端末機器２５と保湿用空気供給機２０との間の距離が、互いに電波が届く距離より大きくなると、Ｓ１で確立されたＮＦＣ通信セッションが中断される（ＳＶ７）。なお、ここまでを第１のＮＦＣ通信セッションと定義すれば、このＳＶ７の段階は第１のＮＦＣ通信セッションの完了と言える。
【０１７４】
仮にＳＶ７で、ＮＦＣ通信セッションが前記したようにＳＶ７で中断しないままになった場合は、ＳＶ６の処理に戻り、使用者はＮＦＣ通信を一旦中断するように勧告される。
【０１７５】
次に、ＳＶ８において、制御部７６は、保湿用空気供給機２０を鳴動させる。これにより、使用者にはＮＦＣが中断した旨が報知される。
表示制御部８４は、ＳＶ３で受信された表示メニュー用情報に含まれるテキストデータを用いて、所定の選択画面を生成する（ＳＶ９）。つまり、使用者が情報通信端末機器２５の表示部７３で最初に確認する内容は、図１３に示すような「専用の表示画面」であり、表示を希望する情報の種類を３つの中から１つだけ選択することができるものである。なお、このＳＶ９における情報の種類の選択方法については複数あるので、図１３と図１４の説明の際に詳しく述べる。
【０１７６】
ＳＶ９において、例えば「異常内容情報表示」を選択した場合、この選択結果を保湿用空気供給機２０にインプットする前には、ＮＦＣ通信セッションを確立する必要がある。そこで前記したように、使用者が情報通信端末機器２５を、保湿用空気供給機２０の前面壁６１のＮＦＣ用入出力部６３に近づけ、通信確立部８３が、ＮＦＣ通信セッションの確立を確認した場合、通信確立部８３はＳＶ１０でＹＥＳと判断して、ＳＶ１１に進む。
【０１７７】
この後、情報通信端末機器２５はＳＶ１１で確立されたＮＦＣ通信セッションを用いてＭＡＣアドレスを再び保湿用空気供給機２０に送信する。このＭＡＣアドレスを保湿用空気供給機２０が再度受信することにより、保湿用空気供給機２０では前回との通信の関連性が確認される。また同時に、情報通信端末機器２５はＳＶ９において選択した「異常内容情報表示」という表示指令を保湿用空気供給機２０に送信する（ＳＶ１１）。
【０１７８】
続いて、ＳＶ１２では、情報通信端末機器２５は、ＳＶ１０で確立されたＮＦＣ通信セッションを用いて、保湿用空気供給機２０から、使用者が表示を指定した「異常内容」に関する情報を受信する。
【０１７９】
この異常内容に関する情報を受信すると、受信処理部８１が受信内容を確認し、ＳＶ１３において、制御部７６は、情報通信端末機器２５を鳴動させる。これにより、使用者に指定した情報を受信（ここでは「異常内容情報」の受信）が終了した旨が報知される。
【０１８０】
その後、制御部７６は表示部７３に、ＮＦＣ通信セッションは切断することを表示し、使用者が所定時間内に新たな操作入力をしない限り、ＮＦＣ通信セッションを自動的に遮断して一連の処理を終了する。なお、使用者が受信した前記「異常内容情報」は、情報通信端末機器２５の記憶部８０のメモリー８６に記憶されるので、使用者は後日その内容を再び読み出して表示部７３に表示させることができる。またその「異常内容情報」は、情報通信端末機器２５の通信機能を使って広域通信回路網１６経由で保湿用空気供給機２０の販売会社や修理業者のサーバー等に送信することもできるし、情報通信端末機器２５を修理業者等の所まで持参して、当該業者のところで異常監視データの内容を見せることができる。また、そのような場合、保湿用空気供給機２０の識別情報も記録されているので、修理業者等に正確な識別情報を伝達できる。
【０１８１】
異常監視データには、後述する各種運転情報信号Ｌ１〜Ｌ１０、対象機器登録信号ＡＳ１、家電機器の総電力量を下げる要請信号（予告信号）ＡＳ２、電力削減指令信号ＡＳ３を含ませている。そのため、実際の異常を示すデータ（例えば、温度や電圧値）の計測タイミングと、例えば運転情報信号Ｌ１〜Ｌ７の送信タイミング等を時間的に対応付けてあるので、異常発生後の原因分析が容易になる。
【０１８２】
なお、情報通信端末機器２５が、ＳＶ１１において「異常内容情報表示」という表示指令を保湿用空気供給機２０に送信した場合、前記表示指令は保湿用空気供給機２０のＮＦＣ記憶部３１に一旦記録され、その表示指令を受けてＮＦＣ制御回路２８では、制御装置３３の記憶部３３Ｒに記憶している異常監視データをＮＦＣ制御回路２８側へ送信するような（異常管理）データ送信命令を出す。
【０１８３】
前記ＮＦＣ制御回路２８のデータ送信命令を監視していた保湿用空気供給機２０の制御装置３３が、前記ＮＦＣ制御回路２８の送信命令を受けて動作する。つまり、情報通信端末機器２５側から制御データ（データ送信命令という制御コマンド）を前記家電機器ＥＥの一種である保湿用空気供給機２０のＮＦＣ記憶部３１へ送り、当該保湿用空気供給機２０の制御装置３３（「ホストコンピューター」機能を有する）が、前記ＮＦＣ記憶部３１に記憶された前記制御コマンドに従って制御動作するものである。但し、後述する図１４のフローチャート図では、セキュリティの面から、電力指令装置５側から保湿用空気供給機２０へ、情報通信端末機器２５での異常監視データ取得を許可するステップ（ＳＹ１１）があると説明しており、そのような指令が第１の通信手段８Ａ経由で保湿用空気供給機２０へ届いた後で、情報通信端末機器２５が異常監視データを読み出せるようにしている。
保湿用空気供給機２０が主電源を切られ、あるいは保湿運転が終了又は一時停止している期間中でも、使用者が情報通信端末機器２５を、保湿用空気供給機２０のＮＦＣ用入出力部６３に接近させれば、その都度ＮＦＣ通信をできるようにするために、前記ステップ（ＳＹ１１）は削除しても良い。
【０１８４】
次に情報通信端末機器２５が異常監視データを保湿用空気供給機２０から取得する場面での表示部７３の表示内容について、図１２と図１３を参照しながら説明する。
図１２は、情報通信端末機器２５の表示部７３の表示内容を示すものである。ここで示される表示部７３の表示内容は、図１１のステップＳＶ９の段階におけるものである。
【０１８５】
図１２に示している通り、表示部７３には表示を希望する情報の種類を、３つの項目の中から１つ選択するように求める画面を生成している。
この図１２において、１１１は異常発生を知らせる文字情報、１１２は、使用者に表示すべき情報の種類を選択するように促す操作誘導情報、１１３Ａは「製品識別情報表示」という表示をした選択情報、１１３Ｂは「異常内容情報表示」という表示をした選択情報、１１３Ｃは「アドバイス情報表示」という文字が表示された選択情報である。
【０１８６】
この図１２の表示画面で、例えば「異常内容情報表示」を選択する場合は、２つの方法がある。
第１の方法：
操作入力部７４に設けた４つの方向の選択キー（タッチ式又は押しボタン式）を使用し、例えば、選択項目を下方向に順次選ぶには、下方向指定選択キー１１４Ｂを押せば良い。最初は「製品識別情報表示」の項が選択されるように、その文字情報１１３Ａがハイライト表示等で強調された表示になっていた場合、前記した下方向指定選択キー１１４Ｂを１回押せば、「異常内容情報表示」の項が選択され、その文字情報１１３Ｂがハイライト表示等で強調された表示になる。下方向指定選択キー１１４Ｂを更に１回押せば、更に下方に表示されている「アドバイス情報表示」の項が選択され、その文字情報１１３Ｃがハイライト表示等で強調された表示になる。さらに１回下方向指定選択キー１１４Ｂを１回押せば、最初に戻って「製品識別情報表示」の項が選択され、「製品識別情報表示」の文字情報１１３Ａがハイライト表示等で強調された表示になる。以後もこのように下方向指定選択キー１１４Ｂを押せば、選択項目が巡回する。なお、同じように上方向指定選択キー１１４Ａ、右方向指定選択キー１１４Ｃ、左方向指定選択キー１１４Ｄも操作入力部７４に設けてある。なお、選択を確定するには、操作入力部７４中央部にある確定キー（タッチ式又は押しボタン式）１１５を押せば良い。この確定キー１１５を押した段階で、図１１に示したＳＶ９の処理が終わる。
【０１８７】
第２の方法：
操作入力部７４に設けた４つの方向の選択キー１１４Ａ〜１１４Ｄを一切使用せずに、情報通信端末機器２５を水平面にした段階から、左右又は水平に傾ける動作で「製品識別情報表示」の項から「アドバイス情報表示」の項まで選択できる。前記したように、情報通信端末機器２５には、姿勢検知部７５を内蔵しているので、使用者が情報通信端末機器２５を傾ける際の姿勢（より具体的には回転角度）を検出して、当該姿勢を示す信号を制御部７６に出力する。従って、例えば下方向指定選択キー１１４Ｂを１回押すのと同様にするには、情報通信端末機器２５の表示部７３が最も上で、下方向指定選択キー１１４Ｂが最も下になるように傾斜させれば良い。そして所望の項が選択された段階で前記確定キー１１５を押せば良い。この確定キー１１５を押した段階で、図１１に示したＳＶ９の処理が終わる。
【０１８８】
次に図１３について説明する。
図１３は、保湿用空気供給機２０から情報通信端末機器２５で異常監視データを表示させた場面を示している。図１４において、１１６は異常の内容を知らせる文字情報、１１７Ａは、異常発生個所を示した文字情報、１１７Ｂは異常の原因を示した文字情報である。１１８は、使用者にこの製品（保湿用空気供給機２０）の異常について修理や点検の依頼先の情報を表示するかどうか使用者に判断を求める選択情報である。この１１８の項を選択して更に詳しい情報を求める場合には、前記右方向指定選択キー１１４Ｃを１回押せば良い。この図１３には示していないが、保湿用空気供給機２０を販売した時点で、製造業者がＮＦＣ記憶部３１に書き込んでおいた連絡先の所在地、電話番号等の文字情報が表示部７３にて表示できる。
【０１８９】
前記した「識別情報」は、保湿用空気供給機２０に固有の情報のことであり、的確な修理や点検を行う場合に必要となる重要な情報であるから、前記ＮＦＣ記憶部３１に記録しておくことが望ましいが、前記制御装置３３の記憶部３３Ｒに「識別情報」を記憶させておくことでも良い。あるいは双方に重複して記憶させておくことでも良い。例えば、工場の製造段階で識別情報が確定する製造年月や製品（シリアル）番号、保証書番号等は、記憶部３３Ｒに記憶させ、製品の販売時点で確定する販売日、販売業者名等の識別情報については販売店や設置業者が、ＮＦＣ用入出力部６３を介して後から情報を書き込んでも良い。
【０１９０】
保湿用空気供給機２０や空気調和機３は、電力指令装置５の本体５Ａとの間で、無線信号によって電力削減指令や運転状態報知等の通信を行っている。前記保湿用空気供給機２０からの異常監視データや識別情報は、入出力部６８と入出力部３０Ａとの間の無線通信を利用して、電力指令装置５の本体５Ａ側へ送信され、最終的には当該本体５Ａの中にある記憶装置３８に記録させる。
【０１９１】
保湿用空気供給機２０の異常監視データの容量が大きく、情報通信端末機器２５が近距離無線通信（ＮＦＣ）によって当該データを読み込むまでに時間を要することが懸念される場合にも、迅速に異常監視データを保湿用空気供給機２０から取り出すことができる。そして記憶装置３８に保存した異常監視データは、操作入力部３９からの操作によって、表示盤３７の表示画面３７Ａに表示させることができる。そのため、使用者は、手元に適当な情報通信端末機器２５がない場合でも、前記表示盤３７を利用して異常の内容や推定原因、その他アドバイスを確認することができる。
【０１９２】
同様に、識別情報も本体５Ａ側へ送信し、記憶装置３８に記憶させておけば良い。このようにすることで、仮に数年前に保湿用空気供給機２０を購入し、既に取扱説明書や保証書等の物的な書面、資料が手元に無い場合であっても、使用者はその保湿用空気供給機２０に異常が発生した段階で、異常の内容や識別情報を確認し、販売店やメーカ（製造業者やその委託を受けた業者等）に修理や点検を依頼する場合でも、的確に保湿用空気供給機２０に関する事実関係を伝達でき、早期に的確な対応をすることを可能にし、使用者だけではなく、販売店やメーカ側においても利便性が向上する。
【０１９３】
保湿用空気供給機２０等の家電機器ＥＥの識別情報は、異常監視データとは異なり、常に変化するものではないので、１回だけ記憶装置３８に記憶できれば良い。従って、異常発生の都度、必ずしも識別情報を取得する必要はないが、古い記録の中から探す労力を減らすためには、異常が発生した場合に識別情報を保湿用空気供給機２０側から提供することが望ましい。
【０１９４】
次に、図１２に示した場面で、前記「アドバイス情報表示」という文字が表示された選択情報１１３Ｃを選択した場合について、図１３を参照しながら説明する。この選択情報１１３Ｃを選択すると、情報通信端末機器２５は、その無線入出力部４１によって、前記情報サーバー２７に接続し、保湿用空気供給機２０から取得した、異常監視データを含む異常発生情報を、前記情報サーバー２７に送信し、異常発生原因の解明や異常発生に対するメーカ側情報データベース２７Ｍからの参考情報を求めることができる。
【０１９５】
上記のように保湿用空気供給機２０から情報通信端末機器２５が異常監視データを直接受け取り、情報サーバー２７にその異常監視データを転送する方法では、保湿用空気供給機２０の周囲の環境データ（例えば、居住空間ＨＡの気温や湿度情報）や電力指令装置５から、他の家電機器ＥＥに対して実施していた電力制限動作等の情報が情報サーバー２７に伝達できない。そこで、これを解決する方法として、電力指令装置５が異常監視データを、前記「異常発生データ」に変更（データ充実化）して、情報サーバー２７に送る方法も実施できるように構成している。これについては、次の図１４を参照しながら説明する。
【０１９６】
図１４は、電力指令装置５の制御部３６の動作を示すフローチャート図である。
保湿用空気供給機２０の保湿運転が緊急停止した情報が、入出力部６８と入出力部３０ＡＣを介して電力指令装置５の制御部３６に届く（ＳＹ１）（図３参照）と、制御部３６は、使用者が情報通信端末機器２５を介して外部に異常監視データの送信を設定しているかどうかを判定する（ＳＹ２）。
【０１９７】
情報通信端末機器２５を介して異常監視データを送信するように事前に設定してあった場合、制御部３６は、保湿用空気供給機２０に対して、情報通信端末機器２５が異常監視データを取得し、外部へ送信することを通知する（ＳＹ１０）。これに続いて、保湿用空気供給機２０に対して、その制御装置３３が把握している異常監視データを、情報通信端末機器２５がＮＦＣ通信で読み取ることを許可するように指令する（ＳＹ１１）。これ以降は、前記したように、情報通信端末機器２５が異常監視データを直接受け取り、情報サーバー２７にその異常監視データを転送することができる。なお、前記したように、保湿用空気供給機２０から、いつでも情報通信端末機器２５がＮＦＣ通信で異常監視データや識別情報を読み取ることができるよう、前記２つのステップ（ＳＹ１０）、（ＳＹ１１）は省略しても良い。
【０１９８】
一方、前記ステップＳＹ２において、異常監視データを情報通信端末機器２５経由で送信するよう事前に設定してない場合には、制御部３６は、環境検知部９に対して、最新の環境情報を取得するように指令し、環境検知部９は、保湿用空気供給機２０が設置されている寝室等の気温や湿度等の環境情報を取得して、制御部３６に送信する（ＳＹ３）。
【０１９９】
次に、制御部３６は、保湿用空気供給機２０が設置されている寝室等において、他に運転中の家電機器がある場合、その運転情報を取得する。例えば、空気調和機３が運転中であり、消費電力は１３００Ｗであること、また運転開始から１２０分経過していること、電力指令装置５からは何の電力制限指令も出されていないこと、等の情報が取得される（ＳＹ４）。このような情報取得は、前記電力指令装置５に対して、各家電機器ＥＥの設置位置の情報が登録されているため、可能となっている。同じ居住空間における家電機器は、電力指令装置５側の制御部３６に保存されている「設置位置情報」を検索することで直ぐに分かる。
【０２００】
次に、制御部３６は、保湿用空気供給機２０から受信した異常監視データに、環境データをセットにして情報サーバー２７に対して、異常発生情報を送信するための指令を出す。このデータ送信時には、前記した「同一居住空間における、他の家電機器ＥＥ等の運転情報」も送信する（ＳＹ５）。つまり、単なる異常を監視していて計測、取得されたデータそれだけではなく、異常が発生したことを電気機器側が一次判定したことを示す特別な識別コードも含め、「異常発生情報」としている。なお、異常発生情報が、１度の通信で送信できない場合には、複数回に分割して自動的に送信するようにしておいても良い。
【０２０１】
次に、制御部３６は、情報サーバー２７に送信した異常監視データ等の異常発生情報を、記憶装置３８の内部に、識別情報とセットにして記憶させる。これにより、上記情報サーバー２７への送信が、何らかの通信異常で失敗した場合でも、後日また電力指令装置５としてデータを取り出し、再送信することができる。
【０２０２】
次に、制御部３６は、居間のＴＶ受像機２が既に起動されているかどうかを判定する（ＳＹ１２）。寝室で保湿用空気供給機２０を使用中に、その使用者（就寝者）がその寝室から離れて別の部屋（居住空間）に行っていることは想定し難いが、可能性としてはゼロではないので、居間にあるＴＶ受像機２で、保湿用空気供給機２０の使用者や他の居住者へ、異常の発生を報知した方が安全性向上する。このためにこの処理（ＳＹ１２）がある。但し、保湿用空気供給機２０の異常発生タイミングが、深夜（２３時）から早朝（午前５時）の間である場合には、突然居間のＴＶ受像機２が起動されて画像や音声で報知されると、安眠妨害や他の居住者の不安感を招くおそれがあるので、上記のＳＹ１２の処理を受けて、ＴＶ受像機２を起動するという後述の処理（ＳＹ７）は、深夜から早朝の間は省略される。
【０２０３】
次に、制御部３６は、ＴＶ受像機２が既に起動されていた場合、その表示画面において、異常発生を警報文字やアニメーション等で速やかに報知する（ＳＹ８）。
【０２０４】
もしこのステップ（ＳＹ１２）でＴＶ受像機２が起動していない場合は、電力指令装置５の制御部３６は、ＴＶ受像機２に、起動指令信号を送り、ＴＶ受像機２を起動する（ＳＹ７）。そして異常発生を警報文字やアニメーション等で速やかに報知する（ＳＹ８）。
【０２０５】
次に、制御部３６は、保湿用空気供給機２０から受信した異常監視データと、環境データとをセットにして、異常発生情報を（情報サーバー２７に向けて）送信するよう、入出力部３０Ｂへ指令を出す。またこのデータ送信時には、前記した「同一居住空間における、他の家電機器ＥＥ等の運転情報」も送信する（ＳＹ９）。以上で電力指令装置５により情報サーバー２７への異常発生情報の送信動作を終える。
【０２０６】
この図１４に説明した機能は、例えば子供や高齢者が自宅の寝室で保湿用空気供給機２０を使用中に、もし異常が発生した場合でも、その異常の発生を子供の親や高齢者の介護者等が保有している情報通信端末機器２５で確認でき、またその就寝場所と離れた居住空間のＴＶ受像機２でも知ることができるので、居住者の安全性や安心感を増大させることができる。
【０２０７】
次に図１５について説明する。
図１５は、保湿用空気供給機２０の保湿運転が終了した後、例えば前日の２３時に保湿用空気供給機２０を使用開始し、翌日の朝６時に使用を終了し、その朝７時に情報通信端末機器２５でその保湿運転の結果を確認した場合の表示部７３の表示内容を示している。
【０２０８】
この場面の情報通信端末機器２５は、図１１にて説明したＮＦＣ通信セッションの確立により、保湿用空気供給機２０のＮＦＣ記憶部３１に予め記憶されていた直前の（昨夜から今朝まで）保湿運転データを読み取った状態である。
【０２０９】
図１５において、１２０は保湿運転の終了確認する画面であることを知らせる文字情報である。この図１５に示している通り、表示部７３には表示を希望する情報の種類を、３つの項目の中から１つ選択するように求める画面を生成している。１２１は、選択を促す文字情報である。
【０２１０】
この図１５において選択できる３つの情報とは、睡眠時間について情報と、保湿運転の結果に関する情報と、アドバイス情報である。
１２２Ａは、「睡眠情報表示」という表示をした選択情報、１２２Ｂは、「保湿運転結果表示」という表示をした選択情報、１２２Ｃは、「アドバイス情報表示」という表示をした選択情報である。
【０２１１】
図１５において、「保湿運転結果表示」という表示をした選択情報１２２Ｂを操作入力部７４で選択した場合、図１６の画面表示に変化する。図１６において、１２４は保湿運転の結果を表示する画面であることを知らせる文字情報である。
【０２１２】
１２５Ａは、保湿運転開始された時刻を示した情報、１２５Ｂは、保湿運転を終了した時刻を示した情報、１２６は、昨夜の保湿運転で使用者への助言内容を示した情報である。
【０２１３】
この図１６の例では、保湿運転と同時に、その保湿用空気供給機２０が使用されている居住空間で空気調和機３による空調が行われていたことを報知し、設定温度を下げ過ぎないように注意喚起している。なお、入眠を早くするために特に夏場の暑い時期に、寝室の湿度を下げるよう空気調和機３を運転することがあるが、その設定湿度が低すぎると、逆に喉の渇きにより入眠を妨害したり、肌荒れを招いたりするという懸念がある。また空気調和機３から吹き出される空調用空気の向きや強さによっては、保湿用空気供給機２０から吹き出される高湿度空気の流れや向きが悪影響を受ける懸念があるため、保湿用空気供給機２０の本来の使用目的・効果が損なわれないような注意点を示している。このような、空気調和機３等の他の家電機器ＥＥの運転情報は、電力指令装置５から随時保湿用空気供給機２０に提供される構成になっているが、これについては、図１９で説明する。
【０２１４】
図１７は、保湿用空気供給機２０の前記表示画面１０１の表示例を示したものである。主電源スイッチ７０をＯＮさせた場合、最初に図１７の画面が表示される。つまり、この図１７は、前記した図１０のフローチャート図でいう「ステップＳ４」の場面の表示画面である。
【０２１５】
図１７から明らかなように、表示画面１０１には、運転モードの選択用として、左側には「睡眠時間対応モード」（お任せモード）のタッチキー（「アイコン」ともいう）１０２が表示され、右側には「手動モード」のタッチキー（アイコン）１０３が表示される。表示画面１０１は、使用者が指などを触れることで静電容量が変化し、入力できる接触式の入力キーを採用したタッチ式表示画面である。このため、前記タッチキー（アイコン）１０２、１０３の表示部分に、使用者が軽く触れることで制御装置３３に対する有効な入力信号が発生するものである。
【０２１６】
前記タッチキー（アイコン）１０２，１０３を表示した前記表示画面１０１の表面には、当該タッチキーの入力機能を示す文字や図形などが印刷や刻印等で何ら表示されていないが、これらキーの下方の液晶画面９５には、それらタッチキーの操作場面毎に、キーの入力機能を示す文字や図形をその都度表示する構成し、その表示画面１０１に触れた場合、その触れた位置にあるキーが選択されたことになる。
【０２１７】
１３０は、使用者に運転モードの選択を促すことを文字で知らせる（運転モードの）選択表示部である。この選択表示部１３０は、入力キー機能は有していないので、この選択表示部１３０にタッチしても制御装置３３には何の入力もされない。
【０２１８】
１３１は、ヘルプモードキーであり、使用者がこれに触れると、その場面で使用者の操作に参考になる情報が表示されるとともに、別途設けた音声ガイド装置（図示せず）によって、正しい操作方法が音声で報知される。なお、何度もこのキーを押した場合、この表示画面１０２の見方や操作方法が、模式図と文字で表示画面１０１全体に表示される。
【０２１９】
１３２は、インフォーメーション・キーであり、これにタッチした場合、その都度、保湿運転の条件を設定するために参考になる情報や、上手に保湿運転する注意点などを詳しく表示画面１０１に文字で表示する。
【０２２０】
１３３は、最も新しい（最近の）使用時の睡眠時間帯を示す時間帯表示部であり、図１７の例では、昨夜保湿運転されたので、「昨夜の睡眠時間帯」という表示になっている。１３４は、同じく最も新しい使用時の睡眠時の平均気温と湿度を示す環境情報表示部である。このような、空気調和機３等による環境情報は、環境検知部９の検知結果を電力指令装置５が分析し、それを保湿用空気供給機２０とＴＶ受像機２等に、それぞれ提供される構成になっているが、これについては、図１９で説明する。
【０２２１】
１３５は、同じく新しい使用時（睡眠時）に、空気調和機３が使用されていたかどうかを示す空調運転表示部である。この情報も電力指令装置５が保湿用空気供給機２０に提供したものである。
【０２２２】
図１８は、保湿用空気供給機２０の前記表示画面１０１の表示例を示したものである。図１７に示した「睡眠時間対応モード」（お任せモード）のタッチキー（アイコン）１
０２を選択した場合には、この図１８の画面が表示される。
【０２２３】
１３６は環境詳細情報であり、最も新しい（最近の保湿用空気供給機２０の）使用時、空気調和機３の運転条件（この場合、目標の室温）が２５℃で、風速は「弱」に設定されていたことが分かる。
【０２２４】
１３７は、環境検知部９が取得した気温や室温から電力指令装置５の制御部３６が算出した快適度（快適性）の情報である。不快指数等の他の指標を表示しても良いし、使用者が予め快適度の評価レベルを定義して、電力指令装置５に記憶させておき、それに基づいて算定する者でも良い。
【０２２５】
具体的には、快適度（快適性）の情報として、１３７Ａは、気温と湿度とから、前記電力指令装置５によって算出される星形の快適度マークである。
ところで、日本では、気温と湿度で算出する不快指数という指標がある。例えば、気温２９℃、湿度７０％では、不快指数８０である。この不快指数が７５を越えると人口の１０％が不快に感じ、８０を越えると全員が不快になると言われている。
【０２２６】
そこで、前記快適度マーク１３７Ａを２段階で表示する場合は、不快指数７５未満は２つ、不快指数７５以上は１つ、と定義して表示させるようにしても良い。つまり、快適度マーク１３７Ａが多いほど快適性が高いということになる。なお、電力指令装置５の表示盤３７の表示画面３７Ａにおいても、このマーク１３７Ａは、各居住空間にそれぞれ表示され、居住空間の環境情報の１つとして利用される。
【０２２７】
なお、室温が３０度以上で、湿度７５％を超えた場合、不快指数は８０を超え、室内に居ても熱中症になる危険性がある。特に、熱中症の発症現場を見ると、６５歳以上の男性、女性とも室内が圧倒的に多いということが分かっている（参考文献：日本の環境省の「熱中症環境保健マニュアル」：２０１１年５月改訂版）。
【０２２８】
そこで、環境検知部９は、気温２９℃で、湿度７０％になった時点で「第１次警報」レベルの信号を前記制御部３６に送り、室温が３０度以上で、湿度７５％を超えた時点で「第２次警報」レベルの信号を制御部３６に対して送る。制御部３６は、人検知部１２が何らかの居住者等の人の存在を検知している居住空間が、前記「第１次警報」を出された場合は、以下に示す「第１次警報」を出すための処理を行う。
対策１：電力指令装置５の表示盤３７の表示画面３７Ａで警報を出す。
対策２：ＴＶ受像機２を視聴している状態であれば、その表示画面に文字で警報を出す。
【０２２９】
前記対策１、対策２の動作指令を出してから５分以内に、気温２９℃未満か、湿度７０％未満に改善されない場合は、当該居住空間にいる人が暑さを体感していない場合も想定されるので、この場合は、制御部３６は次に示す「第２次警報」を出すための処理をする。
対策３：当該居住空間にある環境改善機器の内、冷房能力（気温上昇抑制効果）のある空気調和機３を強制的に運転開始する（例えば、その時の室内目標温度は２７℃）。
そしてこれら第１次警報と第２次警報を出したかどうかを前記環境詳細情報１３６（図１８参照）に含めて表示しても良い。
【０２３０】
この実施の形態１で、空気調和機３が居住空間にある場合とは、居住空間の内部に装置自体があることは勿論含む。また居住空間の外部に装置自体があっても良いが、処理された空気が居住空間内へ供給される場合も含むものである。空気調和機３が居住空間に無い場合又は電源コードのプラグが接続口から抜かれている等、運転不能であることが分かった場合は、他の環境改善機器（後述するが、例えば換気装置や空気清浄機等）を運転開始する。
【０２３１】
熱中症を防止するために室内の空気を対流させることも効果があることは知られている。そこで本発明の実施の形態１では、居住空間の外にいる居住者に対して、環境状態が健康上で危険であることを報知する。具体的には報知情報は、電力指令装置５の入出力部３０Ｂ（図３参照）からルーターＡ１４Ａを介して屋外の広域通信回路網１６に通信で送られ、屋外にいる別の居住者の情報通信端末機器２５に届くようにする。
【０２３２】
屋外にいる居住者が遠隔操作で電力指令装置５を経由して空気調和機３の運転を行うようにするが、これが出来ない場合には、近親者や介護ヘルパー派遣事務所などに連絡して直接居住空間に出向いて貰うこともできる（この場合、玄関の電子錠の開錠方法は、居住者Ｂがその訪問者に伝える）。つまり、前記制御部３６は、前記第２次警報信号を受けてから所定時間内に気温と湿度が第１の所定値未満の状態に改善しない場合、居住空間の外にいる居住者に対して、環境状態が危険であることを報知する。この構成であるから、環境改善機器の使用に不慣れな高齢者や子供が１人で部屋にいる場合でも、その環境を前記環境検知部９が見守り、屋内居住空間での安全性を高めることが期待できる。
【０２３３】
また、環境検知部９は、「第１次警報」を出したかどうかに関係なく、室温が３０度以上で、湿度７５％を超えた場合時点で直ちに「第２次警報」を制御部３６に対して出す。制御部３６は、人検知部１２が何らかの居住者等の人の存在を検知している居住空間が、前記「第２次警報」を出された場合は、前記した対策３の処理を指令する。対策３を指令してから以後１分経過毎に環境検知部９は、当該警報を出した居住空間の最新環境条件を計測して監視する。
【０２３４】
上記のように強制的に運転開始された空気調和機３等の環境改善機器は、居住空間の環境条件が、居住者の定めた所定の条件になった場合には、制御部３６が指令を出し、環境改善機器の運転を自動停止させる。あるいは環境改善機器の運転を３０分継続したら、自動停止させることでも良い。必要以上に運転すると省エネの観点から好ましくないからである。
【０２３５】
１３８は、最も新しい使用時（昨夜の睡眠時）の運転情報で、保湿用空気供給機２０を運転することを指令するタッチキー（アイコン）である。なお、この場合、睡眠時間帯（入眠時刻と覚醒時刻）の情報もそのまま使用され、実際に使用者の睡眠時間は計測しない。
【０２３６】
１３９は、昨夜の睡眠時間帯情報等を参考にしたが、結果的に過去の保湿運転の条件や過去の睡眠時間対応運転の実績等に従わず、使用者が任意に決めた条件で保湿運転することを選ぶ手動モードのタッチキー（アイコン）である。なお、このタッチキー（アイコン）１３９と、図１７に示した「手動モード」のタッチキー（アイコン）１０３との相違点は、後者を選んだ場合には、図１８の表示画面１０１が表示されないことである。
【０２３７】
１４０は、次の表示工程を進むタッチキー（アイコン）、１４１は、逆に前の工程の表示画面まで戻るように指令するタッチキー（アイコン）である。
１４２は、便利情報表示画面であることを示す文字情報である。
【０２３８】
図１７、１８において、前記ＮＦＣ用入出力部６３は、破線で示した枠になっているが、これはＮＦＣ用アンテナ２９の位置を模式的に示したもので、アンテナ２９の大きさは、この点線の枠で示した形状とは異なっている。ＮＦＣ用アンテナ２９は直接目視できないため、発光ダイオード素子（ＬＥＤ）６４が点灯していない状態でもＮＦＣ入出力部６３のアンテナ２９の位置が分かるように、本体ケース４９の前壁（正面壁）６１の表面には、文字と図形で、ＮＦＣ用入出力部６３のアンテナ２９の位置を示してある。この図１７、１８の例では「近距離通信  ＴＯＵＣＨ」と文字で表示している。  
【０２３９】
次に図１９について説明する。
図１９において、Ｌ１〜Ｌ１０が、保湿用空気供給機２０から電力指令装置５に送信される運転情報信号である。Ｌ１は、主電源投入（ＯＮ）を示す信号、ＡＳ１は、信号Ｌ１を受けて通信対象機器として登録したことの報知信号、Ｌ２は、保湿用空気供給機２０の表示画面１０１が起動されたことを示す信号である。
【０２４０】
Ｌ３は、保湿用空気供給機２０から睡眠時間データの提供求める信号と、その後入手した時点で確認のために送信する受領報知信号である。
【０２４１】
Ｌ４は、運転モード、すなわち、睡眠時間対応モード（お任せモード）と、手動モードのどちらを選択したのかを報知する信号、Ｌ５は、睡眠時間が設定されたことを示す信号、Ｌ５は、保湿用空気供給機２０の運転開始する予告信号である。
【０２４２】
ＫＳは、前記予告信号Ｌ５に応答して、電力指令装置５から運転開始を許可するという信号である。
Ｌ６は、電熱源９０に通電が開始されて実際に蒸気発生動作を開始したことを示す信号、Ｌ７は、前記信号Ｌ６の後（例えば５分後）に、電動送風機５５に通電開始したことを示す信号であり、実質的にはこのＬ６の段階から、高温の蒸気に空気が混合され、４０℃程度の高湿度の風が吹き出されて保湿運転が開始となる。
【０２４３】
Ｌ８は、電熱源９０への通電停止したことを示す信号、Ｌ９は電動送風機５５と、表示画面１０１への通電を停止したことを示す信号、Ｌ１は、主電源を遮断（ＯＦＦ）したことを示す信号である。
【０２４４】
図１７と図１８では、表示画面１０１において、環境情報表示部１３４や空調運転表示部１３５が設けられる旨を説明したが、電力指令装置５の制御部３６は、保湿用空気供給機２０が停止されることを運転情報信号Ｌ９で知った段階で、それまでに蓄積していた環境情報に基づき、保湿運転期間中に空気調和機３が運転されていたかどうかを、保湿用空気供給機２０へ送信する（図１９に示す報知信号ＥＶ）。
【０２４５】
また、空気調和機３が保湿運転期間中に運転されていたかどうかに関係なく、少なくとも前記運転情報信号Ｌ７からＬ９までの期間中、つまり実質的に保湿運転が行われていた期間中の平均気温等のデータを、制御部３６は保湿用空気供給機２０へ送信する。この平均気温等のデータは、環境検知部９から制御部３６が取得した環境データに基づく。すなわち、第２の記憶部３６Ｂには、保湿用空気供給機２０の保湿運転中に、その保湿用空気供給機２０が使用された居住空間の環境データ（例えば、気温、室温）が、その保湿運転時間と対になって時系列で記録されており、この環境データが居住者に利用されるようになっている。
【０２４６】
電力指令装置５には、前記信号Ｌ１〜Ｌ１０の受信時刻が秒単位まで記憶されている。またその他信号ＡＳ１、ＬＭ、ＫＳについても同様である。
【０２４７】
保湿用空気供給機２０は、電力指令装置５によって消費電力の上限値が制限される対象製品になっていないが、仮に対象製品にした場合には、前記運転情報信号Ｌ５の後、又は少なくともＬ６の後で、電力指令装置５から電力削減要請信号ＡＳ２又は電力削減指令信号ＡＳ３が発せられる場合がある。
【０２４８】
電力削減要請信号ＡＳ２とは、速やかに電力を下げて欲しいと電力指令装置５が促す信号であり、この信号から所定時間以内に総電力量が下がらない場合には強制的に電力を下げる。そのため、前記した電力削減要請信号ＡＳ２を発してから所定時間内（例えば、数秒〜１０秒以内）に電力削減指令信号ＡＳ３が発せられる。電力削減要請信号ＡＳ２が発せられてから所定時間内に保湿用空気供給機２０やその他家電機器ＥＥの何れかが電力を自発的に下げたことにより、十分な余裕電力が確保された場合、前記電力削減要請信号ＡＳ２は撤回される場合があり得る。
【０２４９】
前記電力指令装置５は、各家電機器ＥＥからの要求電力の合計電力値と、ブレーカーＢＫの上限容量（１つとは限らない。使用者が複数設定する場合がある）とを比較し、合計電力が上限容量を超える可能性があれば、その超過量を削減するように、要求電力超過量判定手段（図示せず）から所定の指令出力を行う。もし超過量がなければ（すなわち、超過量が０）、その要求電力を発信してきた家電機器ＥＥに対して、その要求電力と同じ使用可能電力を当該家電機器に返信する。また超過量の出力があれば、この合計電力の超過量と予め定めた優先順位に従って、使用電力の削減幅と対象となる家電機器を決定し、その関係する家電機器には、電力削減幅を指令するように構成している。
【０２５０】
なお、電力削減対象の家電機器として登録されていない家電機器は「未登録機器」と呼ぶが、この「未登録機器」の電力使用量も想定して、電力指令装置５は、電力削減量を決定する。
【０２５１】
電力指令装置５は、図１で説明したように、家屋の外部の電力会社やその他の外部機関１５Ａのサーバーに接続されている。このため、例えば官公庁やその地域の電力会社などから、電力逼迫情報などが送信された場合、その情報は電力指令装置５の制御部３６に送信され、また前記表示盤３７に表示され、居住者へ注意喚起と電力削減の勧告を行う。但し、電力逼迫情報とは、各家庭の使用電力を強制的に下げる指令と、強制的ではなく任意で下げて欲しいという要請レベルの指令の少なくとも２種類があるので、強制的に下げる指令の場合は、前記制御部３６が、電力を使用している家電機器の中から適当なものを選定し、電力削減の指令を出すため、家電機器ＥＥの電力が強制的に削減される場合もある。
【０２５２】
居住者は、任意の時点で電力指令装置５の電力制限値を複数の中から選択できる。例えば、広域通信回路網１６から電力逼迫情報などを受信した場合、その旨表示盤３７で表示されるので（また音声ガイド装置でも報知される）、これを見て自発的に上限値を下げるような設定操作をすることができる。
【０２５３】
また、実施の形態１で示した電力制御システムは、保湿用空気供給機２０等の家電機器ＥＥが、家屋の外部にある通信ネットワーク（広域通信回路網）１６と直接接続されていない。それら家電機器ＥＥは、電力指令装置５を介して通信ネットワーク９８と接続されているので、通信ネットワーク１６を通じて外部から保湿用空気供給機２０等が不正な遠隔操作をされるリスクを大幅に低減できる。すなわち、一般的に、キッチン内家電機器ＫＰや寝室や居間等で使用される家電機器は、高性能のファイアーウォール、情報処理デバイスを内蔵しておらず、十分なセキュリティ機能を備えていないものが多い。このため通信ネットワークを通じて外部から冷蔵庫等のキッチン内家電機器ＫＰに不正侵入され、他人の情報端末機器やコンピュータ等への攻撃の踏み台として使われていたという事例が最近社会問題になっている。セキュリティ専門機関等は、ボットネット（ＢＯＴＮＥＴ）型マルウェア（ＭＡＬＷＡＲＥ）を使って他人のコンピュータを操るのと同じ手口で、家庭用のルーターや家電機器が不正に操られていると危険性を指摘している。
【０２５４】
これに対して、この実施の形態１では、保湿用空気供給機２０等の家電機器ＥＥ単体では、通信ネットワーク１６への直接的な通信は行えず、電力指令装置５を介するか、あるいは情報通信端末機器２５を介しての情報授受ができるだけである。このため、この実施の形態１は、セキュリティ対策の面でも有利であり、居住者が安心して日常の生活ができる居住空間を提供できる。
【０２５５】
（図１〜図１９までの実施の形態１の総括）
以上説明した通り、実施の形態１における保湿用空気供給機２０は、
保湿用の空気を吹きだす吹出口５２を有した本体２０Ａと、
前記本体内部に設けられ、前記保湿用空気のための蒸気を発生させる蒸気発生部５９と、
前記蒸気発生部の蒸気を前記吹出口５２から室内へ吹き出す気流を生成する電動送風機５５と、
前記蒸気発生部と前記電動送風機を制御する制御部３３と、
前記本体の外部から前記制御部に対して運転条件を入力する操作部７１と、
前記操作部の入力結果を表示する表示部１０１と、
外部の情報通信端末機器２５と近距離無線通信を行うための通信部６３と、
を備えた保湿用空気供給機において、
保湿運転を決定する運転プログラムを記憶させる記憶部３３Ｒと、
前記通信部６３を介して受け取った睡眠時間帯のデータを記憶する記憶部３１と、を備え、
前記制御部３３は、前記情報通信端末機器２５を前記通信部６３に接近させて当該情報通信端末機器２５から使用者の睡眠時間帯のデータを受け取ることができることを示す情報を前記表示画面１０１に表示させ、
前記制御部３３は、前記通信部６３を介して受け取った前記睡眠時間帯のデータを前記記憶部３１に記憶させ、
さらに前記操作部７１には、前記記憶部に記憶させた睡眠時間帯の中で、前記保湿運転が開始され、かつ終了するように保湿運転の運転時間の自動調節を前記制御部に指令する入力キー１０２（表示画面中に適時現れる「お任せモード」又は「睡眠時間対応モード」アイコンを含む）を設けた構成であった。
【０２５６】
このため、実施の形態１の保湿用空気供給機によれば、その表示画面１０１に、外部のスマートフォン等の情報通信端末機器２５を接近させて使用者の睡眠時間帯のデータを受け取り、この睡眠時間帯のデータに基づいてその睡眠時間帯の中で、保湿運転を開始させ、かつ終了させるように保湿運転の運転時間を自動的に調節する動作を行わせることができる。このため、使用者の睡眠中に、保湿運転を自動的に行わせることができる。
【０２５７】
更に、実施の形態１における保湿用空気供給制御システムは、
保湿用空気供給機２０と、
就寝者の睡眠時間を計測するため睡眠センサー２４からの生体情報を受信して睡眠状態を判定する睡眠判定部２３を有し、前記保湿用空気供給機２０との間で無線通信によってデータを授受する制御装置３６と、を備え、
前記保湿用空気供給機２０には、前記制御装置３６から送信された睡眠データを記憶する機器側記憶部３１、３３Ｒと、保湿運転を制御する制御部３３と、を有し、
前記保湿用空気供給機２０の制御部３３は、前記制御装置３６から無線通信で受信した前記睡眠データに基づいて、当該睡眠時間帯の中で、前記保湿運転が開始され、かつ終了するように保湿運転のタイミングを合わせる動作プログラムを有していることを特徴とするものである
【０２５８】
この保湿用空気供給制御システムによれば、保湿用空気供給機２０が、制御装置３６から無線通信で送付された睡眠データに基づいて、当該睡眠時間帯の中で、保湿運転を自動的に開始させ、かつ終了させることができる。このため、使用者の睡眠中に、保湿運転を自動的に行わせることができる。
【０２５９】
この実施の形態１における家電機器の運転管理システムは、
保湿用空気供給機２０を含む複数の家電機器ＥＥと個々に通信を行い、それら家電機器を個々に制御して家庭内の総電力量を制御する電力指令装置５と、
保湿用空気供給機２０と近距離無線通信するＮＦＣ通信部４１を備えた情報通信端末機器２５と、を備え、
前記電力指令装置５には、就寝者の睡眠時間を計測するため睡眠センサー２４からの生体情報を受信して睡眠状態を判定する睡眠判定部２３と、睡眠判定部で取得した睡眠時間データを記憶する記憶装置３６Ｂと、を有し、
前記保湿用空気供給機２０には、前記ＮＦＣ通信部４１と通信状態が確立できる機器側通信部６３と、この機器側通信部６３から読み込まれたデータを記憶する機器側記憶部３１、３３Ｒと、運転を制御する制御部３３と、を有し、
前記情報通信端末機器２５は、前記電力指令装置５の記憶装置３６Ｂに記憶された睡眠時間データを、前記ＮＦＣ通信部４１を介して読み出し、当該データを前記保湿用空気供給機２０の機器側記憶部３１、３３Ｒに前記ＮＦＣ通信部４１を介して送信し、
前記保湿用空気供給機２０の制御部３３は、前記機器側通信部６３から受信した前記睡眠時間のデータを前記機器側記憶部３１、３３Ｒに記憶させ、
さらに前記保湿用空気供給機２０の制御部３３は、前記機器側記憶部３１、３３Ｒに記憶させた睡眠時間帯に、前記保湿運転の時間帯が重なるように保湿運転のタイミングを自動的に合わせる構成である。
【０２６０】
この実施の形態１の家電機器の運転管理システムによれば、家電機器ＥＥを集中制御する電力指令装置５を利用して、効果的な保湿運転を行わせることができる。すなわち、スマートフォン等の情報通信端末機器２５を利用して、前記電力指令装置５で取得している睡眠時間データを保湿用空気供給機２０へ提供するから、保湿用空気供給機２０では、睡眠時間のデータに基づいて保湿運転時間を決めることができ、使用者が睡眠している間に効果的に保湿運転を行える。このため、家庭内の総電力量を制御するという本来機能の電力指令装置５について、その利用価値を向上させることも期待できる。
【０２６１】
この実施の形態１における家電機器の、別の運転管理システムは、
可搬式の保湿用空気供給機２０及び空気調和機３を含む複数の家電機器ＥＥと個々に通信を行い、それら家電機器を個々に制御する集中制御装置５と、
広域通信回路網１６を介して前記集中制御装置５と通信する第１の無線通信部６８と、家庭内の通信網を介して又は近距離無線通信部を介して通信する第２の無線通信部４１と、を備えた情報通信端末機器２５と、を備え、
前記電力指令装置５には、就寝者の睡眠時間を計測するため睡眠センサー２４からの生体情報を受信して睡眠状態を判定する睡眠判定部２３と、前記就寝者の居る居住空間の気温等の環境を計測する環境検知部９と、睡眠判定部２３で取得した睡眠時間データと前記環境検知部９から送信された環境データとを、対にして時系列で記憶する記憶装置３６Ｂ、を有し、
前記保湿用空気供給機２０には、前記集中制御装置５と通信状態が確立できる機器側通信部６８と、この機器側通信部から読み込まれたデータを記憶する機器側記憶部３１、３３Ｒと、運転の開始指令と運転条件を入力する操作部７１と、この操作部の入力結果を表示する表示画面１０１と、運転を制御する制御部３３と、を有し、
前記保湿用空気供給機の制御部３３は、前記集中制御装置５から送信された前記睡眠時間データを前記機器側記憶部３１、３３Ｒに記憶させ、
さらに前記保湿用空気供給機２０の制御部３３は、前記機器側記憶部３１、３３Ｒに記憶させた睡眠時間帯に、前記保湿運転の時間帯が重なるように保湿運転のタイミングを自動的に合わせる動作を行い、
前記保湿用空気供給機の制御部３３は、前記操作部７１の入力操作に応じて前記機器側記憶部３１、３３Ｒに記憶させてある前記睡眠時間データと、当該睡眠時間の計測時に対応する環境データとを、前記表示画面１０１に表示させる構成である。
【０２６２】
このため、この運転管理システムによれば、家電機器ＥＥを集中制御する集中制御装置５を利用して、効果的な保湿運転を行わせることができる。すなわち、スマートフォン等の情報通信端末機器２５を利用して、前記電力指令装置５で取得している睡眠時間データと気温等の環境データとを保湿用空気供給機２０へ提供するから、保湿用空気供給機２０では、睡眠時間のデータに基づいて保湿運転時間を決めることができ、使用者が睡眠している間に効果的に保湿運転を行える。また、使用者が睡眠時間の確認する際に、その睡眠時の気温等の環境情報も確認できるから、再び保湿用空気供給機２０を使用する前に、保湿運転のタイミングを検討する際に参考となる。このため、集中制御装置は、単に家電機器ＥＥを集中制御できるだけではなく、保湿用空気の供給を効果的に行えるために機能し、利用価値を向上させることも期待できる。
【０２６３】
家電機器の変形例．
図２０は、本発明の実施の形態１の変形例を示したものであり、本発明に係る家電機器の運転管理システムで使用される通信アダプター、電力指令装置及び家電機器の全体構成を示すブロック図である。図中、前記実施の形態１のものと同一又は相当部分には同一符号を付してある。
【０２６４】
図１９における家電機器の運転管理システムで採用している電力制御システムは、実施の形態１のものと基本的構成は同じである。但し、電力指令装置５の制御部３６と、保湿用空気供給機２０含む家電機器ＥＥとの間は、直接情報の授受ができず、介在物として別個の通信アダプターを使用している点が大きく異なっている。また、保湿用空気供給機２０は、「第１の家電機器」と定義されており、電力指令装置５から電力削減指令信号ＡＳ３等を受ける可能性がある点で、実施の形態１とは大きく異なっている。
【０２６５】
前記「通信アダプター」とは、個々の家電機器とその電源との間に設けられる通信制御機器をいう。例えばここでいう通信アダプターとは、特開２０１０−２８８３８８号公報に示されるような通信アダプターをいい、電源プラグとコンセントを有し、そのコンセントに通電を制御すべき電気機器を接続する。そして電力指令信号を通信アダプターが無線や有線通信手段によって受け取ると、制御すべき家電機器の電源供給を制限し、又は遮断する。このように既存の家電機器に通信アダプターを接続し、その通信アダプターに電力指令装置５から電力指令信号を送り、その信号によって通信アダプターが家電機器を制御するので、既存の家電機器にも通信アダプターを電源側に介在させることで、電力指令装置５によって電力を集中制御できる利点が得られる。
【０２６６】
１５０は、通信アダプターである。この通信アダプターは、電力指令装置５の入出力部３０Ａに無線で接続される入出力部１５１と、通信アダプター１５０自身の制御を行う制御部１５２と、通信アダプター１５０が制御対象とする保湿用空気供給機２０の通電制御を行うための制御プログラム及び制御用データを格納したプログラム格納部１５３と、保湿用空気供給機２０の制御装置３３に所定の信号ケーブルで接続された入出力部（インターフェース部）１５４と、により構成されている。
【０２６７】
前記通信アダプター１５０は、保湿用空気供給機２０とは別に直接電源線（主幹線）１に接続され、その電源線から電力を得る方式で良いが、保湿用空気供給機２０の電源回路９２に、コネクタ等の接続手段で接続し、電力を得る方式でも良い。電源線１に直接接続したものでは、保湿用空気供給機２０の主電源を切断しても、常に通信アダプター１５０には電力が供給されるから、保湿用空気供給機２０の運転中、主電源切断中の何れにあっても電力指令装置５との通信を実行することができる。
【０２６８】
この図２０に示した変形例では、保湿用空気供給機２０以外の家電機器ＥＥにも、それぞれ前記通信アダプター１５０と同様な構成のアダプター（図示せず）が設置されている。このため、１つの家庭内、居住空間等で複数の通信アダプター１５０が同時に使用されることから、各通信アダプター１５０には、各通信アダプター固有の識別番号（通信アダプターＩＤ）が付けられており、電力指令装置５の側から見て、通信相手の特定の通信アダプター１５０だけを識別できるようになっている。
【０２６９】
１つの通信アダプター１５０は、保湿用空気供給機２０の本体２０Ａの外郭となる本体ケース（箱体）に直接固定し、又はそのような本体と信号用ケーブル等で接続し、その本体の近傍に設置されて使用されるようになっている。またこの通信アダプター１５０があることから、実施の形態１における保湿用空気供給機２０で備えていた無線通信用の入出力部６８は不要となっている。
【０２７０】
この変形例においては、実施の形態１のように、保湿用空気供給機２０に異常が発生したことが制御装置３３によって判定されると、直ちに保湿用空気供給機２０の動作を緊急停止し、電熱源９０の緊急停止を示す信号を、前記通信アダプター１５０から電力指令装置５に送信し、その後、制御装置３３で保湿運転中に連続的に取得していた監視データが、通信アダプター１５０から電力指令装置５に送信される。
【０２７１】
この変形例によれば、通信アダプター１５０が、電力指令装置５との間で各種信号を授受できる。
しかも、保湿用空気供給機２０の中に、前記した通信アダプター１５０のような機能を組み込んで製造する必要がないので、保湿用空気供給機２０自体のコストを低く抑えることができる。つまり、この通信アダプター１５０は、保湿用空気供給機２０の特定モデル専用に設計されたものでなくとも良く、他の家電機器ＥＥにも（前記プログラム格納部１５３の記憶内容を入れ替えること等で）広く利用することができるので、多数の家電機器ＥＥを使用する１つの家庭でも、全体の設置費用を抑制できるという効果もある。
【０２７２】
なお、前記した実施の形態１と変形例では、居住空間ＨＡの快適性の具体的指標について述べなかったが、初期設定を、気温２６℃、湿度５０％未満に快適の範囲を、デフォルト値として設定しておく案がある。
【０２７３】
一般的に、快適な環境を絶対的な数値で表現することは難しい。例えば快適性とは、ＡＳＨＲＡＥ（アメリカ暖房冷凍空調学会  １９９６年）によると、「環境条件への満足度を表す知覚の状態」と定義している。つまり、今よりも暑くなっても寒くなっても不快感をもたらすような環境条件を意味していると言える。このため、居住者が受ける印象は、必ずしも常に環境から受ける感じに対応している訳ではなく、居住者の気分や、体験、体調等でも変化する。
【０２７４】
そこで一般に「快適な室内環境（気候）」とはどのような状態であるのか、定義を述べると、例えばＩＥＡ（国際エネルギー機関）では、室内（部屋）における状態を次のように定義している。
（１）室内気温：冬においては２０℃前後であること。
夏においては２８℃前後であること。
（２）部屋の水平温度：一様であること。
（３）部屋の上下の温度差：３℃〜４℃以下であること。
【０２７５】
一方、家庭内の部屋やオフィスの空気調和機での設定温度は夏の冷房時で２８℃、冬の暖房時で２０度が、省エネルギーの観点から日本では推奨されているが、実際に人が快適と感じる室温は２５℃前後であるとも一般に言われている。
【０２７６】
従って、本発明の実施の形態１や上記変形例を実施する場合に、快適性を算出し、それを表示する場合には、家屋のある地域や居住者の年齢や性別等の種類のような、多様な前提条件で快適性の判断が変わる可能性があるので、居住者が例えば、快適性の「気温」を、適宜調整できるようにすると更に良い。また電力指令装置５に電波時計等を内蔵させ、季節に応じて前記気温を自動的に変化させるようにしても良い。さらには、具体的には、居住者が快適と感じた段階で、ＴＶ受像機２や電力指令装置５又は情報通信端末機器２５、保湿用空気供給機２０で、快適と感じた時点を特定する信号を電力指令装置５に入力し、電力指令装置５がその入力受付時の環境情報（気温や湿度など）を、以後の快適性判定の基礎データに用いるようにしても良い。このような居住者の快適性に関係する情報の蓄積で電力指令装置５による快適性判定は、更に居住者の認識、感覚にも近いものにできる。
【０２７７】
本発明の特徴部．
図２１〜図２２は、本発明の特徴部分を示す家電機器の運転管理システムに関するものである。図２１は、電力指令装置が保湿用空気供給機を運転開始許可し、運転開始の動作信号を受信するまでの一連の動作ステップを示すフローチャート図、図２２は、その保湿用空気供給機の表示画面を示す正面図であり、図１〜図２０に示したものと同一又は相当部分には、同一符号を付して重複した説明は省略する。
【０２７８】
この実施の形態１の電力指令装置（統合管理装置）５を中核とする運転管理システムは、同じ居住空間にある保湿用空気供給機２０と、空気調和機３が同時に運転される場合を想定し、空気調和機３の運転によって保湿用空気供給機２０が悪影響を受けないことを目的に、改良したものである。
【０２７９】
この図２１〜図２２に示す保湿用空気供給機２０及びその他対象となる家電機器ＥＥは、電力指令装置５と相互に無線通信を行い、電力指令装置５から運転許可の指令を受けて運転開始できるものである。つまり保湿用空気供給機２０は、保湿運転許可信号が到着した場合に、使用者からの操作指令で使用開始できる。但し、この電力指令装置５は、家庭内の総電力量を制限するために、空気調和機３やキッチン内家電機器ＫＰには、電力削減要請信号ＡＳ２や電力削減指令信号ＡＳ３等のような指令を出すが、保湿用空気供給機２０に対しては、そのような電力削減要請信号ＡＳ２等の指令は出さないので、保湿用空気供給機２０から見た場合は、前記電力指令装置５は、家電機器の（情報）「統合管理装置」という位置づけである。そこで以下の説明では、原則として「電力指令装置」５を、「統合管理装置」と表現を統一して説明する。
【０２８０】
以下、図２１について説明する。図２１は、統合管理装置５が保湿用空気供給機２０から、保湿運転を開始するとの予告信号を受けた以降で、保湿運転を許可するまでの動作ステップを示すフローチャート図である。統合管理装置５の制御部３６は、この図２１のスタート（Ｓ１００）から、終了（Ｓ１１３）までの動作ステップを行う「保湿・空調連携用プログラム」を保有している。
【０２８１】
まず、統合管理装置５が保湿用空気供給機２０から、保湿運転を開始するとの予告信号（運転情報信号の１つ）を受けた場合（Ｓ１０１）、次のステップ（Ｓ１０２）へ進む。そして保湿用空気供給機２０のある居住空間（例：寝室）に、環境改善機器ＳＰ１があるかどうかの判定が行われる。
環境改善機器ＳＰ１がある場合には、次のステップ（Ｓ１０３）へ進む。
【０２８２】
次のステップ（Ｓ１０３）では、環境改善機器ＳＰ１が空気調和機３であり、それが運転中であるかどうかの判定が行われ、空気調和機３が運転中である場合には、次のステップ（Ｓ１０４）において、その空気調和機３の運転条件が判定される。
【０２８３】
次のステップ（Ｓ１０４）では、空気調和機３が「強運転」又は「中運転」に設定されているかどうかの判定を行う。「強運転」とは、冷房や暖房能力が最高レベルになるように、空気調和機３から吹き出される冷房や暖房の空調の風速が大きい場合をいう。「中運転」とは、風速が中程度である場合をいう。一方、「弱運転」とは、空調の風速が空気調和機３の吹出口の出口部で毎秒１ｍ以下の速度である場合をいう。
【０２８４】
前記ステップ（Ｓ１０４）で、「強運転」又は「中運転」に設定されている場合には、次のステップ（Ｓ１０５）において、保湿用空気供給機２０に対して統合管理装置５から、表示画面１０１へ表示指令信号が発信される。
【０２８５】
前記ステップ（Ｓ１０５）で、表示指令信号が発信された場合、保湿用空気供給機２０の表示画面１０１は、図２２のように変化する（Ｓ１０６）が、図２２については後で説明する。
【０２８６】
前記３つのステップ（Ｓ１０２）（Ｓ１０３）（Ｓ１０４）で、何れも「Ｎｏ」の場合には、保湿運転の許可指令を出すステップ（Ｓ１１０）に進む。
【０２８７】
使用者が前記表示画面１０１を見て、空気調和機３の運転条件に注意を払うように促した結果、それを使用者が確認したことは、表示画面１０１の中の特定の入力キー（アイコン）１６６にタッチしたことにより、統合管理装置５側では検知できる。すなわち、ステップ（Ｓ１０６）で特別のアイコン１６６を操作した場合、操作部７１で所定の「確認」入力があったことになるから、ステップ（Ｓ１１０）へ進み、保湿運転開始の許可信号送信をすることになる。
【０２８８】
一方、前記ステップ（Ｓ１０６）で、保湿用空気供給機２０に対して確認要請が行われているのに対し、所定時間内（例えば３０秒以内）に、保湿用空気供給機２０から統合管理装置５に対し、所定の確認信号の送信がない場合、今度は統合管理装置５から空気調和機３に対して、空調風の風向きと風速の確認要請信号が出される（Ｓ１０７）。具体的には、空気調和機３に備えられている音声ガイド装置で確認用の音声ガイドをし、又は空気調和機３の本体外郭にある発光表示部やリモコンに、文字や図形でメッセージを表示して、報知する。
【０２８９】
ステップ（Ｓ１０７）で、空気調和機３に対して確認要請が行われているのに対し、所定時間内（例えば３０秒以内）に、統合管理装置５に対し、所定の確認信号の送信があるかどうかの判定が行われ（Ｓ１０８）、送信がなかった場合、ステップ（Ｓ１０９）に進む。なお、この段階（Ｓ１０８）において、使用者が空気調和機３の空調風の風速を「弱」レベルに変更したり、又は空気調和機３自体の運転を止めたりした場合には、このステップ（Ｓ１０８）から保湿運転許可の発信ステップ（Ｓ１１０）へ進む。
【０２９０】
ステップ（Ｓ１０９）の段階では、統合管理装置５は、空気調和機３から随時送信されて来ている運転情報信号によって、空調風の風向きが、水平よりも下向きに指定され、また風速も「強」や「中」段階にセットされていることが分かっているので、これらの設定条件を強制的に変更し、保湿用空気の所定方向、所定エリアへの供給に悪影響が出ない対応（例えば、風速は「弱」レベルへの変更）をする（Ｓ１０９）。これにより、その空気調和機３から保湿用空気供給機２０が（直線距離で）２ｍ以上離れていれば、その保湿用空気供給機２０の付近では、空気調和機３からの空調風は微速レベルである。但し、統合管理装置５では、空調の目標気温の設定値は変更を指令しない。目標温度を変化させると、使用者の就寝（入眠）に影響が出る可能性があるためである。
【０２９１】
この後ステップ（Ｓ１０９）から、保湿運転許可発信ステップ（Ｓ１１０）へ進み、睡眠判定部による睡眠判定動作を開始させる（Ｓ１１１）。そして保湿用空気供給機２０から保湿運転の開始を示す運転情報信号が届いたかどうかの判定が行われ（Ｓ１１２）、当該信号が来た場合には、保湿運転が開始されたことになるので、この一連の動作を終了する（Ｓ１１３）。これ以降は、統合管理装置５の制御部３６では、保湿用空気供給機２０の設置空間である寝室の気温や湿度等の環境データを取得する動作を引き続き制御し、また睡眠センサーから生体データを睡眠判定部が受け取る動作を監視する。
【０２９２】
なお、前記ステップ（Ｓ１００）からステップ（Ｓ１１２）までは、保湿用空気供給機２０の居住空間（寝室）には１人以上の居住者が居るという前提であった。少なくともこの居住空間（寝室）に人がいるかどうかは、人検知部１２で検知できる。従って、統合管理装置５が保湿用空気供給機２０から、保湿運転を開始するとの予告信号を受けた場合（Ｓ１０１）、人の検知も行われるので、仮に人が居ないと人検知部１２で判定された場合には、ステップ１０１以降には進まないようになっている。つまり、前記ステップ（Ｓ１０５）〜ステップ（Ｓ１０８）は、保湿用空気供給機２０のある居住空間（寝室）に、人が居ない場合には、無意味であるので、人検知部１２からの情報も利用して、統合管理装置５では、より正確な制御を行えるようになっている。
【０２９３】
次に、前記ステップ（Ｓ１０５）で言及した、保湿用空気供給機２０の表示画面１０１について、図２２を参照しながら説明する。
図２２に示すように、保湿用空気供給機２０を運転開始するにあたり、使用者へ空気調和機３との関係を再確認してもらう目的で表示画面１０１には、色々な注意喚起情報を表示している。
【０２９４】
図２２において、１６０は、保湿運転開始前のチェック要請を示す案内情報で、確認キーにタッチすることを保湿用空気供給機２０の使用者に求めている。
１６１は、エアコン（空気調和機３）からの空調風を保湿用空気供給機２０に当てないように注意喚起した風向き情報、１６２は、保湿用空気供給機２０の位置を示すイメージ図、１６３は、同じく空気調和機３のイメージ図、１６４は、本製品（保湿用空気供給機２０）に対する空気調和機３の注意事項として２つ列挙した注意情報である。この例では、風を当てないことと、風速は最低レベルにすること、の２つを指摘している。
【０２９５】
１６５は、さらに空気調和機３から見て本製品（保湿用空気供給機２０）は、１メートル（ｍ）以上の間隔が保たれるように下方に位置していることを示した位置情報である。図２２において、１６６は、確認用の入力キー（アイコン）であり、これにタッチすることにより、保湿用空気供給機２０から統合管理装置５に対し、所定の確認信号が送信され、図２１のステップ（Ｓ１０６）は「Ｙｅｓ」となる。
【０２９６】
以上の説明から明らかなように、この実施の形態１では、保湿用空気供給機２０を居住者が使用する場面で、その居住（就寝）空間における空気調和機３の運転状態に注意を払うことができる。そして仮に使用者が、統合管理装置５からの注意喚起情報を何らかの理由で見落としても、統合管理装置５が、保湿用空気供給機２０の保湿用空気の供給に悪影響を少なくできるように、強制的に空気調和機３の空調運転に対し何らかの制限をすることができる。つまり、この実施の形態１では、このような連携動作は、保湿用空気供給機２０専用に装置を用意せずに、居住空間の環境情報や運転情報信号を取得して家電機器を統合的に管理する統合管理装置５を利用して実現しており、システム全体の信頼性を高めることができる。また保湿用空気供給機２０を使用した場合に、適正な保湿運転の環境が得られる。このため、４０℃程度の蒸気を含んだ高湿度の保湿用空気や、ナノサイズのミストを含んだ保湿用空気は、使用者の顔の周辺に微速、微風状態で到達し、肌の表面に接触している時間を長くすることで所期の保湿効果を期待できる。
【０２９７】
なお、一般に家庭用空気調和機３では、「自動運転モード（「空調お任せモード」ともいう）」を備えている。そのモードは、空気調和機３が専用の室温検知センサー等の検知出力を監視しながら、空気調和機３が使用者に設定された目標の室温になるように自動的に空調風の温度や風量を制御するものであるが、保湿用空気供給機２０の運転中、そのような「自動運転モード」が設定されると、予期せぬ時点から空調風の強度や方向が変化し、保湿効果に影響が出る可能性があるので、統合管理装置５は、保湿運転開始直前での自動運転モードは、手動モードへ変更するようにし、また保湿運転中には、自動運転モードの設定を禁止する動作も実行する。具体的には、前記統合管理装置５は、前記保湿用空気供給機２０へ運転許可信号を送信した後、当該保湿用空気供給機２０から保湿運転を開始したことを示す運転情報信号を受信した時点（図２１のステップＳ１１２）から、保湿運転を終了した運転情報信号を受信するまでの期間中は、前記空気調和機３に対して、空調風の風速を上げる変更を禁止する指令信号を送信する制御を行う。
【０２９８】
なお、図２１のステップ（Ｓ１０４）では、空気調和機３が「強運転」又は「中運転」に設定されているかどうかの判定を行って、保湿用空気供給機２０の保湿運転時の保湿用空気の流れを阻害する運転状態であるかどうかを判定していたが、これに加えて、空調風の吹出方向を判定要件にしても良い。
【０２９９】
一般に家庭用壁掛け型の空気調和機３では、例えば、日本国特許公開２０１４−４４０３９号公報に示されているように、空調風の上下方向の風向きを変更するために、吹出口付近に１枚あるいは、複数枚の風向制御板を備えている。そして、居住空間の快適性を向上するために、冷房時には、前記風向制御板の角度を上向きにすることで、冷たい空気を天井方向へ流れるようにして、直接使用者には当たらないようにしている。一方、暖房時には、前記風向制御板の角度を下向きにすることで、暖かい空気を床方向へ流れるようにして、居住空間全体が温まるようにしている。
【０３００】
そこで、保湿運転時に、統合管理装置５は、空気調和機３の運転情報信号から、前記したような空調風の風向制御板の設定を把握し、その風向制御板を、水平よりも下向きに設定していた場合には、その風向制御板を水平又はそれよりも上向きに変更させた後に、保湿用空気供給機２０の運転を開始するように、空気調和機３に、風向制御板の角度変更指令を出すようにしても良い。言い換えると、統合管理装置５は、保湿用空気供給機２０から実質的に保湿用空気の供給が開始される前に、風向制御板を水平又はそれよりも上向きに変更させる指令を出し、その指令の後に、保湿用空気供給機２０に対して運転開始指令を出す、という制御方法にしても良い。このため、図２１のステップ（Ｓ１０４）の条件に「空調風の風向きが水平又はそれより上向きか？」という判定ステップを設け、そのステップで「Ｎｏ」の場合に限り、図２１のステップ（Ｓ１１０）に進むようにしても良い。
【０３０１】
また、そのように空調風の風向きも、ステップ（Ｓ１０４）で判定すれば、その結果に応じて、使用者に確認を求める表示画面（図２２参照）の案内情報１６０と、風向き情報１６１において、更に具体的な注意喚起ができる。例えば、「空調の風を水平に設定して下さい」とか「エアコンの風を、斜め下方向に向けないで下さい」等と報知でき、使用者の更に確実な確認動作等を期待できる。
【０３０２】
この実施の形態１は、電熱源９０を用いて蒸気を発生させるタイプの保湿用空気供給機２０にも適用でき、また、超音波振動子によって水を霧化する方式、ナノサイズのミストを発生させる方式等、他の方式の保湿用空気供給機器も同様に適用可能である。
【０３０３】
実施の形態２．
図２３〜図２４は、本発明の実施の形態２に係る家電機器の運転管理システムに関するものである。図２３は、統合管理装置５が保湿用空気供給機を運転開始するまでの一連の動作の動作ステップを示すフローチャート図、図２４は、その保湿用空気供給機の表示画面を示す正面図であり、実施の形態１と同一又は相当部分には同一符号を付して説明は省略する。また図２３において、前記図２１のフローチャート図と同一又は相当部分には、同一符号を付して重複した説明は省略するが、図２１のフローチャート図と連続したものではない。
【０３０４】
以下、図２３について説明する。図２１は、統合管理装置５が保湿用空気供給機２０から、保湿運転を開始する予告信号（運転情報信号の１つ）を受けた以降で、保湿運転を許可し、運転開始の動作信号を受信するまでの動作ステップを示すフローチャート図である。統合管理装置５の制御部３６は、この図２３のスタート（Ｓ１００）から、終了（Ｓ１２０）までの動作ステップを行う「保湿・空調連携用プログラム」を保有している。
【０３０５】
この実施の形態２では、第２の発明を実施している。
すなわち、この家電機器の運転管理システムは、
空気調和機３と前記保湿用空気供給機２０とを含む家電機器ＥＥから、運転情報信号を受け、運転許可信号を送信する統合管理装置５を備えた家電機器の運転管理システムにおいて、
前記統合管理装置５が、前記保湿用空気供給機２０から、保湿運転開始を予告する運転情報信号を受けた場合、
前記統合管理装置５は、
１）前記保湿用空気供給機２０のある居住空間（寝室等）ＨＡ１において前記空気調和機３が運転中であり、しかも当該空気調和機３が所定の環境条件を目標にした運転途中にある場合、当該環境条件を満たすまでの間は、前記保湿用空気供給機２０に対して運転許可の信号を送信することを保留にし、しかも、
２）前記環境条件を満たしたと判定した場合、前記保湿用空気供給機２０に対して運転許可信号を送信する、
ことを特徴としている。
【０３０６】
図２３において、スタート（Ｓ１００）から、空調風の風向きと風速の確認要請信号が出されるステップ（Ｓ１０７）までは図２１と同じであるので、説明は省略する。
ステップ（Ｓ１０７）で、空気調和機３に対して確認要請が行われているのに対し、所定時間内（例えば３０秒以内）に、統合管理装置５に対し、所定の確認信号の送信があるかどうかの判定が行われ（Ｓ１１５）、送信がなかった場合、ステップ（Ｓ１２１）に進む。なお、この段階（Ｓ１１５）において、使用者が空気調和機３の空調風の風速を「弱」レベルに変更したり、又は空気調和機３自体の運転を止めたりした場合には、このステップ（Ｓ１１５）から次のステップ（Ｓ１１６）へ進む。その次のステップ（Ｓ１１６）は、保湿運転を実質的に開始したことを示す運転情報信号Ｌ７（図１９参照）を、保湿用空気供給機２０から受信したかどうか判定するステップである。
【０３０７】
ステップ（Ｓ１２１）は、保湿運転を開始したことを示す運転情報信号を、保湿用空気供給機２０から受信したかどうか判定するステップである。
その運転情報信号を受信した場合は、使用者が保湿用空気供給機２０の運転開始を操作部７１によって指令したことを示す。このステップ（Ｓ１２１）は、ステップ（Ｓ１１６）と同様に、使用者が保湿用空気供給機２０の操作部で、保湿運転を開始する操作し、既に就寝行動に移っている可能性のある段階であり、使用者には、何らかの報知をしても、それを視認できない可能性があるので、この後は、使用者に何か入力操作を求めることはしない。
【０３０８】
ステップ（Ｓ１２１）で「Ｙｅｓ」の場合、次のステップ（Ｓ１２２）へ進む。そして、統合管理装置５の制御部３６は、環境検知部９から環境情報を取得し、保湿用空気供給機２０のある居住空間（寝室）の環境状況を確認する。例えば、この寝室へ就寝する予定の居住者が、室温が高く、不快な状況を解消しながら就寝するため、寝る前に空気調和機３に対し、目標室温２６℃という空調条件を設定している場合があり、これを仮に保湿用空気供給機２０の保湿運転開始を理由に、強制的に制御部３６が変更した場合、居住者の入眠への妨げや睡眠の質低下を招く可能性がある。
【０３０９】
そこで、このステップ（Ｓ１２２）では、居住者が設定した空気調和機３の設定室温の範囲内にあるかどうかを制御部３６で判定する。なお、設定室温だけではなく、湿度も設定してある場合には、それも判定対象となる。前記した例で、目標室温２６℃という空調条件設定されている場合、冷房の上限気温が２６℃、下限気温が２５℃となるように、空気調和機３が制御するので、この温度帯に入っている場合には、このステップ（Ｓ１２２）は「Ｙｅｓ」となる。例えば、暖房の１例では、目標気温を２２℃に設定すると、上限気温２３℃、下限気温を２２℃となるように、空気調和機３が制御するので、この温度帯に入っている場合には、このステップ（Ｓ１２２）は「Ｙｅｓ」となる。このステップ（Ｓ１２２）が「Ｙｅｓ」と判定されるまで、居住空間の大きさと空気調和機３の空調能力に依存するが、例えば３０分以上要する場合がある（その３０分間に、居住者が入眠してしまう場合もあるが、それでも問題はない。その入眠は、ステップＳ１１９の段階で検知される）。
【０３１０】
次のステップ（Ｓ１２３）の段階では、統合管理装置５は、空気調和機３から随時送信されて来ている運転情報信号によって、空調風の風向きが、水平よりも下向きに指定され、また風速も「強」や「中」段階にセットされていることが分かっているので、これらの設定条件を強制的に変更し、保湿用空気の所定方向、所定エリアへの供給に悪影響が出ない対応（例えば、風速は「弱」レベルへの変更）をする。これにより、その空気調和機３から保湿用空気供給機２０が２ｍ以上離れていれば、その保湿用空気供給機２０の付近では、空気調和機３からの空調風は微速レベルに抑制される。
【０３１１】
この後ステップ（Ｓ１２３）から、保湿運転許可発信ステップ（Ｓ１１８）へ進み、睡眠判定部による睡眠判定動作を開始させ（Ｓ１１９）、一連の動作を終了する（Ｓ１２０）。これ以降は、統合管理装置５の制御部３６では、保湿用空気供給機２０の設置空間（寝室）の気温や湿度等の環境データを取得する動作を引き続き制御し、また睡眠センサーから生体データを睡眠判定部が受け取る動作を監視する。
【０３１２】
一方、保湿運転を開始したことを示す運転情報信号を、保湿用空気供給機２０から受信したかどうか判定する前記ステップ（Ｓ１１６）が「Ｙｅｓ」であった場合、次のステップ（Ｓ１１７）に進む。
【０３１３】
ステップ（Ｓ１１７）は、前記ステップ（Ｓ１２２）と同様に、環境検知部９から環境情報を取得し、保湿用空気供給機２０のある居住空間（寝室）の環境状況を確認する。
このステップ（Ｓ１１７）が「Ｙｅｓ」と判定されるまで、居住空間の大きさと空気調和機３の空調能力に依存するが、例えば３０分以上要する場合がある（その３０分間に、居住者が入眠してしまう場合もあるが、問題はない。その入眠は、ステップＳ１１９の段階で検知される）。
そして、このステップ（Ｓ１１７）で、居住者が設定した空気調和機３の設定室温の範囲内にあるという判定になった場合、次の保湿運転許可発信ステップ（Ｓ１１８）に進む。これ以降は、前記したように、睡眠判定部による睡眠判定動作を開始させ（Ｓ１１９）、一連の動作を終了する（Ｓ１２０）。
【０３１４】
なお、前記統合管理装置５は、前記保湿用空気供給機２０へ保湿運転許可信号を送信した後（ステップＳ１１８）、当該保湿用空気供給機２０が保湿運転中である限り、前記空気調和機３に対して、空調風の風速を上げるような変更を空気調和機３の操作部やリモコンで使用者が入力しても、その入力による運転を禁止する指令信号を制御部３６が空気調和機に発信するので、使用者（就寝者）又は他の居住者等の設定ミスにより、保湿運転中に意図しない時点で空気調和機３が「強」レベルの空調風を吹き出すような事態は防止される。
【０３１５】
以上の説明から明らかなように、この実施の形態２に示す家電機器の運転管理システムは、
居住空間ＨＡ１の局所において保湿用の空気を放出する保湿用空気供給機２０と、
居住空間ＨＡ１全体の環境改善に使用される空気調和機３と前記保湿用空気供給機２０とを含む家電機器ＥＥから、運転情報信号Ｌ１〜Ｌ９を受け、運転許可信号を送信する統合管理装置５と、を備え、
前記統合管理装置５が、前記保湿用空気供給機２０から、保湿運転開始を予告する運転情報信号を受けた場合（Ｓ１０１）、当該保湿用空気供給機２０のある居住空間ＨＡにおいて前記空気調和機３が運転中であるときは、当該空気調和機３の運転条件が所定条件を満たした場合（Ｓ１０４、Ｓ１１７、Ｓ１２２）、前記統合管理装置５は、前記保湿用空気供給機２０に対して運転許可信号（ＫＳ：図１９参照）を送信する（図２１：ステップＳ１１０）（図２３：ステップＳ１１８）家電機器の運転管理システムである。
【０３１６】
この構成であるから、この実施の形態２では、保湿用空気供給機２０を使用する場面で、その居住（就寝）空間ＨＡ１における空気調和機３の運転状態が、保湿用空気供給機２０の保湿運転の効果を損なわないように、統合管理装置５によって制御され、保湿用空気供給機２０を使用する場合に、適正な保湿運転の環境が得られる。
【０３１７】
また、前記統合管理装置５は、保湿用空気供給機２０に対して運転許可信号を送信する前に、前記空気調和機３の運転条件が所定条件を満たすかどうかの確認を求める情報を前記保湿用空気供給機２０に送信し、当該保湿用空気供給機２０から所定の確認済信号を受信した場合（図２３：ステップＳ１０６）に、前記運転許可信号を送信する（図２３：ステップＳ１１８）ことを特徴とする家電機器の運転管理システムである。
【０３１８】
この構成であるから、この実施の形態２では、保湿用空気供給機２０を居住者が使用する場面で、その居住（就寝）空間における空気調和機３の運転状態に注意を払うことができる。そしてこのような連携動作は、保湿用空気供給機２０専用に装置を用意せずに、居住空間の環境情報や運転情報信号を取得して家電機器を統合的に管理する統合管理装置５（電力指令装置を兼ねている）５を利用して実現しており、システム全体の信頼性を高めることができる。また保湿用空気供給機２０を使用した場合に、適正な保湿運転の環境が得られる。
【０３１９】
さらに、前記統合管理装置５は、
前記保湿用空気供給機２０から所定の確認済信号を、所定時間内に受信しなかった場合、前記空気調和機３に対して、空調風の風速を制限することを勧告する情報を送信する（ステップＳ１０７）構成である。
【０３２０】
この構成であるから、この実施の形態２では、統合管理装置５からの注意喚起情報を、保湿用空気供給機２０の側で何らかの理由で見落としても、統合管理装置５が、保湿用空気供給機２０の保湿用空気の供給に悪影響を少なくできるように、空気調和機３に対して、空調風の風速を制限することを勧告する情報を送信する（ステップＳ１０７）から、適正な保湿運転の環境が得られ、システム全体の信頼性を更に高めることができる。
【０３２１】
この構成であるから、この実施の形態２では、統合管理装置５からの注意喚起情報を何らかの理由で見落としても、統合管理装置５が、保湿用空気供給機２０の保湿用空気の供給に悪影響を少なくできるように、強制的に空気調和機３の空調運転に対し何らかの制限をする（ステップＳ１２３）ことができるため、保湿用空気は、使用者の顔の周辺に微速、微風状態で到達し、肌の表面に接触している時間を長くすることで所期の保湿効果を期待できる。
【０３２２】
この実施の形態２の家電機器の運転管理システムでは、前記保湿用空気供給機２０は、空気調和機３が所定の環境条件を満たすまで統合管理装置５が運転許可信号を保留にし、所定の環境条件を満たした場合、自動的に保湿運転に移行することを表示画面１０１にて報知する（図２４参照）構成であるので、保湿用空気供給機２０よりも先に空気調和機３の運転を開始している居住者に、無用の混乱を招くことがなく、空気調和機３を使用しながら、保湿用空気供給機２０に運転開始の指令を与えた以後、その使用者が就寝しても自動的に所期の保湿運転ができるという安心感を与えることができる。
【０３２３】
この実施の形態２は、実施の形態１で説明したような、電熱源９０を用いて蒸気を発生させるタイプの保湿用空気供給機２０にも適用でき、また、超音波振動子によって水を霧化する方式、放電電極を使用したナノサイズのミスト（粒子）を発生させる方式のものにも同様に適用可能である。
【０３２４】
また以上の実施の形態１〜２は、大気中での放電により空気から生成する正イオンと負イオンを同時に肌表面に照射して肌表面の水分量を増加させる方式の保湿用空気供給機にも同様に適用可能である。このような方式は、例えば、日本国特許公開２０１１−９８１８７号（特許第４７９００６８号）公報、同じく特許公開２０１１−２００７２２号（特許第５２８５７４９号）公報にて提案されている。
【０３２５】
それらの先行技術文献によれば、イオン発生素子を使用して発生させた正負イオンを、低速の気流に載せて使用者に照射するとともに、肌表面に照射するイオン濃度を所定値以上に高めることにより、正負イオンが反応して生成する水が肌に潤いを与えると共に、肌の弾力を向上させることが可能になる。また、イオン発生手段から供給されるイオンを吹出口から放出する際、イオン濃度が高くなるように吹出口イオン検出器を備えることにより、イオン濃度を高めながらも吹出し速度を低速に保つように制御している。具体的には、イオン吹出口から放出された空気は、距離が遠くなるに従って含有するイオン数は急激に減少する。また、吹出し風速にも影響されるので実験により吹出し風速を決定してあり、望ましい実験例として、人の顔表面で正イオン濃度と負イオン濃度を、それぞれ７，０００個以上（１立方センチメートルあたり）となるようにイオン発生量と風速とが調節されている。
【０３２６】
つまり、正イオンと負イオンを同時に肌表面に照射して肌表面の水分量を増加させる方式の保湿用空気供給機（先行技術文献では「美容器具」と称している）でも、正イオンと負イオンを含む空気を、使用者の顔の位置まで、所定のイオン濃度維持したまま、低速度で吹き付けることが必須である。このため、特に本発明の実施の形態１及び２のように、空気調和機３による高速風による悪影響を排除できる本発明は、このような正・負イオン方式においても高い効果が期待できる。
【０３２７】
また実施の形態１においては、睡眠者の睡眠時間帯（例えば連続６時間）の中で、保湿運転を連続的（例えば３時間）に行うことを説明したが、睡眠時間帯の中で、保湿運転を間欠的に行っても良い。例えば、入眠から１時間は、連続的に使用者の顔の周囲における雰囲気の（目標の）湿度が５５％〜６５％になるように、高湿度空気を供給し、その後３０分間は保湿運転休止し、その後また１時間は同様な目標湿度になるように運転する、という複数工程を数回繰り返すことでも良い。なお、このように肌に湿度を、目標６５％から５５％の間で、揺らぎ制御することで保湿効果が高まることは、日本国特許公開２００４−２９４０５８号公報の加湿器で提案されている。それによれば、目標湿度６５％で３０分間維持し、その後１５〜６０分加湿は休止し、この１５〜６０分間の間に湿度が５０％に下がった時点で、再び加湿開始し、目標湿度６５％になった時点でそのまま３０分維持するという実例が紹介されている。本発明の実施にあたり、このような技術を組み合わせることも有益である。
【０３２８】
実施の形態３．
図２５〜図２９は、本発明の実施の形態３に係る家電機器の運転管理システムに関するものである。図２５は、本発明の家電機器の運転管理システムで制御される家電機器の１つであるＴＶ受像機２の表示画面例とリモコンの概要図である。図２６は、図２５のＴＶ受像機２の表示画面の別の例を示す正面図１である。図２７は、図２５のＴＶ受像機２の表示画面の別の例を示す正面図２である。図２８は、図２５のＴＶ受像機２の表示画面の別の例を示す正面図３である。図２９は、統合管理装置５がＴＶ受像機を介して空気調和機の運転条件確認を要請する一連の動作ステップを示すフローチャート図である。実施の形態１、２と同一又は相当部分には同一符号を付して重複した説明は省略する。また図２９において、前記図１４、図２３のフローチャート図と同一又は相当部分には、同一符号を付して重複した説明は省略する。なお、図２９のステップ（Ｓ１１５）は、図１４のステップ（Ｓ１１５）を指すものである。
【０３２９】
この実施の形態３の電力指令装置を兼ねた統合管理装置５を中核とする運転管理システムは、実施の形態２と同様に、同じ居住空間にある保湿用空気供給機２０と、空気調和機３が同時に運転される場合を想定し、空気調和機３の運転によって保湿用空気供給機２０が悪影響を受けないことを目的にしており、保湿用空気供給機２０の運転前における空気調和機３の運転条件の確認を、使用者が確実に行えるように、ＴＶ受像機２と連携させて改良したものである。
【０３３０】
この図２５〜図２９に示す保湿用空気供給機２０及びその他対象となる家電機器ＥＥは、電力指令装置５と相互に無線通信を行い、電力指令装置５から運転許可の指令を受けて運転開始できるものである。つまり保湿用空気供給機２０は、保湿運転許可信号が到着した場合に、使用者からの操作指令で使用開始できる。但し、この電力指令装置５は、家庭内の総電力量を制限するために、空気調和機３やキッチン内家電機器ＫＰには、電力削減要請信号ＡＳ２や電力削減指令信号ＡＳ３等のような指令を出すが、保湿用空気供給機２０に対しては、そのような電力削減要請信号ＡＳ２等の指令は出さないので、保湿用空気供給機２０から見た場合は、前記電力指令装置５は、家電機器の（情報）「統合管理装置」という位置づけである。つまり、実施の形態２と同様に、以下の説明では、原則として「電力指令装置」５を、「統合管理装置」と表現を統一して説明する。
【０３３１】
図２５は、ＴＶ受像機２の表示画面２Ｄ例とリモコン２Ｒの概要図である。
図２５に示すＴＶ受像機２は、テレビ用ポータルサイトが表示された状態であって、リモコン２Ｒに設けられた特定の電源ＯＮ用ボタンを１回押圧すると、ＴＶ受像機２が起動され、表示画面２ＤにＴＶ用ポータルサイトを表示する。ここで、ＴＶ用ポータルサイトとは、主にインターネットへの接続機能を持ったＴＶ向けに様々なサービスを提供することを目的としたポータルサイトのことをいう。
【０３３２】
図２５に示しているように、ＴＶ用ポータルサイトには、例えば「ニュース」、「天気予報」、「交通情報」、「地震・津波情報」などの略方形の枠で囲まれたアイコン（オンスクリーン型の入力スイッチ）１７０によるポータルサイトのメニューが表示される。また、別のアイコンとして、「健康管理情報」と表示された特別アイコン１７１と、「電気エネルギー管理」と表示された特別アイコン１７２と、「すまいの環境情報」と表示された特別アイコン１７３が、それぞれ表示されている。これら３つの特別アイコンは、他の通常のアイコンよりも特別に目立つように大きく、また目立つ色で表示しても良い。
【０３３３】
この実施の形態３でいうアイコンとは、表示画面２Ｄの上に表示され、特定の機能の選択が行われるものであり、図形だけではなく、文字でその特定機能を表現している場合も含む。また図２６の例のように、「健康管理情報」というように、文字で目的・機能を表示しただけの入力表示部（「タブ」又は「見出し」と呼ばれる場合もある）１７４〜１７６もアイコンに含むものとする。この３つのアイコン（特別アイコン）については、後で説明する。
【０３３４】
図２５に示したＴＶ受像機２の表示画面２Ｄで、「電気エネルギー管理」と表示されたアイコン１７２方向に向けて、リモコン２Ｒの特定のボタン（入力決定ボタン）を押すと、リモコン２Ｒが赤外線信号を発信し、それをＴＶ受像機２が検知して「電気エネルギー管理」の画面を選択したことになるので、表示画面２Ｄには「電気エネルギー管理」と表示された専用の画面が表示される。
【０３３５】
リモコン２Ｒからの赤外線信号が特定のアイコンのみに向けて照射されて入力信号が発生するのではなく、リモコンで特定のアイコンを選択した上で、リモコンが赤外線信号を発したことが検知され、その選択されていたアイコンが選択されたことになる。このようなアイコン自体は周知であるので、詳しい動作原理の説明は省略する。
【０３３６】
一方、表示画面２Ｄに「住まいの環境情報」と表示されたアイコン１７３に向けて、リモコン２Ｒの特定のボタン（入力決定ボタン）を押すと、表示画面２Ｄには、「住まいの環境情報」と表示された専用の画面（図２６参照）が表示される。そこでさらにリモコン２Ｒを操作して特定の居住空間（キッチン）を選ぶと、図２８に示したようなキッチンの環境データ（気温、湿度）が表示される。
【０３３７】
図２６において、１７４は前記特別アイコン１７１と同様の「健康管理情報」と表示された特別アイコンである。
１７５は、前記特別アイコン１７２と同様の「電気エネルギー管理」と表示された特別アイコン、１７６は、前記特別アイコン１７６と同様に「住まい環境情報」と表示された特別アイコンである。
【０３３８】
図２６において、ＥＶ１は、環境確認用の指令スイッチ（図示せず）の押圧式操作ボタンであり、前記ＴＶ受像機２の前面で、表示画面２Ｄの下辺近傍に設けてある。
ＥＶ２は、前記ＴＶ受像機２のリモコン２Ｒの中に設けた環境確認用の指令スイッチ（図示せず）の押圧式操作ボタンである。これら２つの操作ボタンＥＶ１、ＥＶ２の何れか１つを押すと、ＴＶ受像機２が起動していない場合であっても、表示画面２Ｄが起動され、その表示画面２Ｄでは、最初に図２６に示しているような、各種環境情報を表示する画面を表示し、前述したポータルサイト画面（図２５参照）の表示を経ずに、家屋内部の全居住空間ＨＡの環境状況を素早く確認できる。
【０３３９】
この図２６において、１７７Ａ〜１７７Ｄは、各居住空間の環境データ、環境情報を表示するエリアである。１７７Ａは、居間の環境情報を表示するエリア、１７７Ｂは、キッチンの環境情報を表示するエリア、１７７Ｃは、寝室の環境情報を表示するエリア、１７７Ｄは、浴室の環境情報を表示するエリアである。
【０３４０】
前記表示用のエリア１７７Ａ〜１７７Ｄは、「すまいの環境情報」の表示画面を表示した際に、ＴＶ受像機２のシステム制御部（図示せず）によって仮想的に形成される。仮想的とはエリア１７７Ａ〜１７７Ｄ個々が物理的に独立したものではなく、システム制御部の制御プログラムによって表示画面７５Ｄの画像表示エリアが、区分けされた状態をいう。なお、各表示用エリア１７７Ａ〜１７７Ｄには、対応する居住空間の名称が「居間」、「キッチン」等の文字が表示される。
【０３４１】
１７８は、室内の気温または湿度の少なくも何れか一方を文字で表示した温度・湿度表示情報、１７９は、居住空間が使用者の予め定めた室温と気温の範囲にある場合に現れる快適マークで、星型マークの３つが最高、２つが中程度の快適、１つは３段階の快適度の内の最も低い場合を示す。このマークに代えて文字で表示しても良い。このマーク１７９は、快適性を示す情報の一種である。なお、この快適度は、使用者が何時での変更可能であり、例えば冬と夏、あるいは居住している地方の実情に合せて居住者が自由に決めることができる。なお、初期設定では気温２６℃、湿度５０％未満に快適（３段階）の範囲のデフォルト値が設定してある。前記環境検知部９において、快適度を判定するための処理を「快適度判定」という。
【０３４２】
１８１は、環境が快適でない状況を示す注意マーク１８０の近傍に、文字で暑さ又は寒さを表示する寒暖表示情報である。図２６では、寝室と浴室には、それぞれこの寒暖表示部として「暑い」と表示されている。前記環境検知部９において、「暑い」と「寒い」という状態を判定するための処理を「寒暖判定」という。
【０３４３】
１８２は、前記統合管理装置５の人検知部１２によって、個別の居住空間に人がいないと判定された場合に表示される不在マーク（不在表示情報）である。図２６では、寝室と浴室には誰も居ないことが、この表示画面２Ｄによって容易に分かる。
【０３４４】
１８３は、居住空間の空気に影響を与え、快適性を維持・改善できる機能を備えた家電機器ＥＥ、具体的には空気調和機３や、空気清浄機（図示せず）、換気装置（図示せず）等の「環境改善機器」（第１の特定電気機器ＳＰ１）の運転表示情報である。
【０３４５】
図２６において、１８４は、図２５に示したＴＶ用ポータルサイトの初期画面に戻るためのアイコンである。
【０３４６】
１８４Ｎ、１８４Ｙは、居住空間が快適性高く、室内の運動に適しているかどうかを文字で表示する運動注意マーク（運動注意表示情報）である。このマークは全ての居住空間の表示エリア１７７Ａ〜１７７Ｄに表示させても良いが、少なくとも居住空間に前室内ランニング器具等の運動計測機器（図示せず）がある場合には、その機器のある居住空間の表示エリアには、前記運動注意マーク１８４Ｎ、１８４Ｙが表示される。
【０３４７】
図２５〜図２７に示したＴＶ受像機２の表示画面２Ｄで表示できる情報と、統合管理装置５の液晶表示画面３７Ａで表示できる情報とは、基本的に較差はない。つまり統合管理装置５の「動作情報」、環境検知部９の「環境情報」でも、同様に表示可能である。但し、２０〜６０インチの画面サイズの表示画面２Ｄの有効表示面積に比較して、１０〜１５インチの画面サイズの表示画面３７Ａでは、数分の１以下と狭いので、全く同じ内容が同じ大きさで表示される訳ではない。当然ながら表示される文字のサイズは小さくなるが、前記した温度・湿度表示情報１７８、快適マーク１７９、注意マーク１８０、運動注意マーク１８４Ｙ、１８４Ｎは、何れも表示される。
【０３４８】
以上説明した構成により、ＴＶ受像機２の表示画面２Ｄと統合管理装置５の液晶表示画面３７Ａとの間で、表示される情報の格差が生じないようにして、キッチンでも寝室、居間でも同じ情報を確認できるようにしている。なお、これら各種情報の統合管理装置５の液晶表示画面３７Ａでの表示は、前記制御部３６の表示用制御プログラムによって実行される。
【０３４９】
仮に、ＴＶ受像機２と、統合管理装置５の液晶表示画面３７Ａの双方から同時に矛盾する入力が行われた場合は、統合管理装置５の液晶表示画面３７Ａの方の入力が優先する。例えば、統合管理装置５の液晶表示画面３７Ａで家電機器ＥＥの総電力量を、ブレーカーＢＫで規制された上限容量（第１の上限容量。例えば、８０００Ｗ）未満の一定値（第２の上限容量。例えば７０００Ｗ）に設定しようとする操作時に、ＴＶ受像機２側で同時に第２の上限容量を７８００Ｗに上げるような入力操作をした場合は、統合管理装置５の液晶表示画面３７Ａの方の入力が優先し、上記の例では７０００Ｗへの設定が可能となる。但し、統合管理装置５の方からは、ＴＶ受像機２の本来機能である放送波の視聴の制限や表示画面２Ｄの画質調整等は、統合管理装置５の方からは行えない。
【０３５０】
図２７は、表示画面２Ｄで環境情報を表示させた画面構成の別の例である。
図２７において、特徴的な構成は、詳細な情報を見るためのアイコン１８５Ａ〜１８５Ｄを、４つの各表示エリア１７７Ａ〜１７７Ｄに、それぞれ設けていることにある。また前記第１の特定家電機器ＳＰ１の運転表示情報１８３に加え、居住空間の空気に放熱してそれを高温化する可能性があるなどの悪影響を及ぼす可能性のある第２の特定家電機器ＳＰ２、例えば電気炊飯器の運転の状況を示す運転表示情報１８６を表示させたことである。
【０３５１】
１８７は、温度又は湿度が所定の変化率以上変化（上昇又は下降）していることを示す変動表示情報である。例えば５分間又は２分間に気温が１℃以上上昇している場合、又は下降している場合には「上昇中」又は「下降中」とそれぞれ表示される。なお、実際の計測気温に応じて、居間、キッチン、寝室、浴室等の各居住空間を色分けしても良い。例えば、図２７の例では、寝室が最も室温高いので、暖色系のオレンジ、浴室は黄色、最も気温低い居間は、青色というように、気温の高低が直接色彩的にイメージできると更に良い
【０３５２】
１８８は、居住者の健康に適当ではなく、前記第１の特定家電機器ＳＰ１、つまり環境改善機器の運転によって改善できるような物理的環境にあることを示す不適環境表示情報である。図２７の例では、空気中１リットル中に含まれる所定直径以上の塵埃が所定数以上ある場合を示している。例えば、起床後に寝具を移動させたり、叩いたりした場合には一時的に埃が空気中に舞い上がって滞留している状態になるので、このような場合にはこの不適環境表示部に何らかの文字や記号等が現れる。この不適環境表示情報１８８も、特定の居住空間の快適性を示す情報の一種である。
【０３５３】
１８９は、家屋の外の空気中に飛散している花粉の量が多いかどうかを表示する花粉飛散量表示情報であり、花粉アレルギーの人達にとっては外出を控えたりする判断材料にもなり、有益な情報である。なお、この花粉飛散量表示部の基礎データは、日本の気象庁やその他気象専門機関、ＴＶ放送局などから提供されるので、前記した花粉センサーの情報に加え、あるいはその花粉センサーを設ける代わりに、それら外部機関からの情報を利用しても良い。そのような外部情報は外部機関１５Ａ、１５Ｂから統合管理装置５又はＴＶ受像機２が取得する。
【０３５４】
図２７において、１９０は、前記統合管理装置５の人検知部１２によって人がいないと判定された場合に表示される不在マーク（不在表示情報）である。図２７では、寝室と浴室には誰も居ないことがこの表示画面２Ｄによって容易に分かる。
【０３５５】
次に、図２７の表示画面の状態で、さらにリモコン２Ｒを操作して、例えば前記アイコン１８５Ｂを選択すると、図２８に示すように画面構成が切り替わる。
図２８において、１９１は、キッチンに設置された換気扇（図示せず）が運転されているかどうかを示す表示情報、１９２は、同じくキッチンに設置された電気冷蔵庫（図示せず）の冷蔵運転モードが「強」、「中」、「弱」の３段階の何れにセットされているかどうかを示す運転強度表示情報である。この運転強度は、冷蔵庫の消費電力量に大きく影響を与えることは既に周知であるので、詳しい説明は省略する。
【０３５６】
図２８に示すように、前記キッチン専用の表示エリア１７７Ｂは、その面積が自動的に最大限度まで拡大される。このような拡大表示は前記ＴＶ受像機２のシステム制御部（図示せず）の制御プログラムによって表示画面２Ｄの表示形態が変更された結果である。１９３は、前記表示エリア１７７Ｂの右側周辺に確保した余白部であり、ここには、居間の環境情報を見ることを選択するアイコン１９４、寝室の環境情報を見ることを選択するアイコン１９５、浴室の環境情報を見ることを選択するアイコン１９６が、それぞれ表示されているので、それらアイコンのどれか1つを選択すれば、居間や寝室、浴室の環境情報も、表示画面２Ｄに詳しく表示させることができる。
【０３５７】
１９７は、アドバイス情報である。このアドバイス情報は、家電機器、特に第１の特定家電機器ＳＰ１の運転可否やその運転条件に関するアドバイスなどが、居住空間の現在の状況に応じて文字で表示されるので、居住空間の環境をより適切に管理できるという効果が期待できる。図２８は、キッチンの湿度が上昇している事態を改善するアドバイスとして、換気扇の運転を勧めている例である。つまり環境改善機器の１つである換気扇でキッチン内の空気の浄化を勧告している。
【０３５８】
以下、図２９について説明する。図２９は、統合管理装置５がＴＶ受像機を介して空気調和機の運転条件確認を要請する一連の動作ステップを示すフローチャート図である。統合管理装置５の制御部３６は、この図２９のスタート（ＳＹ２０）から、図２３に示したフローチャートのステップ（Ｓ１１５）までの動作ステップを行う「ＴＶ受像機による確認連携用プログラム」を保有している。
【０３５９】
この実施の形態３においても、図２３に示したフローチャートの全部のステップ（Ｓ１００〜Ｓ１２０）を採用しており、その一部に、図２９のステップが追加されている。
【０３６０】
図２９において、ステップ（ＳＹ２１）は、図２３に示したフローチャートのステップ（Ｓ１０７）と同じでものである。すなわち、このステップ（ＳＹ２１）では、統合管理装置５から空気調和機３に対して、空調風の風向きと風速の確認要請信号が出される。具体的には、空気調和機３に備えられている音声ガイド装置で確認用の音声ガイドをし、又は空気調和機３の本体外郭にある発光表示部やリモコンに、文字や図形でメッセージを表示して、報知する。
【０３６１】
次のステップ（ＳＹ２２）は、空気調和機３に対して行った、上記空調風の風向きと風速の確認要請を、ＴＶ受像機２を利用して再度行うかどうかを使用者が設定したステップであり、使用者が「ＴＶ受像機２を利用して確認要請しない」と設定してあると、このステップ（ＳＹ２２）では、「Ｎｏ」となり、図２３に示したフローチャートのステップ（Ｓ１１５）と同じステップに進む。つまり、そのステップ（Ｓ１１５）に進むと、所定時間内（例えば３０秒以内）に、統合管理装置５に対し、所定の確認信号の送信があるかどうかの判定が行われるものであり、このステップ（Ｓ１１５）で、送信がなかった場合、図２３に示したフローチャート図のステップ（Ｓ１２１）に進むことになる。
【０３６２】
一方、空調風の風向きと風速の確認要請を、ＴＶ受像機２を利用して再度行うという設定を使用者が事前に設定しておいた場合には、このステップ（ＳＹ２２）では、「Ｙｅｓ」となり、次のステップ（ＳＹ２３）に進む。
【０３６３】
ステップ（ＳＹ２３）では、環境検知部９は、環境センサーから、最新の環境データを取得する。この場合の、対象となる居住空間は、前記保湿用空気供給機２０が保湿運転開始すると予告信号を発した時点（図２３のステップＳ１０１参照）の、その場所である。
【０３６４】
環境検知部９は、実施の形態１では、例えば、空気調和機３のある居住空間（寝室）ＨＡ２においては、１０分間隔で、またキッチンでは５分間隔で気温と湿度を計測していると説明したので、その定期的に取得した環境データを、最新のデータとして利用しても良い。しかしながら、更に正確なデータを取得をするために、前記ステップ（ＳＹ２３）の段階で、臨時に（リアルタイムで）環境センサーから、最新の環境データを取得する方が望ましい。
【０３６５】
次に、ステップ（ＳＹ２４）では、統合管理装置５が空気調和機３から最新の運転情報（図示せず）を取得する。この運転情報信号とは、図１９に示した保湿用空気供給機２０の運転情報信号Ｌ１〜Ｌ１０と同様なものであり、そのような運転情報信号を取得することで、制御部３６は空気調和機３が実際にどのような目標温度等で空気調和運転をしているかを把握できる。
【０３６６】
なお、前記ステップ（ＳＹ２４）で、統合管理装置５が空気調和機３から最新の運転情報（図示せず）を取得するという意味は、このステップ（ＳＹ２４）の段階で、空気調和機３の主電源スイッチ投入（ＯＮ）以降の全ての制御動作履歴のデータを取得するということではない。空気調和機３から統合管理装置５に対して、空調運転開始の予告信号（運転情報信号の１つ）を送信し、それに対して統合管理装置５が運転開始許可信号を出して、空調運転を開始しているはずであるので、少なくとも、空調運転開始の予告信号の際に、空気調和機３から提供された目標設定室温や、運転予定時間、空調風の強度、風向き等の情報が取得できれば良い。
【０３６７】
制御部３６は、２つのステップ（ＳＹ２３、ＳＹ２４）で取得した各種データを第２の記憶部３６Ｂ（第２のメモリー）に一時的に記憶させる。
実施の形態１で説明したように、前記制御部３６には、保湿用空気供給機２０の専用の第２の記憶部３６Ｂを保有しており、睡眠判定部２３によって取得された睡眠時間、時刻等の各種データやその解析結果の情報が、それを実際に取得した日付や時刻等の詳細情報と対になって時系列に記憶されている。
またその第２の記憶部３６Ｂは、保湿用空気供給機２０の保湿運転中において、保湿用空気供給機２０が使用された居住空間における環境情報又は環境データ（例えば、気温、湿度）が、その保湿運転時間と対になって時系列で記録されるものである。
【０３６８】
次のステップ（ＳＹ２６）では、実施の形態１で説明した図１４のステップ（ＳＹ１２）と同様に、ＴＶ受像機２が既に起動されているかどうかを判定する。但し、図１４のステップＳＹ１２と異なる点は、保湿用空気供給機２０のある居住空間のＴＶ受像機２を対象にしている点である。
【０３６９】
例えば、寝室で保湿用空気供給機２０を使用することを予定し、運転開始予告信号を発した直後に、その使用者（就寝者）がその寝室から離れて別の部屋（居住空間）に行っていることは想定し難いが、その寝室にあるＴＶ受像機２で、保湿用空気供給機２０の使用者へ、空気調和機３に対して行ったように空調風の風向きと風速の確認要請を行うためにＴＶ受像機２を利用する。そのため、当該ＴＶ受像機２が起動済みであるかどうかをステップ（ＳＹ２６）で判定する。当該ＴＶ受像機２が起動済みであるかどうかは、統合管理装置５がＴＶ受像機２から随時運転信号を受信しており、制御部３６によって容易に判定できる。
【０３７０】
ＴＶ受像機２が起動されていなかった場合には、ステップ（ＳＹ２６）は「Ｎｏ」の判定結果になり、次のステップ（ＳＹ２７）に進む。このステップでは、統合管理装置５の制御部３６は、ＴＶ受像機２に、起動指令信号を送り、ＴＶ受像機２を起動する（ＳＹ２７）。そしてその表示画面２Ｄにおいて、文字やアニメーション等で、空気調和機３に対して行ったように空調風の風向きと風速の確認要請をする。なお、具体的な表示画面の内容は、例えば、図２２、図２３で示したような保湿用空気供給機２０の表示画面１０１の内容と同じにしても良い。そして、その保湿用空気供給機２０の表示画面１０１に表示したアイコン１６６と同様な、「確認用アイコン」（図示せず）をＴＶ受像機２の表示画面２Ｄに表示させる。その「確認用アイコン」にタッチする代わりに、ＴＶ受像機２のリモコン２Ｒで、その「確認用アイコン」を選択できるように表示している（ＳＹ２８）。
【０３７１】
従って、このステップ（ＳＹ２８）の段階で、ＴＶ受像機２の表示画面２Ｄに表示した「確認用アイコン」を選択すると、実施の形態２の図２３で説明したステップ（Ｓ１１５）と同様に、寝室における使用者（使用予定者）と推定される居住者から所定の「確認」入力があったことになる。そのため、以後は、図２３のステップ（Ｓ１１５）で「Ｙｅｓ」と判定した場合の処理になり、所定のステップを経て、統合管理装置５は、保湿運転開始の許可信号送信をすることになる。
【０３７２】
なお、実施の形態１で説明した図１４のステップ（ＳＹ１２）では、保湿用空気供給機２０の異常発生タイミングが、深夜（２３時）から早朝（午前５時）の間である場合には、突然居間のＴＶ受像機２が起動されて画像や音声で報知されると、安眠妨害や他の居住者の不安感を招くおそれがあるので、上記ステップ（ＳＹ１２）の処理を受けても、ＴＶ受像機２を起動するという後述の処理（ＳＹ７）は、深夜から早朝の間は省略される。これに対し、上記ステップ（ＳＹ２８）は、保湿用空気供給機２０を使用して就寝しようとする場面であり、寝室には使用者（使用予定者）と推定される居住者が起きている可能性が大きいので、これらのステップ（ＳＹ２８）は、深夜や早朝でも行われる。なお、これら一連の確認要請ステップ（ＳＹ２３〜ＳＹ２８）を行わないように、使用者がステップ（ＳＹ２２）で事前に選択できることは前に述べた。
【０３７３】
図２９において、ＴＶ受像機２が起動されていた場合には、ステップ（ＳＹ２６）は「Ｙｅｓ」の判定結果になり、次のステップ（ＳＹ２８）に進む。このステップでは、ＴＶ受像機２の表示画面２Ｄにおいて、文字やアニメーション等で、空気調和機３に対して行ったように空調風の風向きと風速の確認要請をする。そして前記したようにＴＶ受像機２のリモコン２Ｒで、表示画面２Ｄの「確認用アイコン」を選択することを求める。
【０３７４】
この実施の形態３では、第２の発明を実施している。
すなわち、この家電機器の運転管理システムは、
空気調和機３と前記保湿用空気供給機２０とを含む家電機器ＥＥから、運転情報信号を受け、運転許可信号を送信する統合管理装置５を備えた家電機器の運転管理システムにおいて、
前記統合管理装置５が、前記保湿用空気供給機２０から、保湿運転開始を予告する運転情報信号を受けた場合、
前記統合管理装置５は、
１）前記保湿用空気供給機２０のある居住空間（寝室等）ＨＡ１において前記空気調和機３が運転中であり、しかも当該空気調和機３が所定の環境条件を目標にした運転途中にある場合、当該環境条件を満たすまでの間は、前記保湿用空気供給機２０に対して運転許可の信号を送信することを保留にし、しかも、
２）前記環境条件を満たしたと判定した場合、前記保湿用空気供給機２０に対して運転許可信号を送信する構成である。
【０３７５】
この構成であるから、この実施の形態３における家電機器の運転管理システムにおいても、統合管理装置５は、保湿用空気供給機２０の運転を許可する前に、保湿用空気供給機２０のある寝室の環境状況を確認する。そして、居住者が事前に設定していた就寝時の目標室温（気温）等の条件を優先して満たすように、空気調和機３の運転を優先させ、その空気調和機３が所定の環境条件を満たした場合、自動的に保湿運転を開始する処理の方に進めるため、使用者の保湿機会や就寝者の入眠等を阻害せず、また睡眠の質低下を招くことを回避しながら保湿運転を実行できる。
【０３７６】
この実施の形態３においては、ＴＶ受像機２の表示画面２Ｄにおいて、文字等で、空気調和機３や保湿用空気供給機２０に対して行ったように、空調風の風向きと風速の確認要請をする場面では、ＴＶ受像機２の表示画面２Ｄに「確認用アイコン」を表示しながら、その寝室の空気調和機３が実際にどのような目標温度等で空気調和運転されているかどうかを居住者へ表示する。つまり空気調和機３から統合管理装置５に提供された目標設定室温や、運転予定時間、空調風の強度、風向き等の情報が、ＴＶ受像機２でも目視確認できる。また同時にＴＶ受像機２のスピーカや音声での読み上げ装置で、音声による案内をしても良い。
このため、統合管理装置５が、空気調和機３や保湿用空気供給機２０の効果的な運転や利用に貢献でき、居住者の利便性を向上させることができる。
【０３７７】
さらに、統合管理装置５が寝室の気温等の各種データを第２の記憶部３６Ｂに一時的に記憶させ、それを利用してＴＶ受像機２の表示画面２Ｄにおいて「確認用アイコン」を表示しながら、図２６〜図２８で説明したように、寝室の気温や湿度等の環境データや環境情報を、任意に閲覧、確認することができ、快適で安心できる居住空間での生活を提供できるという効果もある。
【０３７８】
実施の形態１〜３で説明した空気調和機３は、代表的なタイプとして、寝室や居間等の居住空間を区画形成する垂直な壁上部（天井に近い位置）に、空気調和機３の室内機（通常、冷媒回路の一部を構成する室内用熱交換器と、その熱交換器の周囲に空気の流れを作る電動送風機と、が内蔵されている）が固定され、その室内機の側面に、空調風の吹出口があるタイプを念頭に説明した。しかしながら、本発明はそのようなタイプの空気調和機３だけに限定されたものではない。例えば、室内機の側面と下面、又は斜め前方部に吹出口を設けた者でも良い。また天井の上部空間やその居住空間の外部に空気調和機３自体が設置され、その空調機からの空調風が、ダクトを介して居住空間の天井面や壁面に開口した空調口まで案内され、その空調口から、室内空間に空調風を吹き出すものであっても良い。更に、２つ以上の居住空間を１つの空気調和機３によって、その個々の居住空間毎に希望する空調条件（例えば室温）となるように、空気調和するタイプのものであっても良い。
【０３７９】
今回開示された実施の形態はすべての点で例示であって制限的なものではないと考えられるべきである。本発明の実質的な範囲は、上記した説明ではなく、特許請求の範囲によって示され、特許請求の範囲と均等の意味および範囲内でのすべての変更が含まれることが意図されている。
【産業上の利用可能性】
【０３８０】
本発明に係る家電機器の運転管理システムは、家庭用だけではなく業務用の電化機器を設置した商店や小規模な工場、集合住宅等でも広く利用することができる。
【符号の説明】
【０３８１】
ＡＳ１  報知信号
ＡＳ２  電力削減要請信号
ＡＳ３  電力削減要請信号
ＢＫ  ブレーカー
ＥＰ  商用電源
ＥＥ  家電機器
ＥＶ１  環境確認用の指令スイッチの押圧式操作ボタン
ＥＶ２  環境確認用の指令スイッチの押圧式操作ボタン
ＨＡ  居住空間
ＨＡ１  居住空間（寝室）
ＨＡ２  居住空間（キッチン）
ＨＭ  居住者
ＫＰ  キッチン内家電機器  
Ｌ１〜Ｌ１０  運転情報信号
２  ＴＶ受像機
２Ｄ  表示画面
３  空気調和機
４Ａ  照明器具
４Ｂ  照明器具  
５  電力指令装置
５Ａ  本体
６  複合センサー（温度・湿度センサー）
７  温度・湿度センサー
８  温度センサー
９  環境検知部
１０  人感知センサー
１１  人感知センサー
１２  人検知部
１３  屋外アンテナ
１４Ａ  ルーターＡ
１４Ｂ  ルーターＢ
１５Ａ  外部機関
１５Ｂ  外部機関
１６  広域通信回路網
２０  保湿用空気供給機
２０Ａ  本体
２１  寝具
２２  サイドテーブル（家具）
２３  睡眠判定部
２４  睡眠センサー
２５  情報通信端末機器
２６  中継サーバー
２７  情報サーバー
２７ＣＰ  中央演算処理装置  
２７ＩＦ  通信部  
２７Ｓ  改善ソフトウェア（対策プログラム）提供部  
２７Ｕ  利用者特定用データベース  
２７Ｍ  メーカ側情報データベース
２７Ｂ  アプリケーションデータベース
２８  ＮＦＣ制御回路
２９  アンテナ
３０Ａ  入出力部
３０Ｂ  入出力部
３０Ｃ  入出力部
３１  ＮＦＣ記憶部
３３  制御装置
３３Ｒ  記憶部
３４  施設
３５  基地局
３６  制御部
３６Ａ  第１の記憶部（第１のメモリー）
３６Ｂ  第２の記憶部（第２のメモリー）
３７  表示盤
３７Ａ  表示画面
３９  操作入力部
４０  ＮＦＣ入出力部
４１Ａ  無線入出力部
４１Ｂ  無線入出力部
４３  在宅検知手段（在宅検知部）
４９  本体ケース
５０  ダクト
５０Ａ  風向板
５１  底板
５２  吹出口
５３  送風口
５４  ダクト
５５  クロスフローファン（電動送風機）
５６  カートリッジタンク
５９  高温空気生成部（ボイラー室）
６０  水
６１  混合室
６３  表示部
６４  発光ダイオード素子（ＬＥＤ）
６７  置き台
６８  無線通信用の入出力部
６８Ａ  通信アンテナ部
６９  回路基板
７０  主電源スイッチ
７０Ａ  押しボタン
７１  入力操作部
７３  表示部
７３Ａ  表示画面
７４  操作入力部（操作部）
７５  姿勢検知部
７６  制御部
７７  中央演算処理装置（ＣＰＵ）
７８  記憶部
７９  ＲＯＭ、ＲＡＭ部
８６  不揮発性メモリー
８０  アプリケーション・ソフトウェア部
８１  受信処理部
８２  送信処理部
８３  通信確立部
８４  表示制御部
８５  選択確定部    
８６  不揮発性メモリー
８７  報知部
９０  電熱（加熱）源
９１  駆動回路
９１Ａ  表示用メモリー
９１Ｂ  表示コントローラー
９１Ｃ  インターフェース
９１Ｄ  電源
９１Ｅ  コモンドライバー
９１Ｆ  セグメントドライバー
９２  電源回路
９３  時計回路
９５  液晶画面
１０１  表示画面
１０２  タッチキー（アイコン）
１０３  タッチキー（アイコン）
１１３  選択情報  
１１４Ｃ  選択キー
１１６  文字情報
１１７Ａ  文字情報
１１７Ｂ  文字情報
１１８  選択情報
１２１  文字情報
１２２Ａ  選択情報
１２２Ｂ  選択情報
１２２Ｃ  選択情報
１２４  文字情報
１２５Ａ  時刻を示した情報
１２５Ｂ  時刻を示した情報
１２６  助言内容を示した情報
１３０  選択表示部
１３１  ヘルプモードキー
１３２  インフォーメーション・キー
１３３  時間帯表示部
１３４  環境情報表示部
１３５  空調運転表示部
１３６  環境詳細情報
１３７  快適度（快適性）情報
１３７Ａ  快適度マーク
１３８  運転情報
１３９  タッチキー（アイコン）
１４０  タッチキー（アイコン）
１４１  タッチキー（アイコン）
１４２  文字情報
１５０  通信アダプター
１５１  入出力部
１５２  制御部
１５３  プログラム格納部
１５４  入出力部（インターフェース部）
１６０  案内情報
１６１  風向き情報
１６２  保湿用空気供給機位置を示すイメージ図
１６３  空気調和機のイメージ図
１６４  注意情報
１６５  位置情報
１６６  確認用の入力キー（アイコン）
１７０  アイコン
１７１  特別アイコン
１７２  特別アイコン
１７３  特別アイコン
１７４〜１７６  特別アイコン（入力表示部）
１７７Ａ〜１７７Ｄ  表示エリア
１７８  温度・湿度表示情報
１７９  快適マーク
１８０  注意マーク
１８１  寒暖表示情報
１８２  不在マーク（不在表示情報）
１８３  「環境改善機器」（第１の特定電気機器ＳＰ１）の運転表示情報
１８４  アイコン
１８４Ｎ  運動注意マーク（運動注意表示情報）
１８４Ｙ  運動注意マーク（運動注意表示情報）
１８５Ａ〜１８５Ｄ  アイコン
１８６  運転表示情報
１８７  変動表示情報
１８８  不適環境表示情報
１８９  花粉飛散量表示情報
１９０  不在マーク（不在表示情報）
１９１  表示情報
１９２  冷蔵庫の運転強度表示情報
１９３  余白部
１９４  アイコン
１９５  アイコン
１９６  アイコン
１９７  アドバイス情報
【図１】
0006256257.tif 000002
【図２】
0006256257.tif 000003
【図３】
0006256257.tif 000004
【図４】
0006256257.tif 000005
【図５】
0006256257.tif 000006
【図６】
0006256257.tif 000007
【図７】
0006256257.tif 000008
【図８】
0006256257.tif 000009
【図９】
0006256257.tif 000010
【図１０】
0006256257.tif 000011
【図１１】
0006256257.tif 000012
【図１２】
0006256257.tif 000013
【図１３】
0006256257.tif 000014
【図１４】
0006256257.tif 000015
【図１５】
0006256257.tif 000016
【図１６】
0006256257.tif 000017
【図１７】
0006256257.tif 000018
【図１８】
0006256257.tif 000019
【図１９】
0006256257.tif 000020
【図２０】
0006256257.tif 000021
【図２１】
0006256257.tif 000022
【図２２】
0006256257.tif 000023
【図２３】
0006256257.tif 000024
【図２４】
0006256257.tif 000025
【図２５】
0006256257.tif 000026
【図２６】
0006256257.tif 000027
【図２７】
0006256257.tif 000028
【図２８】
0006256257.tif 000029
【図２９】
0006256257.tif 000030